(57)【要約】本発明の実施形態は、参照信号送信方法であって、端末によって、第１の参照信号および第２の参照信号を送るステップと、対応して、ネットワークデバイスによって第１の参照信号および第２の参照信号を受信するステップとを含み、第１の参照信号は、複数のシンボルにマッピングされて、チャネル状態情報の推定に使用され、第２の参照信号は、複数のシンボルの少なくとも２つにマッピングされて、位相追跡に使用され、少なくとも２つのシンボルの１つの上で、第２の参照信号がマッピングされているサブキャリアが、少なくとも２つのシンボルの残りの上で、第２の参照信号がマッピングされているサブキャリアと、同じ周波数ドメインロケーションを有する方法を開示する。前述の解決策によれば、チャネル状態情報推定の精度を向上させることができる。
2020516134.tif 000002
【特許請求の範囲】
【請求項１】
参照信号送信方法であって、
参照信号の時間ドメイン密度および周波数ドメイン密度に基づき、ネットワークデバイスによって、ユーザによりスケジューリングされた帯域幅内で前記参照信号に対する時間−周波数リソースを構成するステップと、
前記ネットワークデバイスによって、前記参照信号および／または前記参照信号のリソースロケーション情報を端末に送るステップと
を含む参照信号送信方法。
【請求項２】
別の参照信号が、ユーザによってスケジューリングされた帯域幅に同様にマッピングされているときには、前記参照信号は、前記別の参照信号がマッピングされているリソース要素にマッピングされないか、または前記参照信号は、前記別の参照信号がマッピングされているリソース要素上でパワーがゼロであるか、または前記参照信号は、前記別の参照信号によってパンクチャリングされる請求項１に記載の方法。
【請求項３】
前記時間ドメイン密度は、帯域幅部分ＢＰ、サブキャリア間隔、および変調符号化方式ＭＣＳの少なくとも１つに関連する請求項１または２に記載の方法。
【請求項４】
各ＢＰが、１つの群のＭＣＳ閾値に対応し、異なるＭＣＳ閾値が、異なる時間ドメイン密度に対応している請求項３に記載の方法。
【請求項５】
前記周波数ドメイン密度は、帯域幅部分ＢＰ、ユーザによってスケジューリングされた帯域幅、サブキャリア間隔、および変調符号化方式ＭＣＳの少なくとも１つに関連する請求項１に記載の方法。
【請求項６】
各ＢＰが、１つの群のスケジューリングされた帯域幅閾値に対応しており、異なるスケジューリングされた帯域幅閾値が、異なる周波数ドメイン密度に対応している請求項５に記載の方法。
【請求項７】
ネットワークデバイスであって、
参照信号の時間ドメイン密度および周波数ドメイン密度に基づいて、ユーザによってスケジューリングされた帯域幅内で前記参照信号に対する時間−周波数リソースを構成するように構成された、プロセッサと、
前記参照信号および／または前記参照信号のリソースロケーション情報を端末に送るように構成された、送信機と
を含むネットワークデバイス。
【請求項８】
前記プロセッサが、別の参照信号が前記ユーザによってスケジューリングされた帯域幅に同様にマッピングされているときに、前記参照信号を前記別の参照信号がマッピングされているリソース要素にマッピングすることをスキップするようにさらに構成されているか、または前記参照信号は、前記別の参照信号がマッピングされているリソース要素上でパワーがゼロであるか、または前記参照信号は、前記別の参照信号によってパンクチャリングされている請求項７に記載のネットワークデバイス。
【請求項９】
前記時間ドメイン密度は、帯域幅部分ＢＰ、サブキャリア間隔、および変調符号化方式ＭＣＳの少なくとも１つに関係しており、前記時間ドメイン密度と、前記の帯域幅部分ＢＰ、サブキャリア間隔、および変調符号化方式ＭＣＳの少なくとも１つの間の対応が、事前定義されているか、または高位レイヤシグナリングを使用することによって端末に対して構成される請求項７または８に記載のネットワークデバイス。
【請求項１０】
前記周波数ドメイン密度は、帯域幅部分ＢＰ、前記ユーザによってスケジューリングされた帯域幅、サブキャリア間隔、および変調符号化方式ＭＣＳの少なくとも１つに関連するとともに、前記周波数ドメイン密度と、前記ユーザによってスケジューリングされた帯域幅、サブキャリア間隔、ＭＣＳ、およびＢＰの少なくとも１つとの間の対応が、事前定義されているか、または高位レイヤシグナリングを使用することによって端末用に構成されている請求項７に記載のネットワークデバイス。
【請求項１１】
参照信号送信方法であって、
ネットワークデバイスから参照信号のリソースロケーション情報を受信するステップと、
前記リソースロケーション情報に基づいて、前記リソースロケーション情報によって指示されるリソース上の前記参照信号を受信するステップを含み、
前記参照信号の時間ドメイン密度は、帯域幅部分ＢＰ、サブキャリア間隔、および変調符号化方式ＭＣＳの少なくとも１つに関係しており、
前記参照信号の周波数ドメイン密度は、前記の帯域幅部分ＢＰ、ユーザによってスケジューリングされた帯域幅、サブキャリア間隔、および変調符号化方式ＭＣＳの少なくとも１つに関連する、方法。
【請求項１２】
各ＢＰが、１つの群のＭＣＳ閾値に対応し、異なるＭＣＳ閾値が、異なる時間ドメイン密度に対応している請求項１１に記載の方法。
【請求項１３】
各ＢＰが、１つの群のスケジューリングされた帯域幅閾値に対応し、異なるスケジューリングされた帯域幅閾値が、異なる周波数ドメイン密度に対応している請求項１１に記載の方法。
【請求項１４】
端末であって、
ネットワークデバイスによって送られたリソースロケーション情報を受信するように構成された、受信機と、
前記リソースロケーション情報によって指示されたリソース上で参照信号を受信するように構成された、プロセッサと
を備える端末であって、
前記参照信号の時間ドメイン密度は、帯域幅部分ＢＰ、サブキャリア間隔、および変調符号化方式ＭＣＳの少なくとも１つに関連するとともに、
前記参照信号の周波数ドメイン密度は、前記の帯域幅部分ＢＰ、ユーザによってスケジューリングされた帯域幅、サブキャリア間隔、および変調符号化方式ＭＣＳの少なくとも１つに関連する端末。
【請求項１５】
各ＢＰが、１つの群のＭＣＳ閾値に対応し、異なるＭＣＳ閾値が、異なる時間ドメイン密度に対応している請求項１４に記載の端末。
【請求項１６】
各ＢＰが、１つの群のスケジューリングされた帯域幅閾値に対応し、異なるスケジューリングされた帯域幅閾値が、異なる周波数ドメイン密度に対応している請求項１４に記載の端末。
【請求項１７】
通信方法であって、
現在アクティブである帯域幅部分ＢＰおよび変調符号化方式ＭＣＳに基づいて位相追跡参照信号ＰＴ−ＲＳの時間ドメイン密度を決定するステップと、
前記現在アクティブな帯域幅部分ＢＰおよびスケジューリングされた帯域幅ＢＷに基づいて前記ＰＴ−ＲＳの周波数ドメイン密度を決定するステップと、
前記時間ドメイン密度および前記周波数ドメイン密度に基づいて、前記ＰＴ−ＲＳを１つもしくは複数のシンボルにマッピングするか、または前記ＰＴ−ＲＳを複数のサブキャリアにマッピングするステップと
を含む通信方法。
【請求項１８】
１つまたは複数のＢＰに対して、１つまたは複数の群のＭＣＳ閾値を構成するステップをさらに含む請求項１７に記載の方法。
【請求項１９】
ＭＣＳ閾値と時間ドメイン密度の間の、前記ＢＰに対応する対応情報を記憶するステップをさらに含む請求項１７に記載の方法。
【請求項２０】
１つまたは複数のＢＰに対して、１つまたは複数の群のスケジューリングされた帯域幅閾値を構成するステップをさらに含む請求項１７に記載の方法。
【請求項２１】
スケジューリングされた帯域幅閾値と周波数ドメイン密度の間の、前記ＢＰに対応する対応情報を記憶するステップをさらに含む請求項１７に記載の方法。
【請求項２２】
装置であって、
現在アクティブな帯域幅部分ＢＰおよび変調符号化方式ＭＣＳに基づいて位相追跡参照信号ＰＴ−ＲＳの時間ドメイン密度を決定するとともに、前記現在アクティブな帯域幅部分ＢＰおよびスケジューリングされた帯域幅に基づいて前記ＰＴ−ＲＳの周波数ドメイン密度を決定するように構成された、処理ユニットと、
前記時間ドメイン密度と前記周波数ドメイン密度に基づいて、前記ＰＴ−ＲＳを１つもしくは複数のシンボルにマッピングするか、または前記ＰＴ−ＲＳを複数のサブキャリアにマッピングするように構成された、通信ユニットと
を備える装置。
【請求項２３】
前記処理ユニットは、１つまたは複数のＢＰに対して、１つまたは複数の群のＭＣＳ閾値を構成するようにさらに構成されている請求項２２に記載の装置。
【請求項２４】
ＭＣＳ閾値と時間ドメイン密度の間の、前記ＢＰに対応する対応情報を記憶するように構成された、記憶ユニットをさらに備える請求項２２または２３に記載の装置。
【請求項２５】
前記処理ユニットは、１つまたは複数のＢＰに対して、１つまたは複数の群のスケジューリングされた帯域幅閾値を構成するようにさらに構成されている請求項２２乃至２４のいずれか一項に記載の装置。
【請求項２６】
スケジューリングされた帯域幅閾値と周波数ドメイン密度の間の、前記ＢＰに対応する対応情報を記憶するように構成された、記憶ユニットをさらに備える請求項２５に記載の装置。
【請求項２７】
参照信号送信方法であって、
ネットワークデバイスによって、第１の参照信号および第２の参照信号を受信するステップを含み、
前記第１の参照信号は、複数のシンボルにマッピングされて、チャネル状態情報の推定に使用され、前記第２の参照信号は、前記複数のシンボルの少なくとも２つにマッピングされて、位相追跡に使用され、前記少なくとも２つのシンボルの１つの上で、前記第２の参照信号がマッピングされているサブキャリアが、前記少なくとも２つのシンボルの残りの上で、前記第２の参照信号がマッピングされているサブキャリアと同じ周波数ドメインロケーションを有する参照信号送信方法。
【請求項２８】
参照信号送信方法であって、
端末によって、第１の参照信号および第２の参照信号を送るステップを含み、
前記第１の参照信号は、複数のシンボルにマッピングされて、チャネル状態情報の推定に使用され、前記第２の参照信号は、前記複数のシンボルの少なくとも２つにマッピングされて、位相追跡に使用され、前記少なくとも２つのシンボルの１つの上で、前記第２の参照信号がマッピングされているサブキャリアが、前記少なくとも２つのシンボルの残りの上で、前記第２の参照信号がマッピングされているサブキャリアと、同じ周波数ドメインロケーションを有する参照信号送信方法。
【請求項２９】
ネットワークデバイスであって、
第１の参照信号および第２の参照信号を受信するように構成された通信ユニットを備え、
前記第１の参照信号は、複数のシンボルにマッピングされて、チャネル状態情報の推定に使用され、前記第２の参照信号は、前記複数のシンボルの少なくとも２つにマッピングされて、位相追跡に使用され、前記少なくとも２つのシンボルの１つの上で、前記第２の参照信号がマッピングされているサブキャリアが、前記少なくとも２つのシンボルの残りの上で、前記第２の参照信号がマッピングされているサブキャリアと、同じ周波数ドメインロケーションを有するネットワークデバイス。
【請求項３０】
端末であって、
第１の参照信号および第２の参照信号を送るように構成された通信ユニットを備え、
前記第１の参照信号は、複数のシンボルにマッピングされて、チャネル状態情報の推定に使用され、前記第２の参照信号は、前記複数のシンボルの少なくとも２つにマッピングされて、位相追跡に使用され、前記少なくとも２つのシンボルの１つの上で、前記第２の参照信号がマッピングされているサブキャリアが、前記少なくとも２つのシンボルの残りの上で、前記第２の参照信号がマッピングされているサブキャリアと、同じ周波数ドメインロケーションを有する端末。
【請求項３１】
コンピュータ可読記憶媒体であって、
前記可読記憶媒体は、プログラムコードを記憶し、前記プログラムコードが、請求項１乃至６、請求項１１乃至１３、請求項１７乃至２１、および請求項２８のいずれか一項に記載の方法を実施するための実行可能な命令を含むコンピュータ可読記憶媒体。
【発明の詳細な説明】
【技術分野】
【０００１】
本出願は、無線通信技術の分野に関し、特に、参照信号送信方法、装置、およびシステムに関する。
【背景技術】
【０００２】
モバイルインターネット技術の発展に伴い、通信速度および通信容量の要件がますます増大しており、既存の低スペクトルリソースはますます不足しやすくなり、要件を満たすことができない。そのため、スペクトルリソースが豊富な高周波無線リソースが、無線通信の研究の焦点となる。無線通信システムでは、周波数デバイス、つまり局部発振器は非理想的である。局部発振器のランダムジッタは、出力キャリア信号に位相雑音を生じさせる。位相雑音の大きさはキャリア周波数に直接関連する。すなわち、位相雑音パワーは２０ｌｏｇ（ｎ）に応じて変化し、ここで、ｎは周波数増加の倍数量であり、キャリア周波数が２倍になる毎に、位相雑音パワーが６ｄＢだけ増加することを意味している。そのため、高周波無線通信では位相雑音の影響を無視できない。将来の進化した無線システム、ニューラジオ（Ｎｅｗ  Ｒａｄｉｏ、ＮＲ）に対して、第３世代パートナーシッププロジェクト３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、採用されたスペクトル範囲に高周波を組み込んでいる。したがって、位相雑音の関連する影響も、設計時に考慮する必要がある。
【０００３】
位相雑音は、図１に波形の破線で示されように、時間とともにランダムに変化する物理量である。直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）システムに対する位相雑音の影響は、共通位相エラー（Ｃｏｍｍｏｎ  Ｐｈａｓｅ  Ｅｒｒｏｒ、ＣＰＥ）とキャリア間干渉（Ｉｎｔｅｒ−ｃａｒｒｉｅｒ  Ｉｎｔｅｒｆｅｒｅｎｃｅ、ＩＣＩ）の２つの部分を含む。ＣＰＥは、図１のシンボル内の水平線セグメントによって示されるように、１つのＯＦＤＭシンボルの持続時間における、平均位相雑音である。特定のＯＦＤＭシンボルに対して、ＣＰＥは同じ影響、すなわち、図２のブロックＡによって示される影響を、シンボル内の異なるサブキャリアに対して発揮する。兆候は、ＯＦＤＭシンボル内のすべての変調コンステレーションシンボルポイントが１共通位相だけ回転することである。ＩＣＩは、ＯＦＤＭシンボルのサブキャリアの直交性を損なうことによって、位相雑音によって引き起こされ、異なる影響、すなわち、図２の円Ｂによって示される影響を、１つのＯＦＤＭの異なるサブキャリアに対して及ぼし、それによって、変調コンステレーションシンボルポイントの雲のような分散を引き起こす。サブキャリア間隔が１５ｋＨｚより大きい場合、システムパフォーマンスに対するＩＣＩの影響は通常、無視されることができ、システム設計時には、位相雑音に起因するＣＰＥ影響が、主として考慮される。
【０００４】
現在、高周波システムでは、チャネル状態情報（Ｃｈａｎｎｅｌ  Ｓｔａｔｅ  Ｉｎｆｏｒｍａｔｉｏｎ、ＣＳＩ）の推定に以下の２つの参照信号が使用され得る。
【０００５】
１．サウンディング参照信号（Ｓｏｕｎｄｉｎｇ  Ｒｅｆｅｒｅｎｃｅ  Ｓｉｇｎａｌ、ＳＲＳ）
【０００６】
ＳＲＳは、アップリンクチャネル品質の推定に使用される。ネットワーク側のスケジューラは、端末の物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）の送信のために、良好な過渡的チャネル状態でリソースブロック（Ｒｅｓｏｕｒｃｅ  Ｂｌｏｃｋ、ＲＢ）を割り当てるために、アップリンクチャネル品質に基づいてスケジューリングを実行する必要がある。さらに、ネットワーク側のスケジューラは、過渡的チャネル状態が良いか悪いかに応じて、異なる送信パラメータ、たとえば、符号化率、変調序列、およびマルチアンテナ送信に関連する異なるパラメータを選択することも必要である。
【０００７】
周波数ドメインでは、ＳＲＳ送信は、スケジューラが関心を有する周波数帯域をカバーしなければならない。これは、図３Ａに示されるように、２つの方法で実現され得る。ａ．目的の周波数帯域全体をカバーするために、十分な周波数ドメインスパンを持つ１つの「広帯域ＳＲＳ」が送られる。ｂ．周波数ホッピングを実現するために、複数の「狭帯域ＳＲＳ」が、複数のシンボルで送られ、次いで、送られた一連のＳＲＳが結合される。このようにして、対象の周波数帯域全体がカバーされることができ、様々なシンボル上の「狭帯域ＳＲＳ」には、周波数ドメインにおいてサブキャリアの重複がない。
【０００８】
異なる端末が、同じリソースブロックセット上でＳＲＳを送ってもよく、これらのＳＲＳは、異なる「コーム（comb）」によって区別されてもよい。図３Ｂに示されているように、実線部分におけるサブキャリアが１つの端末のＳＲＳ送信に使用され、破線部分のサブキャリアが他の端末のＳＲＳ送信に使用されることができる。さらに、リソース多重化を実現するために、異なる端末によって送信されるＳＲＳの直交性を確保するために、複数の端末に対して異なるサイクリックシフト（Ｃｙｃｌｉｃ  Ｓｈｉｆｔ）がさらに使用されてもよい。サイクリックシフトを通して、複数の端末が、同じ時間−周波数リソース、つまり同じ「コーム」を使用してＳＲＳを送って、ＳＲＳの直交性を確保してもよい。図３Ｃに示されるように、端末１および端末２は、異なるサイクリックシフトを使用することによって時間−周波数リソースを共有し、それによってＳＲＳの直交性を保持している。
【０００９】
しかしながら、高周波位相雑音のコヒーレンス時間は短く、各ＯＦＤＭシンボル上で、位相雑音によって引き起こされる位相エラーは変動する。既存のＳＲＳ周波数ホッピングでは、複数のＯＦＤＭシンボル上でのサブバンドＳＲＳを一緒に使用してＣＳＩを推定する必要があり、異なるシンボルのＳＲＳを使用して推定されたＣＳＩは異なる位相偏差を持ち、不正確なＣＳＩ推定を引き起こす。さらに、異なるシンボル間の相対位相偏差を推定するには、基準として共通チャネルを使用する必要がある。しかしながら、周波数ホッピング用の狭帯域ＳＲＳは、オーバーラップの無いサブバンド上に分散され、サブバンドのチャネルは互いに異なる。したがって、シンボル間の相対位相偏差は、オーバーラップの無い周波数帯域のロケーションにおける狭帯域ＳＲＳを使用することによって、推定することはできない。
【００１０】
２．チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ‐ＲＳ）。
【００１１】
ＣＳＩ−ＲＳは、主としてチャネル品質フィードバックに使用される。ＣＳＩ‐ＲＳは、複数のＯＦＤＭシンボル上で送られる。たとえば、図４に示すように、ＬＴＥでは、異なるアンテナポート（たとえば、ポート１７およびポート１８）のＣＳＩ−ＲＳは、すべてシンボル７および８上で送信され、時間ドメインＯＣＣ（Ｏｒｔｈｏｇｏｎａｌ  Ｃｏｖｅｒ  Ｃｏｄｅ、直交カバーコード）を使用して区別される。ＯＣＣは、符号分割多重化（Ｃｏｄｅ  Ｄｉｖｉｓｉｏｎ  Ｍｕｌｔｉｐｌｅｘｉｎｇ、ＣＤＭ）モードに適用される。代替的に、ＣＳＩ−ＲＳ用の複数のアンテナポートが、周波数ドメインにおいて符号分割の対象となる。しかしながら、複数のＯＦＤＭシンボルは、ＣＳＩ推定中に、やはり一緒に使用される必要がある。この場合、位相雑音により、異なるシンボル上で異なる位相偏向が生じて、不正確なＣＳＩ推定を引き起こす。
【００１２】
ＣＳＩ‐ＲＳが時間ドメインで符号分割の対象である場合、少なくとも２つのアンテナポートのＣＳＩ‐ＲＳが、１つの時間−周波数リソース要素（ＲＥ）上で送られ、受信端で受信されるＣＳＩ‐ＲＳ信号は、チャネルを通過した少なくとも２つのアンテナポートによって送られた信号の重ね合わせの結果である。直交カバーコードのため、異なるシンボル上でのチャネルは、直交カバーコードを乗算して得られる重ね合わせ値であり、少なくとも２つのアンテナポート上のシンボルがその上で送信されるチャネルと、異なるシンボル上でのチャネルとは完全に異なる。したがって、相対位相エラー値は、時間ドメインでコード分割の対象となるＣＳＩ−ＲＳを使用することによっては、推定され得ない。複数のＣＳＩ−ＲＳのアンテナポートが周波数ドメインで周波数分割され、ＣＳＩを推定するのに、複数のシンボル上でのＣＳＩ−ＲＳが、一緒に使用される必要がある場合には、異なるアンテナポートが、異なるシンボル上のＣＳＩ−ＲＳに対して使用されるので、通常、異なるアンテナポート上のシンボルは異なるチャネルを介して送信されると考えられる。したがって、位相雑音推定のための基準としての役割を果たす共通チャネルはなく、言い換えると、位相雑音によりもたらされる位相偏差を推定することもできない。
【発明の概要】
【００１３】
本出願は、チャネル状態推定の精度を向上させるための、参照信号送信方法、装置およびシステムを提供する。
【００１４】
第１の態様によれば、本出願は、参照信号送信方法を提供する。この方法は、端末によって、第１の参照信号および第２の参照信号をネットワークデバイスに送るステップ、およびそれに対応して、ネットワークデバイスによって、端末によって送られた第１の参照信号および第２の参照信号を受信するステップを含み得る。
【００１５】
具体的には、第１の参照信号は、複数のシンボルにマッピングされて、チャネル状態情報の推定に使用される。第２の参照信号は、複数のシンボルのうちの少なくとも２つにマッピングされて、位相追跡に使用されてもよい。第２の参照信号が少なくとも２つのシンボルの１つの上で、マッピングされているサブキャリアは、第２の参照信号が少なくとも２つのシンボルの残りの上で、マッピングされているサブキャリアと同じ周波数ドメインロケーションを有する。
【００１６】
第１の態様において記載された方法の実現により、複数のシンボルにおけるシンボル間の相対位相エラーは、第２の参照信号を利用することによって、同じ周波数ドメインロケーションに対応するサブキャリアについて計算され、それによってＣＳＩ推定の精度を向上させることができることが理解することができる。
【００１７】
第１の態様では、第１の参照信号は、サウンディング参照信号ＳＲＳであってもよく、第２の参照信号は、位相追跡（ＰＴ‐ＲＳ）に使用されるアップリンク参照信号であってもよい。
【００１８】
第１の態様に関し、第２の参照信号は、以下のいくつかのリソースマッピング方式に対応していてもよい。
【００１９】
第１のリソースマッピング方式では、第２の参照信号がマッピングされているサブキャリアは、周波数ドメインにおいて第１の参照信号のサブバンドに隣接する。具体的には、ＰＴ−ＲＳは、ＳＲＳサブバンドの一端または両端にマッピングされてもよい。
【００２０】
具体的には、ＰＴ−ＲＳは、ＳＲＳサブバンドの最初のｍ個（ｍは正の整数）のサブキャリアにマッピングされるか、ＳＲＳサブバンドの最後のｎ個（ｎは正の整数）のサブキャリアにマッピングされるか、またはＳＲＳサブバンドの最初のｍ個のサブキャリアと最後のｎ個のサブキャリアにマッピングされる。ここで、ｍとｎは等しくても、等しくなくてもよい。
【００２１】
具体的には、ＰＴ−ＲＳに対するリソースマッピング規則は、それに限定はされないが、以下に要約される。ＳＲＳサブバンドが端末の処理帯域幅の最低周波数ドメインロケーションにある場合には、ＰＴ−ＲＳは、ＳＲＳサブバンドの最後のｎ個のサブキャリアにマッピングされてもよく、ＳＲＳサブバンドが端末の処理帯域幅の最高周波数ドメインロケーションにある場合には、ＰＴ−ＲＳはＳＲＳサブバンドの最初のｍ個のサブキャリアにマッピングされてもよく、ＳＲＳサブバンドが端末の処理帯域幅の中間周波数ドメインロケーションにある場合には、ＰＴ−ＲＳは、ＳＲＳサブバンドの最初のｍ個のサブキャリアにマッピングされるか、またはＳＲＳの最後のｎ個のサブキャリアにマッピングされてもよい。本明細書において、端末の処理帯域幅は、ネットワークデバイスによって端末に割り当てられた、合計のサウンディング参照信号周波数ホッピング帯域幅、すなわち、ネットワークデバイスが、端末にサウンディングを実現することをそれに対して要求する、チャネルの合計帯域幅である。
【００２２】
具体的には、第２の参照信号のリソースロケーションは、第１の参照信号のリソースロケーションによって決定されてもよい。この決定ポリシーは、プロトコルによって事前定義されてもよく、または高位レイヤシグナリング（たとえば、ＲＲＣシグナリング）またはＰＤＣＣＨシグナリングを配信することによってネットワークデバイスにより構成されてもよい。
【００２３】
いくつかの実施形態では、複数の端末が同時にＳＲＳを送信する必要がある場合には、複数の端末は、異なるサイクリックシフト値を使用して、端末によって送信されるＳＲＳの直交性を確保してもよい。同様に、複数の端末によって送信されるＰＴ−ＲＳの直交性を確保するために、ＳＲＳに対するのと同じサイクリックシフト値が、ＰＴ−ＲＳに対して使用されてもよい。さらに、ＰＴ−ＲＳおよびＳＲＳに対して、同じ「コーム」パターンが使用されてもよい、つまり、ＰＴ−ＲＳとＳＲＳが、同じコーム間隔に対応している。
【００２４】
第１のリソースマッピング方式の実現によって、ＰＴ−ＲＳがマッピングされているサブキャリアは、周波数ドメインにおいてＳＲＳサブバンドに隣接しており、少なくとも２つのシンボルの１つの上でＰＴ−ＲＳがマッピングされているサブキャリアは、少なくとも２つのシンボルの残りの上でＰＴ−ＲＳがマッピングされているサブキャリアと同じ周波数ドメインロケーションを有するので、ＳＲＳ周波数ホッピング期間におけるシンボル間の相対位相エラーは、ＰＴ−ＲＳを活用することにより、この同じ周波数ドメインロケーションにおいて計算され、それによってＣＳＩ推定の精度を向上させることができることを理解することができる。
【００２５】
第２のリソースマッピング方式では、第２の参照信号がマッピングされているサブキャリアロケーションは、第２の参照信号がマッピングされているすべてのシンボル上で同じである。つまり、ＰＴ−ＲＳがマッピングされているすべてのシンボル上で、ＰＴ−ＲＳは同じ１つまたは複数のサブキャリアにマッピングされる。具体的には、同じ１つまたは複数のサブキャリアは、周波数ドメインに集中させられてもよく、または離散的に分散されてもよい。
【００２６】
具体的には、ＳＲＳのサイクリックシフト値を使用して、ＰＴ−ＲＳの周波数ドメインロケーションを決定してもよい。具体的には、ＳＲＳのサイクリックシフト値とＰＴ−ＲＳがマッピングされているサブキャリアロケーションの間のマッピング規則は、プロトコルによって事前定義されるか、または指示を出す高位レイヤシグナリング（たとえば、ＲＲＣシグナリング）またはＰＤＣＣＨシグナリングを配信することによってネットワークデバイスにより構成されてもよい。異なるサイクリックシフト値が、異なるサブキャリアロケーションに対応している。
【００２７】
いくつかの可能な実施形態では、ＰＴ‐ＲＳがマッピングされているサブキャリアが、１つ（または複数）のシンボル上でＳＲＳがマッピングされているサブキャリアと同じ周波数ドメインロケーションを有する場合には、ＰＴ‐ＲＳは、１つ（または複数）のシンボルにはマッピングされない。
【００２８】
第２のリソースマッピング方法を実現すると、ＰＴ−ＲＳがマッピングされているサブキャリアロケーションは、ＰＴ−ＲＳがマッピングされているすべてのシンボル上で同じであるため、ＳＲＳ周波数ホッピング期間におけるシンボル間の相対位相エラーは、この同じ周波数ドメインロケーションにおいて計算されて、それによってＣＳＩ推定の精度を向上させることができることを理解することができる。
【００２９】
第１の態様に関し、いくつかの実施形態では、ネットワークデバイスは、端末が第１の参照信号および第２の参照信号をその上で送る時間−周波数リソースを指示するために、リソース構成情報を端末にさらに送ってもよい。
【００３０】
第１の態様に関し、いくつかの実施形態では、第１の参照信号および第２の参照信号に対応するそれぞれのリソースロケーションは、プロトコルによって事前定義されてもよい。したがって、ネットワークデバイスは端末にリソース構成情報を送る必要がない。
【００３１】
第１の態様に関し、いくつかの実施形態では、第１の参照信号に対応するリソースロケーションは、プロトコルによって事前定義されてもよい。リソース構成情報は、第２の参照信号と第１の参照信号の間のリソースマッピング規則を含んでもよい。このようにして、端末は、本出願における第２の参照信号と第１の参照信号の間のリソースマッピング規則に基づいて、第２の参照信号のリソースロケーションを決定することができる。具体的には、第２の参照信号と第１の参照信号の間のリソースマッピング規則は、プロトコルによって事前定義されてもよく、または高位レイヤシグナリングまたはＰＤＣＣＨを使用してネットワークデバイスによって構成されてもよい。リソースマッピング規則がプロトコルによって事前定義されている場合には、ネットワークデバイスは、リソース構成情報を端末に送信する必要がない。
【００３２】
第１の態様に関し、いくつかの実施形態では、リソース構成情報は、第１の参照信号のリソース構成情報と、第２の参照信号と第１の参照信号の間のリソースマッピング規則とを含むことがある。このようにして、端末は、本出願における、第１の参照信号のリソースロケーション、および第２の参照信号と第１の参照信号の間のリソースマッピング規則に基づいて、第２の参照信号のリソースロケーションを決定することができる。具体的には、第２の参照信号と第１の参照信号との間のリソースマッピング規則は、プロトコルによって事前定義されてもよく、または高位レイヤシグナリングまたはＰＤＣＣＨを使用して、ネットワークデバイスによって構成されてもよい。リソースマッピング規則がプロトコルによって事前定義されている場合には、リソース構成情報は、第１の参照信号のリソースロケーション情報のみを含むことがある。
【００３３】
第２の態様によれば、本出願は、参照信号送信方法を提供する。この方法は、ネットワークデバイスによって、第１の参照信号および第２の参照信号を端末に送るステップ、および、それに対応して、ネットワークデバイスによって送られた第１の参照信号および第２の参照信号を、端末によって受信するステップを含み得る。
【００３４】
具体的には、第１の参照信号は複数のシンボルにマッピングされ、チャネル状態情報の推定に使用される。第２の参照信号は、複数のシンボルのうちの少なくとも２つにマッピングされてもよく、位相追跡に使用される。少なくとも２つのシンボルの１つの上で、第２の参照信号がマッピングされているサブキャリアは、少なくとも２つのシンボルの残りの上で、第２の参照信号がマッピングされているサブキャリアと同じ周波数ドメインロケーションを有する。
【００３５】
第２の態様に記載された方法の実現により、複数のシンボルにおけるシンボル間の相対位相エラーは、第２の参照信号を利用することにより、同じ周波数ドメインロケーションに対応するサブキャリア上で計算され、それによってＣＳＩ推定の精度を向上させることができることを理解することができる。
【００３６】
第２の態様において、第１の参照信号は、チャネル状態情報参照信号ＣＳＩ‐ＲＳであって、第２の参照信号は、位相追跡のためのダウンリンク参照信号（ＰＴ‐ＲＳ）であってもよい。
【００３７】
第２の態様に関して、いくつかの実施形態では、ＣＳＩ‐ＲＳは複数のシンボルにマッピングされ、ＰＴ‐ＲＳはＣＳＩ‐ＲＳと同じシンボルにマッピングされてもよい。ＣＳＩ−ＲＳがマッピングされているシンボルの１つの上で、ＰＴ−ＲＳがマッピングされているサブキャリアは、これらのシンボルの残りの上でＰＴ−ＲＳがマッピングされているサブキャリアと、同じ周波数ドメインロケーションに対応していてもよい。具体的には、周波数ドメインでは、ＰＴ−ＲＳがマッピングされているサブキャリアは、ＣＳＩ−ＲＳがマッピングされているサブキャリアに、隣接していても、隣接していなくてもよい。
【００３８】
第２の態様に関し、いくつかの実施形態では、ＰＴ−ＲＳのリソースロケーションはプロトコルによって事前定義されてもよく、または高位レイヤシグナリング（たとえばＲＲＣシグナリング）またはＰＤＣＣＨシグナリングを配信することによって、ネットワークデバイスにより構成されてもよい。
【００３９】
第２の態様に関し、いくつかの実施形態では、ＰＴ‐ＲＳを送るアンテナポートは、ＣＳＩ‐ＲＳを送るアンテナポートの１つまたは複数であるか、またはＰＴ‐ＲＳを送るアンテナポートと、ＣＳＩ−ＲＳを送るアンテナポートとは疑似コロケーションされる。
【００４０】
第２の態様に関し、いくつかの実施形態では、ネットワークデバイスは、端末が第１の参照信号および第２の参照信号をその上で送信する時間−周波数リソースを示すために、リソース構成情報を端末にさらに送ってもよい。
【００４１】
第２の態様に関し、いくつかの実施形態では、第１の参照信号および第２の参照信号に対応するそれぞれのリソースロケーションは、プロトコルによって事前定義されてもよい。したがって、ネットワークデバイスは、リソース構成情報を端末に送信する必要がない。
【００４２】
第２の態様に関し、いくつかの実施形態では、第１の参照信号に対応するリソースロケーションは、プロトコルによって事前定義されてもよい。リソース構成情報は、第２の参照信号と第１の参照信号の間のリソースマッピング規則を含んでもよい。このようにして、端末は、本出願における第２の参照信号と第１の参照信号との間のリソースマッピング規則に基づいて、第２の参照信号のリソースロケーションを決定することができる。具体的には、第２の参照信号と第１の参照信号との間のリソースマッピング規則は、プロトコルによって事前定義されてもよく、または高位レイヤシグナリングまたはＰＤＣＣＨを使用してネットワークデバイスによって構成されてもよい。リソースマッピング規則がプロトコルによって事前定義されている場合、ネットワークデバイスは、リソース構成情報を端末に送信する必要がない。
【００４３】
第２の態様に関し、いくつかの実施形態では、リソース構成情報は、第１の参照信号のリソース構成情報と、第２の参照信号と第１の参照信号の間のリソースマッピング規則とを含んでもよい。このようにして、端末は、本出願における、第１の参照信号のリソースロケーション、および第２の参照信号と第１の参照信号の間のリソースマッピング規則に基づいて、第２の参照信号のリソース位置を決定することができる。具体的には、第２の参照信号と第１の参照信号の間のリソースマッピング規則は、プロトコルによって事前定義されてもよく、または高位レイヤシグナリングまたはＰＤＣＣＨを使用してネットワークデバイスによって構成されてもよい。リソースマッピング規則がプロトコルによって事前定義されている場合には、リソース構成情報は、第１の参照信号のリソースロケーション情報のみを含むことがある。
【００４４】
第３の態様によれば、本出願は、参照信号送信方法を提供する。この方法は、第２の参照信号の時間ドメイン密度と周波数ドメイン密度に基づいて、ネットワークデバイスによって、ユーザによりスケジューリングされた帯域幅内で第２の参照信号に対する時間−周波数リソースを構成し、第２の参照信号および／または第２の参照信号のリソースロケーション情報を端末に送るステップと、対応して、端末によって、ネットワークデバイスによって送られたリソースロケーション情報を受信し、このリソースロケーション情報に基づいて、リソースロケーション情報によって示されたリソース上で第２の参照信号を受信するステップとを含んでもよい。
【００４５】
第４の態様によれば、本出願は参照信号送信方法を提供する。この方法は、第２の参照信号の時間ドメイン密度および周波数ドメイン密度に基づき、ネットワークデバイスによって、ユーザによりスケジューリングされた帯域幅内で第２の参照信号に対する時間−周波数リソースを構成し、任意選択で、ネットワークデバイスによって、第２の参照信号のリソースロケーション情報を端末に送るステップと、対応して、端末によって、ネットワークデバイスによって送られたリソースロケーション情報を受信して、第２の参照信号を、リソースロケーション情報に示されたリソース上でネットワークデバイスに送るステップと、ネットワークデバイスによって、端末によって送られた第２の参照信号を受信するステップとを含んでもよい。
【００４６】
第３の態様または第４の態様に記載の方法の実現により、データ送信の場合に、データ送信中の位相追跡に使用するために第２の参照信号を構成することにより、データ送信の信頼性を向上させることできることを理解することができる。
【００４７】
第３の態様または第４の態様に関し、第２の参照信号がマッピングされているサブキャリアは、リソースブロックの細分性において、ユーザによりスケジューリングされた帯域幅内で均等に分布している。具体的には、第２の参照信号がマッピングされているサブキャリアロケーションは、次の２種類のインデックスを使用して表されてもよい。すなわち、第２の参照信号がマッピングされているリソースブロックのインデックス、および第２の参照信号がマッピングされているリソースブロックにおける第２の参照信号のサブキャリアインデックスである。
【００４８】
第３の態様または第４の態様に関し、いくつかの実施形態では、第２の参照信号がマッピングされているリソースブロック内の第２の参照信号のサブキャリアインデックスを決定する実現形態は、以下を含み得る：
【００４９】
第１の実現形態では、第２の参照信号がマッピングされているリソースブロック内の第２の参照信号のサブキャリアインデックスは、復調参照信号（ＤＭＲＳ）がマッピングされているサブキャリアロケーションに基づいて決定され得る。具体的には、第２の参照信号は、ＤＭＲＳがマッピングされている１つまたは複数のサブキャリアにマッピングされてもよい。
【００５０】
複数のユーザのアンテナポートによって送信されるＤＭＲＳが周波数ドメインにおいて符号分割される場合には、第２の参照信号は、第２の参照信号を送るアンテナポートに対応するＤＭＲＳアンテナポートによって送信されるＤＭＲＳがマッピングされている１つまたは複数のサブキャリアに、マッピングされる。ここで、互いに対応している、第２の参照信号を送信するアンテナポートとＤＭＲＳアンテナポートとによってそれぞれ送られる、第２の参照信号およびＤＭＲＳは、同じサブキャリアロケーションを有する。
【００５１】
互いに対応している、第２の参照信号を送信するアンテナポートとＤＭＲＳアンテナポートは、以下の関係を満たす。ＤＭＲＳアンテナポートは、第２の参照信号を送信するアンテナポートと同じであるか、またはＤＭＲＳアンテナポートと第２の参照信号を送るアンテナポートは疑似コロケーションされる（ＱＣＬ）か、またはＤＭＲＳアンテナポートと第２の参照信号の送るアンテナポートは、同じプリコーディング（precoding）を有する。このようにして、受信端は、ＤＭＲＳアンテナポートとＰＴ−ＲＳアンテナポートの関係に基づいて、どのＰＴ−ＲＳアンテナポートが、位相追跡のためにＤＭＲＳアンテナポートによって使用されるか、およびどのＤＭＲＳアンテナポートによって、位相推定用のＰＴ−ＲＳアンテナポートによって必要とされるチャネル推定が得られるか、を決定することができる。
【００５２】
第２の実現形態において、第２の参照信号がマッピングされているリソースブロックにおける第２の参照信号のサブキャリアインデックスは、セルＩＤに基づいて決定されてもよい。セルＩＤは、
【００５３】
【数１】
2020516134.tif 000003
【００５４】
と表される。
【００５５】
任意選択で、
【００５６】
【数２】
2020516134.tif 000004
【００５７】
と、第２の参照信号がマッピングされているリソースブロックにおける第２の参照信号のサブキャリアインデックスとの間にマッピング関係がある、すなわち、異なる
【００５８】
【数３】
2020516134.tif 000005
【００５９】
は、異なるサブキャリアインデックスに対応していてもよい。このマッピング関係は、プロトコルによって事前定義されている場合もあれば、高位レイヤシグナリング（たとえば、ＲＲＣシグナリング）またはＰＤＣＣＨを使用することによってネットワークデバイスにより構成されてもよい。
【００６０】
任意選択で、第２の参照信号がマッピングされているリソースブロックにおける第２の参照信号のサブキャリアインデックスは、
【００６１】
【数４】
2020516134.tif 000006
【００６２】
として表され、ここで、ａは１より大きい正の整数であって、ａはプロトコルによって事前定義されてもよく、たとえば、ａ＝６が、ＬＴＥにおいて規定されている。
【００６３】
第３の態様または第４の態様に関し、いくつかの実施形態では、時間ドメインにおいて、第２の参照信号は、ユーザに対してスケジューリングされた、アップリンク共有チャネル（ＰＵＳＣＨ）またはダウンリンク共有チャネル（ＰＤＳＣＨ）のいくつかまたはすべてのシンボル上で配信され得る。任意選択で、第２の参照信号の時間ドメイン密度は、以下のものを含んでもよい。第２の参照信号は、ＰＵＳＣＨ（またはＰＤＳＣＨ）のすべてのシンボルに連続的にマッピングされるか、またはＰＵＳＣＨ（またはＰＤＳＣＨ）の２番目のシンボルごとにマッピングされるか、またはＰＵＳＣＨ（またはＰＤＳＣＨ）の４番目のシンボルごとにマッピングされる。
【００６４】
さらに、第２の参照信号がマッピングされている開始シンボルのインデックスは、第２の参照信号の時間ドメイン密度に基づいて以下のように決定されてもよい。
【００６５】
時間ドメイン密度が、第２の参照信号がすべてのシンボルに連続してマッピングされるものである場合には、第２の参照信号の開始シンボルのロケーションは、ユーザに対してスケジューリングされた物理アップリンク共有チャネルまたは物理ダウンリンク共有チャネルの１番目のシンボルであり；時間ドメイン密度が、第２の参照信号が２番目のシンボルごとにマッピングされるものである場合には、第２の参照信号の開始シンボルのロケーションは、ユーザに対してスケジューリングされた物理アップリンク共有チャネルまたは物理ダウンリンク共有チャネルの２番目のシンボルであり；または時間ドメイン密度が、第２の参照信号が４番目のシンボルごとにマッピングされるものである場合には、第２の参照信号の開始シンボルのロケーションは、ユーザに対してスケジューリングされた物理アップリンク共有チャネルまたは物理ダウンリンク共有チャネルの１番目のシンボルである。
【００６６】
第３の態様または第４の態様に関し、いくつかの可能なシナリオでは、第２の参照信号に加えて、別の参照信号、たとえば、ＣＳＩ‐ＲＳ、ＳＲＳ、またはＤＭＲＳも、ユーザによりスケジューリングされた帯域幅にマッピングされて、第２の参照信号と別の参照信号の間でリソース衝突が発生することがある。衝突しているリソース上では、別の参照信号は、ミュートされる、つまりパワーがゼロになることがある。リソースの衝突を回避するために、第２の参照信号のマッピング規則は、以下のいくつかのタイプをさらに含んでもよい。
【００６７】
第１のタイプでは、別の参照信号がマッピングされているリソース要素には、第２の参照信号をマッピングしないか、またはそのリソース要素上で第２の参照信号のパワーがゼロになるか、または第２の参照信号が別の参照信号によってパンクチャリングされる。
【００６８】
第２のタイプでは、別の参照信号がマッピングされているシンボル上では、別の参照信号がマッピングされているサブキャリアに、第２の参照信号をマッピングしない。具体的には、別の参照信号がマッピングされているシンボル上では、第２の参照信号のサブキャリアは、別の参照信号がマッピングされているサブキャリア以外のサブキャリアにマッピングされる。
【００６９】
第３のタイプでは、別の参照信号がマッピングされているサブキャリア上では、第２の参照信号は、ユーザに対してスケジューリングされたＰＵＳＣＨ（またはＰＤＳＣＨ）のシンボルのいずれにもマッピングされない。具体的には、別の参照信号がマッピングされているリソースブロック（ＲＢ）における各シンボル上で、第２の参照信号のサブキャリアは、別の参照信号がマッピングされているサブキャリア以外のサブキャリアにマッピングされる。
【００７０】
第４のタイプでは、第２の参照信号は、別の参照信号がマッピングされているシンボルの隣接するシンボルにマッピングされる。具体的には、ＰＴ−ＲＳは、別の参照信号がマッピングされているシンボルに、先行する１つのシンボルおよび／または後続の１つのシンボルにもマッピングされる。任意選択で、別の参照信号がマッピングされているシンボルの隣接するシンボルへの第２の参照信号のマッピングは、別の参照信号がマッピングされているシンボルのロケーションに基づいて決定される。任意選択で、第２の参照信号のスロットへのマッピングは、別の参照信号がマッピングされているシンボルに基づいて決定される。
【００７１】
第５のタイプでは、第２の参照信号は、別の参照信号がマッピングされているシンボルの隣接するシンボルにマッピングされ、別の参照信号がマッピングされているシンボルの隣接するシンボルは、時間ドメイン基準として使用され、第２の参照信号は、第２の参照信号の時間ドメイン密度に基づいてマッピングされる。任意選択で、別の参照信号がマッピングされているシンボルの隣接するシンボルへの第２の参照信号のマッピングは、別の参照信号がマッピングされているシンボルのロケーションに基づいて決定される、すなわち、時間ドメイン基準は、別の参照信号がマッピングされているシンボルに基づいて決定される。オプションで、スロットへの第２の参照信号のマッピングは、別の参照信号がマッピングされているシンボルに基づいて決定される。
【００７２】
第６のタイプでは、物理ダウンリンク／アップリンク共有チャネルが、別の参照信号がマッピングされているシンボルにマッピングされているかどうかに応じて、第２の参照信号のマッピング規則が決定される。具体的には、物理ダウンリンク／アップリンク共有チャネルが、別の参照信号がマッピングされているシンボルにもマッピングされている場合には、第２または第３のタイプのマッピング規則が、第２参照信号に使用されるか、または、いずれの物理ダウンリンク／アップリンク共有チャネルも、別の参照信号がマッピングされているシンボルにマッピングされていない場合には、第１、第４、または第５タイプのマッピング規則が使用される。
【００７３】
第３の態様または第４の態様に関し、いくつかの実施形態では、別の参照信号がマッピングされているシンボル上で、第２の参照信号が実際にマッピングされているサブキャリアの量は、サブキャリアの計算された量以下であり得る。以下では、別の参照信号がマッピングされているシンボルに、第２の参照信号をマッピングするいくつかの方法を具体的に説明する。
【００７４】
第１の方法では、ＰＵＳＣＨ（またはＰＤＳＣＨ）送信に使用することができる帯域幅内で、別の参照信号がマッピングされているシンボル上で、第２の参照信号がマッピングされているサブキャリアロケーションは、別の参照信号がマッピングされていないシンボル上で、第２の参照信号がマッピングされているサブキャリアロケーションと同じであり得る。
【００７５】
第２の方法では、第２の参照信号が第１のマッピング方法で別の参照信号がマッピングされているシンボルにマッピングされ、ＰＵＳＣＨ（またはＰＤＳＣＨ）送信に使用することができる帯域幅内で、第２の参照信号が実際にマッピングされているサブキャリアの量が、ＰＵＳＣＨ（またはＰＤＳＣＨ）送信に使用することができる帯域幅内で、第２の参照信号がマッピングされている、サブキャリアの必要量未満である場合には、第２の参照信号は、ＰＵＳＣＨ（またはＰＤＳＣＨ）送信に使用することができる帯域幅内で、別のサブキャリアにさらにマッピングされてもよい。
【００７６】
第３の方法において、別の参照信号がマッピングされているシンボル上で、第２の参照信号は、ＰＵＳＣＨ（またはＰＤＳＣＨ）送信に使用することができる帯域幅内で、均等に分布している。シンボル上で、第２の参照信号がマッピングされている、サブキャリアロケーションは、別の参照信号がマッピングされていないシンボル上で第２の参照信号がマッピングされている、サブキャリアロケーションと同じである必要はない。
【００７７】
第３の態様または第４の態様を参照すれば、いくつかの実施形態では、第２の参照信号がマッピングされているシンボルｉ上で、第２の参照信号がマッピングされているサブキャリアの量は、第２の参照信号の周波数ドメイン密度、およびシンボルｉ上で、物理アップリンク共有チャネル送信または物理ダウンリンク共有チャネル送信に使用することができる、帯域幅に基づいて決定され、ここで、ｉ≧０で、ｉは正の整数である。第２の参照信号の周波数ドメイン密度を決定する方法に対しては、後続の内容を参照されたい。ここでは、詳細は説明されない。
【００７８】
第３の態様または第４の態様に関し、時間ドメイン密度は、帯域幅部分（ｂａｎｄｗｉｄｔｈ  ｐａｒｔ、ＢＰ）、ＣＰタイプ、サブキャリア間隔、およびＭＣＳのうちの少なくとも１つに関係し得る。時間ドメイン密度と、帯域幅部分（ｂａｎｄｗｉｄｔｈ  ｐａｒｔ、ＢＰ）、ＣＰタイプ、サブキャリア間隔、およびＭＣＳのうちの少なくとも１つとの対応は、事前定義されるか、または高位レイヤシグナリングを使用して構成されてもよい。
【００７９】
具体的には、各サブキャリア間隔は、１つまたは複数のＭＣＳ閾値に対応していてもよい。２つの隣接するＭＣＳ閾値間のＭＣＳは、同じ時間ドメイン密度に対応している。１つまたは複数のＭＣＳ閾値は、事前定義されるか、または高位レイヤシグナリングを使用して構成されてもよい。
【００８０】
具体的には、異なるサブキャリア間隔が、異なる変調次数閾値（modulation order thresholds）に対応していてもよい。具体的には、変調次数閾値と時間ドメイン密度の間の異なる対応表を、異なるサブキャリア間隔に対して構成してもよい。具体的には、異なるサブキャリア間隔に対応する変調次数閾値は、プロトコルで事前定義されるか、または高位レイヤシグナリング（たとえば、ＲＲＣシグナリング）を使用してネットワークデバイスによって構成されてもよい。
【００８１】
第３の態様または第４の態様に関し、時間ドメイン密度は、帯域幅部分（ｂａｎｄｗｉｄｔｈ  ｐａｒｔ、ＢＰ）、およびＭＣＳのうちの少なくとも１つに関係し得る。時間ドメイン密度とＢＰおよびＭＣＳの少なくとも１つとの対応は、プロトコルによって事前定義されるか、または高位レイヤシグナリングを使用して構成されてもよい。
【００８２】
ＢＰは、周波数ドメインにおけるリソースの連続したセグメントであり得る。たとえば、１つのＢＰはＫ個の連続したサブキャリアを含み、ここで、Ｋは０より大きい整数である。別の例に対しては、１つのＢＰは、Ｎ個のオーバーラップの無い連続した物理リソースブロックＰＲＢがそこに位置する、周波数ドメインリソースであり、ここでＮは、０より大きい整数であり、ＰＲＢのサブキャリア間隔は１５ｋ、３０ｋ、６０ｋ、またはその他のサブキャリア間隔値であってもよい。別の例に対して、１つのＢＰは、Ｎ個のオーバーラップの無い連続した物理リソースブロックＰＲＢ群がそこに位置する、周波数ドメインリソースであり、１つのＰＲＢ群は、Ｍ個の連続したＰＲＢを含み、ここでＭとＮの両方は０より大きい整数であり、ＰＲＢのサブキャリアの間隔は、１５ｋ、３０ｋ、６０ｋ、または他のサブキャリア間隔値であり得る。別の例に対して、端末に対して、ＢＰ長は、端末によってサポートされる最大帯域幅以下である。別の例に対しては、１つのＢＰは、１つまたは複数のサブキャリア間隔に対応している。
【００８３】
具体的には、各ＢＰは１つの群のＭＣＳ閾値に対応し、異なるＭＣＳ閾値は、異なるＰＴ−ＲＳ時間ドメイン密度に対応している。ＭＣＳ閾値は事前定義されるか、または高位レイヤシグナリングを使用して構成されてもよい。
【００８４】
具体的には、変調次数閾値と時間ドメイン密度の間の異なる対応表が、異なるＢＰに対して構成されてもよい。具体的には、異なるＢＰに対応する変調次数閾値は、プロトコルで事前に定義されるか、または高位レイヤシグナリング（たとえば、ＲＲＣシグナリング）を使用してネットワークデバイスによって構成されてもよい。
【００８５】
第３の態様または第４の態様に関し、周波数ドメイン密度は、帯域幅部分（ｂａｎｄｗｉｄｔｈ  ｐａｒｔ、ＢＰ）、ＣＰタイプ、ユーザによりスケジューリングされた帯域幅、サブキャリア間隔、およびＭＣＳのうちの少なくとも１つに関係し得る。周波数ドメイン密度と、ＣＰタイプ、ユーザによりスケジューリングされた帯域幅、サブキャリア間隔、ＭＣＳ、および帯域幅部分（ｂａｎｄｗｉｄｔｈ  ｐａｒｔ、ＢＰ）の少なくとも１つとの対応が事前定義されるか、または高位レイヤシグナリングを使用して構成される。
【００８６】
具体的には、各サブキャリア間隔は１つまたは複数のスケジューリングされた帯域幅ＢＷ閾値に対応してもよく、２つの隣接するＢＷ閾値間のスケジューリングされた帯域幅は、同じ周波数ドメイン密度に対応している。１つまたは複数のＢＷ閾値は、事前に定義されるか、または高位レイヤシグナリングを使用して構成されてもよい。
【００８７】
具体的には、異なるサブキャリア間隔が、異なるスケジューリングされた帯域幅閾値に対応していてもよい。具体的には、スケジューリングされた帯域幅閾値と時間ドメイン密度の間の、異なる対応表が、異なるサブキャリア間隔に対して構成されてもよい。具体的には、異なるサブキャリア間隔に対応するスケジューリングされた帯域幅閾値は、プロトコルで事前定義されるか、または高位レイヤシグナリング（たとえば、ＲＲＣシグナリング）を使用してネットワークデバイスによって構成されてもよい。
【００８８】
具体的には、各ＢＰは、１つの群のスケジューリングされた帯域幅閾値に対応してもよく、異なるスケジューリングされた帯域幅閾値が、異なるＰＴ−ＲＳ周波数ドメイン密度に対応している。スケジューリングされた帯域幅閾値は、事前定義されてもよく、または高位レイヤシグナリングを使用して構成されてもよい。
【００８９】
具体的には、スケジューリングされた帯域幅閾値と周波数ドメイン密度の間の異なる対応表が、異なるＢＰに対して構成されてもよい。具体的には、異なるＢＰに対応するスケジューリングされた帯域幅閾値は、プロトコルによって事前定義されるか、または高位レイヤシグナリング（たとえばＲＲＣシグナリング）を使用してネットワークデバイスによって構成されてもよい。
【００９０】
第５の態様によれば、本出願は、データ送信方法を提供する。この方法は、端末によって、アップリンクＨＡＲＱ−ＡＣＫ、ＲＩ、またはＣＱＩの送信のためのＰＴ−ＲＳの時間ドメイン密度および周波数ドメイン密度に基づいて、符号化されたＨＡＲＱ−ＡＣＫ、ＲＩ、またはＣＱＩに対するレートマッチングを実施し、マッチングの結果として得られる符号化されたデータをネットワークデバイスに送るステップと、それに対応して、ネットワークデバイスによって、端末によって送られた符号化されたデータを受信するステップを含んでもよい。
【００９１】
第５の態様では、第２の参照信号は位相追跡に使用される。符号化データは、ユーザによるスケジューリングされた帯域幅にマッピングされた第２の参照信号の時間ドメイン密度と周波数ドメイン密度に基づいて、符号化データに対するレートマッチングを実施することによって取得される。ユーザによってスケジューリングされた帯域幅内で第２の参照信号によって占有されるリソースの量は、ＰＴ−ＲＳの時間ドメイン密度および周波数ドメイン密度に基づいて決定されてもよい。
【００９２】
具体的には、ＨＡＲＱ−ＡＣＫ、ＲＩ、またはＣＱＩを送信するために使用される符号化された変調シンボルの量の計算のために、第２の参照信号によって占有される時間−周波数リソースが除外される必要があり、符号化された変調シンボルの量Ｑ’は以下のように表され得る：
【００９３】
【数５】
2020516134.tif 000007
【００９４】
ここで、
【００９５】
【数６】
2020516134.tif 000008
【００９６】
は、ユーザのアップリンクスケジューリングされた帯域幅内にあるＰＴ−ＲＳを送信するのに使用されるリソース要素の量を表し、Ｏは、ＨＡＲＱ−ＡＣＫ、ＲＩ、またはＣＱＩを送信するのに使用される符号化ビットの量を表し、
【００９７】
【数７】
2020516134.tif 000009
【００９８】
は、ユーザのアップリンクスケジューリングされた帯域幅内のサブキャリアの量を表し、
【００９９】
【数８】
2020516134.tif 000010
【０１００】
は、初期のアップリンク共有チャネル送信に使用されるシンボルの量を表し、
【０１０１】
【数９】
2020516134.tif 000011
【０１０２】
は、スケジューリングされた帯域幅内での初期アップリング共有チャネル送信に使用されるサブキャリアの量を表し、
【０１０３】
【数１０】
2020516134.tif 000012
【０１０４】
は、アップリンク共有チャネルのオフセットを表し、
【０１０５】
【数１１】
2020516134.tif 000013
【０１０６】
は、Ｃ符号ブロックの符号化ビットの合計量を表す。
【０１０７】
ＰＴ−ＲＳの時間ドメイン密度と周波数ドメイン密度を決定する方法については、第３の態様または第４の態様において記載された内容を参照されたい。ここでは詳細は再度記載されない。
【０１０８】
第６の態様によれば、第１の態様において提供される方法または第１の態様の可能な実現形態のいずれか１つにおいて提供される方法を対応して実施するように構成された複数の機能モジュールを含む、ネットワークデバイスが提供される。
【０１０９】
第７の態様によれば、第１の態様において提供される方法、または第１の態様の可能な実現形態のいずれか１つにおいて提供される方法を対応して実行するように構成された、複数の機能モジュールを含む端末が提供される。
【０１１０】
第８の態様によれば、第１の態様において記載された参照信号送信方法を実施するように構成された、ネットワークデバイスが提供される。無線ネットワークデバイスは、メモリと、メモリに結合されたプロセッサ、送信機、および受信機とを含んでもよい。送信機は、別の無線ネットワークデバイス、たとえば端末に信号を送るように構成されている。受信機は、端末などの別の無線ネットワークデバイスによって送られる信号を受信するように構成されている。メモリは、第１の態様において記載された参照信号送信方法の実装コードを記憶するように構成される。プロセッサは、メモリに記憶されたプログラムコードを実行するように、すなわち、第１の態様において提供される方法、または第１の態様の可能な実現形態のいずれか１つにおいて提供される方法を実施するように構成されている。
【０１１１】
第９の態様によれば、第１の態様において記載された参照信号送信方法を実行するように構成された端末が提供される。端末は、メモリと、メモリに結合された、プロセッサ、送信機、および受信機を含み得る。送信機は、別の無線ネットワークデバイス、たとえばネットワークデバイスに信号を送るように構成されている。受信機は、別の無線ネットワークデバイス、たとえばネットワークデバイスによって送られる信号を受信するように構成されている。メモリは、第１の態様において記載された参照信号送信方法の実装コードを記憶するように構成されている。プロセッサは、メモリに記憶されたプログラムコードを実行するように、すなわち、第１の態様において提供される方法、または第１の態様の可能な実現形態のいずれか１つにおいて提供される方法を実施するように構成されている。
【０１１２】
第１０の態様によれば、第２の態様において提供される方法、または第２の態様の可能な実現形態のいずれか１つにおいて提供される方法を対応して実施するように構成された複数の機能モジュールを含む、ネットワークデバイスが提供される。
【０１１３】
第１１の態様によれば、第２の態様において提供される方法または第２の態様の可能な実現形態のいずれか１つにおいて提供される方法を対応して実施するように構成された複数の機能モジュールを含む、端末が提供される。
【０１１４】
第１２の態様によれば、第２の態様において記載された参照信号送信方法を実施するように構成されたネットワークデバイスが提供される。無線ネットワークデバイスは、メモリと、メモリに結合されたプロセッサ、送信機、および受信機とを含んでもよい。送信機は、別の無線ネットワークデバイス、たとえば端末に、信号を送るように構成されている。受信機は、端末などの別の無線ネットワークデバイスによって送信される信号を受信するように構成されている。メモリは、第２の態様において記載された参照信号送信方法の実装コードを記憶するように構成されている。プロセッサは、メモリに記憶されたプログラムコードを実行するように、すなわち、第２の態様において提供される方法、または第２の態様の可能な実現形態のいずれか１つにおいて提供される方法を実行するように構成されている。
【０１１５】
第１３の態様によれば、第２の態様において記載された参照信号送信方法を実施するように構成された端末が提供される。端末は、メモリと、メモリに結合されたプロセッサ、送信機、および受信機を含んでもよい。送信機は、別の無線ネットワークデバイス、たとえばネットワークデバイスに信号を送信するように構成されている。受信機は、別の無線ネットワークデバイス、たとえばネットワークデバイスによって送られる信号を受信するように構成されている。メモリは、第２の態様において記載された参照信号送信方法の実装コードを記憶するように構成されている。プロセッサは、メモリに記憶されたプログラムコードを実行するように、すなわち、第２の態様において提供される方法または第２の態様の可能な実現形態のいずれか１つにおいて提供される方法を実施するように構成されている。
【０１１６】
第１４の態様によれば、第３の態様において提供された方法または第３の態様の可能な実現形態のいずれか１つにおいて提供される方法を対応して実施するように構成された複数の機能モジュールを含む、ネットワークデバイスが提供される。
【０１１７】
第１５の態様によれば、第３の態様において提供される方法または第３の態様の可能な実現形態のいずれか１つにおいて提供される方法を対応して実施するように構成された複数の機能モジュールを含む、端末が提供される。
【０１１８】
第１６の態様によれば、第３の態様において記載された参照信号送信方法を実施するように構成された、ネットワークデバイスが提供される。無線ネットワークデバイスは、メモリと、メモリに結合されたプロセッサ、送信機、および受信機とを含み得る。送信機は、別の無線ネットワークデバイス、たとえば端末に信号を送るように構成されている。受信機は、端末などの別の無線ネットワークデバイスによって送られる信号を受信するように構成されている。メモリは、第３の態様において記載された参照信号送信方法の実装コードを記憶するように構成されている。プロセッサは、メモリに記憶されたプログラムコードを実行するように、すなわち、第３の態様において提供される方法または第３の態様の可能な実現形態のいずれか１つにおいて提供される方法を実施するように構成されている。
【０１１９】
第１７の態様によれば、第３の態様において記載された参照信号送信方法を実施するように構成された、端末が提供される。端末は、メモリと、メモリに結合されたプロセッサ、送信機、および受信機とを含み得る。送信機は、別の無線ネットワークデバイス、たとえばネットワークデバイスに信号を送るように構成されている。受信機は、ネットワークデバイスなどの別の無線ネットワークデバイスによって送られる信号を受信するように構成されている。メモリは、第３の態様において記載された参照信号送信方法の実装コードを記憶するように構成されている。プロセッサは、メモリに記憶されたプログラムコードを実行するように、すなわち、第３の態様において提供される方法または第３の態様の可能な実現形態のいずれか１つにおいて提供される方法を実施するように構成されている。
【０１２０】
第１８の態様によれば、第４の態様において提供される方法または第４の態様の可能な実現形態のいずれか１つにおいて提供される方法を対応して実施するように構成された複数の機能モジュールを含む、ネットワークデバイスが提供される。
【０１２１】
第１９の態様によれば、第４の態様において提供される方法または第４の態様の可能な実現形態のいずれか１つにおいて提供される方法を対応して実施するように構成された複数の機能モジュールを含む、端末が提供される。
【０１２２】
第２０の態様によれば、第４の態様において記載された参照信号送信方法を実施するように構成されたネットワークデバイスが提供される。無線ネットワークデバイスは、メモリと、メモリに結合されたプロセッサ、送信機、および受信機とを含み得る。送信機は、別の無線ネットワークデバイス、たとえば端末に信号を送るように構成されている。受信機は、端末などの別の無線ネットワークデバイスによって送られる信号を受信するように構成されている。メモリは、第４の態様において記載された参照信号送信方法の実装コードを記憶するように構成される。プロセッサは、メモリに記憶されたプログラムコードを実行するように、すなわち、第４の態様において提供される方法または第４の態様の可能な実現形態のいずれか１つにおいて提供される方法を実施するように構成されている。
【０１２３】
第２１の態様によれば、第４の態様において記載された参照信号送信方法を実施するように構成された端末が提供される。端末は、メモリと、メモリに結合されたプロセッサ、送信機、および受信機を含み得る。送信機は、別の無線ネットワークデバイス、たとえばネットワークデバイスに信号を送信するように構成されている。受信機は、別の無線ネットワークデバイス、たとえばネットワークデバイスによって送られる信号を受信するように構成されている。メモリは、第４の態様において記載された参照信号送信方法の実装コードを記憶するように構成されている。プロセッサは、メモリに記憶されたプログラムコードを実行するように、すなわち、第４の態様において提供される方法または第４の態様において可能な実現形態のいずれか１つにおいて提供される方法を実施するように構成されている。
【０１２４】
第２２の態様によれば、第５の態様または第５の態様の可能な実現形態のいずれか１つにおいて提供される方法を対応して実施するように構成された複数の機能モジュールを含む、ネットワークデバイスが提供される。
【０１２５】
第２３の態様によれば、第５の態様または第５の態様の可能な実現形態のいずれか１つで提供される方法を対応して実施するように構成された複数の機能モジュールを含む、端末が提供される。
【０１２６】
第２４の態様によれば、第５の態様において記載された参照信号送信方法を実施するように構成されたネットワークデバイスが提供される。ネットワークデバイスは、メモリと、メモリに結合されたプロセッサ、送信機、および受信機と含み得る。送信機は、別の無線ネットワークデバイス、たとえば端末に信号を送信するように構成されている。受信機は、端末などの別の無線ネットワークデバイスによって送信された信号を受信するように構成されている。メモリは、第５の態様において記載されたデータ送信方法の実装コードを記憶するように構成されている。プロセッサは、メモリに記憶されたプログラムコードを実行するように、すなわち、第５の態様または第５の態様の可能な実現形態のいずれか１つにおいて提供される方法を実施するように構成されている。
【０１２７】
第２５の態様によれば、第５の態様において記載された参照信号送信方法を実施するように構成された、端末が提供される。端末は、メモリと、メモリに結合されたプロセッサ、送信機、および受信機を含み得る。送信機は、別の無線ネットワークデバイス、たとえばネットワークデバイスに信号を送るように構成されている。受信機は、別の無線ネットワークデバイス、たとえばネットワークデバイスによって送られる信号を受信するように構成されている。メモリは、第５の態様において記載されたデータ送信方法の実装コードを記憶するように構成されている。プロセッサは、メモリに記憶されたプログラムコードを実行するように、すなわち、第５の態様または第５の態様の可能な実装のいずれか１つにおいて提供される方法を実施するように構成されている。
【０１２８】
第２６の態様によれば、通信システムが提供される。通信システムは、ネットワークデバイスおよび端末を含む。
【０１２９】
一実現形態では、ネットワークデバイスは、第６の態様または第８の態様において記載されたネットワークデバイスであってもよく、端末は、第７の態様または第９の態様において記載されたネットワークデバイスであってもよい。
【０１３０】
一実現形態では、ネットワークデバイスは、第１０の態様または第１２の態様において記載されたネットワークデバイスであってもよく、端末は、第１１の態様または第１３の態様において記載されたネットワークデバイスであってもよい。
【０１３１】
一実現形態では、ネットワークデバイスは、第１４の態様または第１６の態様において記載されたネットワークデバイスであってもよく、端末は、第１５の態様または第１７の態様において記載されたネットワークデバイスであってもよい。
【０１３２】
一実現形態では、ネットワークデバイスは、第１８の態様または第２０の態様において記載されたネットワークデバイスであってもよく、端末は、第１９の態様または第２１の態様において記載されたネットワークデバイスであってもよい。
【０１３３】
一実現形態では、ネットワークデバイスは、第２２の態様または第２４の態様において記載されたネットワークデバイスであってもよく、端末は、第２３の態様または第２５の態様において記載されたネットワークデバイスであってもよい。
【０１３４】
第２７の態様によれば、コンピュータ可読記憶媒体が提供される。可読記憶媒体は、第１の態様、第２の態様、第３の態様、第４の態様、または第５の態様において記載された方法を実現するためのプログラムコードを記憶する。プログラムコードは、第１の態様、第２の態様、第３の態様、第４の態様、または第５の態様において記載された方法を実行するための実行可能な命令を含む。
【０１３５】
第２８の態様によれば、
現在アクティブである帯域幅部分ＢＰおよび変調符号化方式ＭＣＳに基づいて位相追跡参照信号ＰＴ−ＲＳの時間ドメイン密度を決定するステップと、
現在アクティブな帯域幅部分ＢＰおよびスケジューリングされた帯域幅ＢＷに基づいてＰＴ−ＲＳの周波数ドメイン密度を決定するステップと、
時間ドメイン密度および周波数ドメイン密度に基づいて、ＰＴ−ＲＳを１つもしくは複数のシンボルにマッピングするか、またはＰＴ−ＲＳを複数のサブキャリアにマッピングするステップと
を含む通信方法が提供される。
【０１３６】
可能な設計において、１つまたは複数のＢＰ値が含まれる。１つもしくは複数の群のＭＣＳ閾値が一部もしくは全部のＢＰに対して構成されているか、または１つもしくは複数の群のＭＣＳ閾値が一部もしくは全部のＢＰ群に対して構成されている。１つもしくは複数のＢＰまたは１つもしくは複数のＢＰ群に対応する１つまたは複数の群のＭＣＳ閾値の構成情報が、高位レイヤシグナリング、たとえば、ＲＲＣシグナリング、ＭＡＣ  ＣＥ、ブロードキャストメッセージ、システムメッセージ、またはその少なくとも２つの組合せを使用することによって送られてもよい。
【０１３７】
可能な設計において、１つまたは複数のＢＰ値が含まれる。事前記憶された情報に基づいて、１つもしくは複数のＢＰに対応する１つもしくは複数の群のＭＣＳ閾値、または１つもしくは複数のＢＰ群に対応する１つもしくは複数の群のＭＣＳ閾値が取得される。
【０１３８】
別の可能な設計において、１つのＢＰ群は、１つまたは複数のＢＰを含み、ＢＰ群内のＢＰは、同じサブキャリア間隔を有するか、またはＢＰ群内のＢＰが同じＮｕｍｅｒｏｌｏｇｙを有する。任意選択で、ＢＰ群内のＢＰ、またはＢＰ群は、サブキャリア間隔に基づいて決定される。任意選択で、ＢＰ群内のＢＰ、またはＢＰ群は、Ｎｕｍｅｒｏｌｏｇｙに基づいて決定される。
【０１３９】
別の可能な設計において、基地局は、１つまたは複数のＢＰ群情報を構成し、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、１つまたは複数のＢＰ群情報を送ってもよい。ＢＰ群情報は、ＢＰ群内における１つまたは複数のＢＰを示すのに使用されてもよい。
【０１４０】
別の可能な設計において、基地局はＢＰグルーピング規則情報を構成し、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、ＢＰグルーピング規則情報を送ってもよい。ＢＰグルーピング規則情報は、ＢＰグルーピング規則を示すために使用されてもよい。任意選択で、グルーピング規則は、同じサブキャリア間隔のＢＰが、１つの群を形成することである。任意選択で、グルーピング規則は、代替的に、同じＮｕｍｅｒｏｌｏｇｙを有するＢＰが１つの群を形成することであってもよい。
【０１４１】
別の可能な設計では、ＢＰに対してＭＣＳ閾値と時間ドメイン密度の間の対応情報が構成されるか、またはＢＰ群に対してＭＣＳ閾値と時間ドメイン密度の間の対応情報が構成される。１つもしくは複数のＢＰまたは１つもしくは複数のＢＰ群に対応する、ＭＣＳ閾値と時間ドメイン密度の間の１つまたは複数の対応の構成情報は、高位レイヤシグナリング、たとえば、ＲＲＣシグナリング、ＭＡＣ  ＣＥ、ブロードキャストメッセージ、システムメッセージ、またはその少なくとも２つの組合せを使用することによって送ってもよい。
【０１４２】
別の可能な設計において、時間ドメイン密度と、ＢＰに対応するＭＣＳ閾値の間の対応情報、または時間ドメイン密度と、ＢＰ群に対応するＭＣＳ閾値の間の対応情報が、事前記憶された情報に基づいて取得される。
【０１４３】
別の可能な設計において、１つまたは複数のＢＰ値が含まれる。１つもしくは複数の群のスケジューリングされた帯域幅閾値が、一部もしくは全部のＢＰに対して構成されるか、または１つもしくは複数の群のスケジューリングされた帯域幅閾値が、一部もしくは全部のＢＰ群に対して構成される。１つもしくは複数のＢＰ、または１つもしくは複数のＢＰ群に対応する、１つまたは複数の群のスケジューリングされた帯域幅閾値の構成情報は、高位レイヤシグナリング、たとえば、ＲＲＣシグナリング、ＭＡＣ  ＣＥ、ブロードキャストメッセージ、システムメッセージ、またはその少なくとも２つの組合せを使用することによって送られてもよい。
【０１４４】
可能な設計においては、１つまたは複数のＢＰ値が含まれる。１つもしくは複数のＢＰに対応する１つもしくは複数の群のスケジューリングされた帯域幅閾値、または１つもしくは複数のＢＰ群に対応する１つもしくは複数の群のスケジューリングされた帯域幅閾値が、事前記憶された情報に基づいて取得される。
【０１４５】
別の可能な設計において、スケジューリングされた帯域幅閾値と周波数ドメイン密度の間の対応情報がＢＰに対して構成されるか、またはスケジューリングされた帯域幅閾値と周波数ドメイン密度の間の対応情報がＢＰ群に対して構成される。１つもしくは複数のＢＰまたは１つもしくは複数のＢＰ群に対応する、スケジューリングされた帯域幅閾値と周波数ドメイン密度の間の、１つまたは複数の対応についての情報の構成情報は、高位レイヤシグナリング、たとえば、ＲＲＣシグナリング、ＭＡＣ  ＣＥ、ブロードキャストメッセージ、システムメッセージ、またはその少なくとも２つの組合せを使用することによって送られてもよい。
【０１４６】
別の可能な設計において、ＢＰに対応する、周波数ドメイン密度とスケジューリングされた帯域幅閾値の間の対応情報、またはＢＰ群に対応する、周波数ドメイン密度とスケジューリングされた帯域幅閾値の間の対応情報が、事前記憶された情報に基づいて取得される。
【０１４７】
別の可能な設計において、複数のＢＰが、高位レイヤシグナリングを使用してピアデバイス（peer device）に対して構成される。ピアデバイスは、端末であってもよい。
【０１４８】
別の可能な設計において、現在アクティブなＢＰを指示するために、ＭＡＣ  ＣＥまたはＤＣＩを使用して、指示情報が送られる。指示情報は、ＢＰの番号情報またはインデックス情報であってもよい。
【０１４９】
別の可能な設計において、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報が、ピアデバイスに対して現在アクティブなＢＰに基づいて決定される。
【０１５０】
別の可能な設計において、ピアデバイスに対して現在アクティブなＢＰに対応する群のＭＣＳ閾値、または、ＭＣＳ閾値と時間ドメイン密度の間の、ピアデバイスに対して現在アクティブなＢＰに対応する対応情報が、ピアデバイスに対して現在アクティブなＢＰがそれに属するＢＰ群に基づいて決定され、
ＰＴ−ＲＳの時間ドメイン密度が、現在スケジューリングされているＭＣＳおよび対応情報に基づいて決定される。
【０１５１】
別の可能な設計において、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報が、ピアデバイスに対して現在アクティブなＢＰに基づいて決定される。
【０１５２】
別の可能な設計において、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報が、ピアデバイスに対して現在アクティブなＢＰがそれに属するＢＰ群に基づいて決定され、
ＰＴ−ＲＳの周波数ドメイン密度は、現在スケジューリングされている帯域幅と対応情報とに基づいて決定される。
【０１５３】
第２８の態様において提供される方法は、基地局または端末によって実施されてもよいことを理解されたい。
【０１５４】
この方法が端末によって実施されるときには、特別な設計がある。詳細は以下の通りである。
【０１５５】
可能な設計において、基地局によって構成された複数の候補ＢＰは、高位レイヤシグナリングを使用して受信される。高位レイヤシグナリングは、ＲＲＣシグナリング、ＭＡＣ  ＣＥ、ブロードキャストメッセージ、システムメッセージ、またはその少なくとも２つの組合せであってもよい。
【０１５６】
別の可能な設計において、シグナリングが基地局から受信される。このシグナリングは、現在アクティブなＢＰを指示するために使用される。このシグナリングは、ＭＡＣ  ＣＥ、またはＤＣＩとすることができる。
【０１５７】
別の可能な設計において、高位レイヤシグナリングが基地局から受信される。このシグナリングは、ＢＰグルーピング規則情報を指示するために使用されるか、または現在アクティブなＢＰがそれに属するＢＰ群を指示するために使用されるか、またはＢＰ群情報を指示するために使用される。高位レイヤシグナリングは、ＲＲＣシグナリング、ＭＡＣ  ＣＥ、ブロードキャストメッセージ、システムメッセージ、またはその少なくとも２つの組合せであってもよい。ＢＰ群情報は、ＢＰ群内の１つまたは複数のＢＰを指示するのに使用される。
【０１５８】
別の可能な設計において、ＢＰ群は、事前定義された、または事前記憶された規則に従って決定される。任意選択で、ＢＰ群は、サブキャリア間隔に基づいて決定され、ＢＰ群内のＢＰは、同じサブキャリア間隔を有する。任意選択で、ＢＰ群は、Ｎｕｍｅｒｏｌｏｇｙに基づいて決定され、ＢＰ群内のＢＰは同じＮｕｍｅｒｏｌｏｇｙを有する。
【０１５９】
別の可能な設計において、ＭＣＳ閾値と時間ドメイン密度の間の対応情報が事前記憶されている。１つもしくは複数のＢＰは、ＭＣＳ閾値と時間ドメイン密度の間の１つもしくは複数の対応について情報に対応しているか、または１つもしくは複数のＢＰ群は、ＭＣＳ閾値と時間ドメイン密度の間の１つもしくは複数の対応に対応している。
【０１６０】
別の可能な設計において、スケジューリングされた帯域幅閾値と周波数ドメイン密度の間の対応情報が事前記憶されている。１つもしくは複数のＢＰが、スケジューリングされた帯域幅閾値と周波数ドメイン密度の間の１つもしくは複数の対応についての情報に対応しているか、または１つもしくは複数のＢＰ群が、スケジューリングされた帯域幅閾値と周波数ドメイン密度の間の１つもしくは複数の対応ついての情報に対応している。
【０１６１】
別の可能な設計において、構成情報が、高位レイヤシグナリングを使用して、基地局から受信される。構成情報は、１つもしくは複数のＢＰに対応する１つもしくは複数の群のスケジューリングされた帯域幅閾値または１つもしくは複数のＢＰ群に対応する１つもしくは複数の群のスケジューリングされた帯域幅閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１６２】
別の可能な設計において、高位レイヤシグナリングを使用して、基地局から構成情報が受信される。構成情報は、１つもしくは複数のＢＰに対応する１つもしくは複数の群のＭＣＳ閾値、または１つもしくは複数のＢＰ群に対応する１つもしくは複数の群のＭＣＳ閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１６３】
別の可能な設計において、高位レイヤシグナリングを使用して、基地局から構成情報が受信される。構成情報は、ＭＣＳ閾値と時間ドメイン密度の間の、１つもしくは複数のＢＰに対応する、１つもしくは複数の対応についての情報、またはＭＣＳ閾値と時間ドメイン密度の間の、１つもしくは複数のＢＰ群に対応する、１つもしくは複数の対応についての情報を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１６４】
別の可能な設計において、高位レイヤシグナリングを使用して、基地局から構成情報が受信される。構成情報は、スケジューリングされた帯域幅閾値と周波数ドメイン密度の間の、１つもしくは複数のＢＰに対応する、１つもしくは複数の対応についての情報、またはスケジューリングされた帯域幅閾値と周波数ドメイン密度の間の、１つもしくは複数のＢＰ群に対応する、１つもしくは複数の対応についての情報を指定するのに使用される。
【０１６５】
別の可能な設計において、端末は、以下の情報の少なくとも１つを事前記憶する。
ＭＣＳ閾値と時間ドメイン密度の間の、１つのＢＰに対応する対応情報、
ＭＣＳ閾値と時間ドメイン密度の間の、１つのＢＰ群に対応する対応情報、
スケジューリングされた帯域幅閾値と周波数ドメイン密度の間の、１つのＢＰに対応する対応情報、および
スケジューリングされた帯域幅閾値と周波数ドメイン密度の間の、１つのＢＰ群に対応する対応情報。
【０１６６】
別の可能な設計において、現在アクティブなＢＰに対応する群のＭＣＳ閾値、またはＭＣＳ閾値と時間ドメイン密度の間の、現在アクティブなＢＰに対応する対応情報が、現在アクティブなＢＰに基づいて決定される。
【０１６７】
別の可能な設計において、現在アクティブなＢＰがそれに属するＢＰ群に基づいて、ＢＰ群に対応する群のＭＣＳ閾値、またはＭＣＳ閾値と時間ドメイン密度の間の、ＢＰ群に対応する対応情報が決定され、
ＰＴ−ＲＳの時間ドメイン密度が、現在スケジューリングされているＭＣＳおよび対応する情報に基づいて決定される。
【０１６８】
別の可能な設計において、現在アクティブなＢＰに対応する群のスケジューリングされた帯域幅閾値、またはスケジューリングされた帯域幅閾値と周波数ドメイン密度の間の、現在アクティブなＢＰに対応する対応情報が、現在アクティブなＢＰに基づいて決定される。
【０１６９】
別の可能な設計において、現在アクティブなＢＰがそれに属するＢＰ群に基づいて、ＢＰ群に対応する群のスケジューリングされた帯域幅閾値、またはスケジューリングされた帯域幅閾値と周波数ドメイン密度の間の、ＢＰ群に対応する対応情報が決定され、
ＰＴ−ＲＳの周波数ドメイン密度が、現在スケジューリングされている帯域幅および対応情報に基づいて決定される。
【０１７０】
第２９の態様によれば、
１つまたは複数のシンボルを受信するステップであって、位相追跡参照信号ＰＴ−ＲＳが１つまたは複数のシンボルにマッピングされているステップと、
現在アクティブな帯域幅部分ＢＰおよび変調次数ＭＣＳに基づいて、ＰＴ−ＲＳの時間ドメイン密度を取得するステップと、
現在アクティブな帯域幅部分ＢＰおよびスケジューリングされた帯域幅ＢＷに基づいて、ＲＴ−ＰＳの周波数ドメイン密度を取得するステップと、
時間ドメイン密度および周波数ドメイン密度に基づいて、１つまたは複数のシンボルからＰＴ−ＲＳを取得するステップと
を含む、通信方法が提供される。
【０１７１】
可能な設計において、ピアデバイスからシグナリングが受信される。このシグナリングは、１つまたは複数のＢＰを指示するのに使用される情報を運ぶ。シグナリングはＲＲＣシグナリングであってもよい。
【０１７２】
別の可能な設計において、ピアデバイスからシグナリングが受信される。このシグナリングは、現在アクティブなＢＰを指定するのに使用される情報を運ぶ。シグナリングは、ＭＡＣ  ＣＥまたはＤＣＩシグナリングとしてもよい。
【０１７３】
別の可能な設計において、ピアデバイスからシグナリングが受信される。このシグナリングは、ＢＰグルーピング規則情報を指示するのに使用されるか、または現在アクティブなＢＰがそれに属するＢＰ群を指示するのに使用されるか、またはＢＰ群情報を指示するのに使用される。
【０１７４】
別の可能な設計において、現在アクティブなＢＰがそれに属するＢＰ群が、事前定義または事前記憶された規則に従って決定される。任意選択で、現在アクティブなＢＰがそれに属するＢＰ群は、サブキャリア間隔に基づいて決定され、ＢＰ群内のＢＰは、同じサブキャリア間隔を有する。任意選択で、現在アクティブなＢＰがそれに属するＢＰ群は、Ｎｕｍｅｒｏｌｏｇｙに基づいて決定され、ＢＰ群内のＢＰは同じＮｕｍｅｒｏｌｏｇｙを有する。
【０１７５】
別の可能な設計において、ＭＣＳ閾値と時間ドメイン密度の間の対応情報が事前記憶される。１つもしくは複数のＢＰが、ＭＣＳ閾値と時間ドメイン密度の間の１つもしくは複数の対応についての情報に対応しているか、または１つもしくは複数のＢＰ群が、ＭＣＳ閾値と時間ドメイン密度の間の１つもしくは複数の対応についての情報に対応している。
【０１７６】
別の可能な設計において、スケジューリングされた帯域幅閾値と周波数ドメイン密度の間の対応情報が、事前記憶される。１つもしくは複数のＢＰが、スケジューリングされた帯域幅閾値と周波数ドメイン密度の間の１つもしくは複数の対応についての情報に対応しているか、または１つもしくは複数のＢＰ群が、スケジューリングされた帯域幅閾値と周波数ドメイン密度の間の１つもしくは複数の対応についての情報に対応している。
【０１７７】
別の可能な設計において、高位レイヤシグナリングを使用して基地局から構成情報が受信される。この構成情報は、１つもしくは複数のＢＰに対応する１つもしくは複数の群のスケジューリングされた帯域幅閾値、または１つもしくは複数のＢＰ群に対応する１つもしくは複数の群のスケジューリングされた帯域幅閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１７８】
別の可能な設計において、高位レイヤシグナリングを使用して基地局から構成情報が受信される。この構成情報は、１つもしくは複数のＢＰに対応する１つもしくは複数の群のＭＣＳ閾値、または１つもしくは複数のＢＰ群に対応する１つもしくは複数の群のＭＣＳ閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１７９】
別の可能な設計において、高位レイヤシグナリングを使用して基地局から構成情報が受信される。この構成情報は、ＭＣＳ閾値と時間ドメイン密度の間の、１つもしくは複数のＢＰに対応する、１つもしくは複数の対応についての情報、またはＭＣＳ閾値と時間ドメイン密度の間の、１つもしくは複数のＢＰ群に対応する、１つもしくは複数の対応についての情報を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０１８０】
別の可能な設計において、高位レイヤシグナリングを使用して基地局から構成情報が受信される。この構成情報は、スケジューリングされた帯域幅閾値と周波数ドメイン密度の間の、１つもしくは複数のＢＰに対応する、１つもしくは複数の対応についての情報、またはスケジューリングされた帯域幅閾値と周波数ドメイン密度の間の、１つもしくは複数のＢＰ群に対応する、１つもしくは複数の対応についての情報を指示するのに使用される。
【０１８１】
別の可能な設計において、端末は、以下の情報の内の少なくとも１つを事前記憶する。
ＭＣＳ閾値と時間ドメイン密度の間の、１つのＢＰに対応する対応情報、
ＭＣＳ閾値と時間ドメイン密度の間の、１つのＢＰ群に対応する対応情報、
スケジューリングされた帯域幅閾値と周波数ドメイン密度の間の、１つのＢＰに対応する対応情報、および
スケジューリングされた帯域幅閾値と周波数ドメイン密度の間の、１つのＢＰ群に対応する対応情報。
【０１８２】
別の可能な設計において、現在アクティブなＢＰに対応する群のＭＣＳ閾値、またはＭＣＳ閾値と時間ドメイン密度の間の、現在アクティブなＢＰに対応する対応情報が、現在アクティブなＢＰに基づいて決定される。
【０１８３】
別の可能な設計において、現在アクティブなＢＰがそれに属するＢＰ群に基づいて、ＢＰ群に対応する群のＭＣＳ閾値、またはＭＣＳ閾値と時間ドメイン密度の間の、ＢＰ群に対応する対応情報が決定され、
ＰＴ−ＲＳの時間ドメイン密度が、現在スケジューリングされているＭＣＳおよび対応情報に基づいて決定される。
【０１８４】
別の可能な設計において、現在アクティブなＢＰに対応する群のスケジューリングされた帯域幅閾値、またはスケジューリングされた帯域幅閾値と周波数ドメイン密度の間の、現在アクティブなＢＰに対応する対応情報が、現在アクティブなＢＰに基づいて決定される。
【０１８５】
別の可能な設計において、現在アクティブなＢＰがそれに属するＢＰ群に基づいて、ＢＰ群に対応する群のスケジューリングされた帯域幅閾値、またはスケジューリングされた帯域幅閾値と周波数ドメイン密度の間の、ＢＰ群に対応する対応情報が決定され、
ＰＴ−ＲＳの周波数ドメイン密度が、現在スケジューリングされている帯域幅および対応情報に基づいて決定され、
ＰＴ−ＲＳの周波数ドメイン密度が、現在スケジューリングされている帯域幅および対応情報に基づいて決定される。
【０１８６】
別の可能な設計において、１つまたは複数のＢＰと、スケジューリングされた帯域幅の間の対応情報、および１つまたは複数のＢＰと、周波数ドメイン密度の間の対応情報が受信される。
【０１８７】
別の可能な設計において、１つまたは複数のＢＰ群と、スケジューリングされた帯域幅の間の対応情報、および１つまたは複数のＢＰ群と、周波数ドメイン密度の間の対応情報が受信される。
【０１８８】
別の可能な設計において、１つまたは複数のＢＰと、ＭＣＳの間の対応情報、および１つまたは複数のＢＰと、時間ドメイン密度の間の対応情報が受信される。
【０１８９】
別の可能な設計において、１つまたは複数のＢＰ群と、ＭＣＳの間の対応情報、および１つまたは複数のＢＰ群と、時間ドメイン密度の間の対応情報が受信される。
【０１９０】
第２９の態様は、端末または基地局によって実施できることを理解されたい。第２０の態様が基地局によって実施されるときには、特別の設計がある。詳細は以下の通りである。
【０１９１】
可能な設計において、１つまたは複数のＢＰ値が含まれる。１つもしくは複数の群のＭＣＳ閾値が、一部もしくは全部のＢＰに対して構成されるか、または１つもしくは複数の群のＭＣＳ閾値が、一部もしくは全部のＢＰ群に対して構成される。１つもしくは複数のＢＰ、または１つもしくは複数のＢＰ群に対応する、１つまたは複数の群のＭＣＳ閾値の構成情報は、高位レイヤシグナリング、たとえば、ＲＲＣシグナリング、ＭＡＣ  ＣＥ、ブロードキャストメッセージ、システムメッセージ、またはその少なくとも２つの組合せを使用することによって、送られてもよい。
【０１９２】
可能な設計において、１つまたは複数のＢＰ値が含まれる。１つもしくは複数のＢＰに対応する、１つもしくは複数の群のＭＣＳ閾値、または１つもしくは複数のＢＰ群に対応する、１つもしくは複数の群のＭＣＳ閾値が、事前記憶された情報に基づいて取得される。
【０１９３】
別の可能な設計において、１つのＢＰ群は、１つまたは複数のＢＰを含み、ＢＰ群内のＢＰは、同じサブキャリア間隔を有するか、またはＢＰ群内のＢＰは、同じＮｕｍｅｒｏｌｏｇｙを有する。任意選択で、ＢＰ群内のＢＰ、またはＢＰ群は、サブキャリア間隔に基づいて決定される。任意選択で、ＢＰ群内のＢＰ、またはＢＰ群は、Ｎｕｍｅｒｏｌｏｇｙに基づいて決定される。
【０１９４】
別の可能な設計において、基地局は、１つまたは複数のＢＰ群情報を構成して、その１つまたは複数のＢＰ群情報を、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、送ってもよい。ＢＰ群情報は、ＢＰ群内の１つまたは複数のＢＰを指示するのに使用されてもよい。
【０１９５】
別の可能な設計において、基地局は、ＢＰグルーピング規則情報を構成して、そのＢＰグルーピング規則情報を、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、送ってもよい。ＢＰグルーピング規則情報は、ＢＰグルーピング規則を指示するのに使用されてもよい。任意選択で、グルーピング規則は、同じサブキャリア間隔を有するＢＰが１つの群を形成することである。任意選択で、グルーピング規則は、代替的に、同じＮｕｍｅｒｏｌｏｇｙを有するＢＰが１つの群を形成することであってもよい。
【０１９６】
別の可能な設計において、ＭＣＳ閾値と時間ドメイン密度の間の対応情報が、ＢＰに対して構成されるか、またはＭＣＳ閾値と時間ドメイン密度の間の対応情報が、ＢＰ群に対して構成される。ＭＣＳ閾値と時間ドメイン密度の間の、１つもしくは複数のＢＰまたは１つもしくは複数のＢＰ群に対応する、１つまたは複数の対応の構成情報は、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、送られてもよい。
【０１９７】
別の可能な設計において、１つまたは複数のＢＰ値が含まれる。１つもしくは複数の群のスケジューリングされた帯域幅閾値が、一部もしくは全部のＢＰに対して構成されるか、または１つもしくは複数の群のスケジューリングされた帯域幅閾値が、一部もしくは全部のＢＰ群に対して構成される。１つもしくは複数のＢＰまたは１つもしくは複数のＢＰ群に対応する、１つまたは複数の群のスケジューリングされた帯域幅閾値の構成情報は、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、送られてもよい。
【０１９８】
可能な設計において、１つまたは複数のＢＰ値が含まれる。１つもしくは複数のＢＰに対応する、１つもしくは複数の群のスケジューリングされた帯域幅閾値、または１つもしくは複数のＢＰ群に対応する、１つもしくは複数の群のスケジューリングされた帯域幅閾値が、事前記憶された情報に基づいて取得される。
【０１９９】
別の可能な設計において、スケジューリングされた帯域幅閾値と周波数ドメイン密度の間の対応情報がＢＰに対して構成されるか、またはスケジューリングされた帯域幅閾値と周波数ドメイン密度の間の対応情報がＢＰ群に対して構成される。１つもしくは複数のＢＰまたは１つもしくは複数のＢＰ群に対応する、スケジューリングされた帯域幅閾値と周波数ドメイン密度の間の、１つまたは複数の対応についての情報の構成情報は、高位レイヤシグナリング、たとえば、ＲＲＣシグナリング、ＭＡＣ  ＣＥ、ブロードキャストメッセージ、システムメッセージ、またはその少なくとも２つの組合せを使用することによって送られてもよい。
【０２００】
別の可能な設計において、複数のＢＰが、高位レイヤシグナリングを使用することによって、端末デバイスに対して構成される。
【０２０１】
別の可能な設計において、現在アクティブなＢＰを指示するために、指示情報が、ＭＡＣ  ＣＥまたはＤＣＩを使用することによって、送られる。指示情報は、ＢＰの番号情報またはインデックス情報としてもよい。
【０２０２】
別の可能な設計において、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報が、ピアデバイスに対して現在アクティブなＢＰに基づいて決定される。
【０２０３】
別の可能な設計において、ピアデバイスに対して現在アクティブなＢＰに対応する群のＭＣＳ閾値、または、ＭＣＳ閾値と時間ドメイン密度の間の、ピアデバイスに対して現在アクティブなＢＰに対応する対応情報が、ピアデバイスに対して現在アクティブなＢＰがそれに属するＢＰ群に基づいて決定され、
ＰＴ−ＲＳの時間ドメイン密度が、現在スケジューリングされているＭＣＳおよび対応情報に基づいて決定される。
【０２０４】
別の可能な設計において、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報が、ピアデバイスに対して現在アクティブなＢＰに基づいて決定される。
【０２０５】
別の可能な設計において、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報が、ピアデバイスに対して現在アクティブなＢＰがそれに属するＢＰ群に基づいて決定され、
ＰＴ−ＲＳの周波数ドメイン密度は、現在スケジューリングされている帯域幅と対応情報とに基づいて決定される。
【０２０６】
第３０の態様によれば、処理ユニットおよび通信ユニットを含む、装置が提供される。
【０２０７】
処理ユニットは、現在アクティブな帯域幅部分ＢＰおよび変調次数ＭＣＳに基づいて、位相追跡参照信号ＰＴ−ＲＳの時間ドメイン密度を決定するとともに、現在アクティブな帯域幅部分ＢＰおよびスケジューリングされた帯域幅に基づいて、ＰＴ−ＲＳの周波数ドメイン密度を決定するように構成されている。
【０２０８】
通信ユニットは、時間ドメイン密度および周波数ドメイン密度に基づいて、ＰＴ−ＲＳを、１つもしくは複数のシンボルにマッピングするか、またはＰＴ−ＲＳを、複数のサブキャリアにマッピングするように構成されている。
【０２０９】
別の可能な設計において、処理ユニットは、１つもしくは複数のＢＰに対して１つもしくは複数の群のＭＣＳ閾値を構成するか、または１つもしくは複数のＢＰ群に対して１つの群のＭＣＳ閾値を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、１つもしくは複数のＢＰまたは１つもしくは複数のＢＰ群に対応する、１つまたは複数の群のＭＣＳ閾値の構成情報を送るようにさらに構成されている。
【０２１０】
別の可能な設計において、処理ユニットは、サブキャリア間隔に基づいてＢＰ群を決定するか、またはＮｕｍｅｒｏｌｏｇｙに基づいてＢＰ群を決定するようにさらに構成されている。
【０２１１】
別の可能な設計において、処理ユニットは、ＢＰ群情報を構成するようにさらに構成されている。ＢＰ群情報は、ＢＰ群内の１つまたは複数のＢＰを指定するのに使用されてもよい。この群情報は高位レイヤシグナリングを使用することによって送られてもよい。高位レイヤシグナリングは、ＲＲＣシグナリング、ＭＡＣ  ＣＥ、ブロードキャストメッセージ、システムメッセージ、またはそれらの少なくとも２つの組合せであってもよい。
【０２１２】
別の可能な設計において、処理ユニットは、ＢＰグルーピング規則情報を構成するようにさらに構成されている。ＢＰグルーピング規則情報は、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、送られてもよい。ＢＰグルーピング規則情報は、ＢＰグルーピング規則を指定するのに使用されてもよい。
【０２１３】
別の可能な設計において、装置は、複数のＢＰをＢＰ群にグルーピングするための規則を記憶するように構成された、記憶ユニットをさらに含む。処理ユニットは、事前記憶された規則に従って、現在のＢＰがそれに属するＢＰ群を決定するようにさらに構成されている。
【０２１４】
別の可能な設計において、処理ユニットは、ＢＰグルーピング規則情報を構成するようにさらに構成されている。
【０２１５】
別の可能な設計において、処理ユニットは、ＢＰに対して、ＭＣＳ閾値と時間ドメイン密度の間の対応情報を構成するか、またはＢＰ群に対して、ＭＣＳ閾値と時間ドメイン密度の間の対応情報を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、ＭＣＳ閾値と時間ドメイン密度の間の、ＢＰまたはＢＰ群に対応する対応情報の構成情報を送るようにさらに構成されている。
【０２１６】
別の可能な設計において、装置は、ＭＣＳ閾値と時間ドメイン密度の間の、ＢＰに対応する対応情報、またはＭＣＳ閾値と時間ドメイン密度の間の、ＢＰ群に対応する対応情報を記憶するように構成された、記憶ユニットをさらに含む。
【０２１７】
別の可能な設計において、処理ユニットは、１つもしくは複数のＢＰに対して、１つもしくは複数の群のスケジューリングされた帯域幅閾値を構成するか、または１つもしくは複数のＢＰ群に対して、１つもしくは複数の群のスケジューリングされた帯域幅閾値を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、１つもしくは複数のＢＰまたは１つもしくは複数のＢＰ群に対応する１つまたは複数の群のスケジューリングされた帯域幅閾値の構成情報を送るようにさらに構成されている。
【０２１８】
別の可能な設計において、処理ユニットは、ＢＰに対して、スケジューリングされた帯域幅閾値と周波数ドメイン密度の間の対応情報を構成するか、または、ＢＰ群に対して、スケジューリングされた帯域幅閾値と周波数ドメイン密度の間の対応情報を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、スケジューリングされた帯域幅閾値と周波数ドメイン密度の間の、ＢＰまたはＢＰ群に対応する、対応の構成情報を送るようにさらに構成されている。
【０２１９】
別の可能な設計において、装置は、ＭＣＳ閾値と時間ドメイン密度の間の、ＢＰに対応する対応情報、またはＭＣＳ閾値と時間ドメイン密度の間の、ＢＰ群に対応する対応情報を記憶するように構成された、記憶ユニットをさらに含む。
【０２２０】
別の可能な設計において、通信ユニットは、高位レイヤシグナリング、たとえば、ＲＲＣシグナリングを使用することによって、ピアデバイスに複数のＢＰを送るようにさらに構成されている。
【０２２１】
別の可能な設計において、通信ユニットは、現在アクティブなＢＰを指示するために、ピアデバイスに指示情報を送るようにさらに構成されている。指示情報は、ＭＡＣ  ＣＥシグナリングまたはＤＣＩであってもよい。
【０２２２】
別の可能な設計において、処理ユニットは、ピアデバイスに対して現在アクティブなＢＰに基づいて、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報、を決定するようにさらに構成されている。
【０２２３】
別の可能な設計において、処理ユニットは、ピアデバイスに対して現在アクティブなＢＰがそれに属するＢＰ群に基づいて、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報、を決定するようにさらに構成されている。
【０２２４】
別の可能な設計において、処理ユニットは、現在スケジューリングされているＭＣＳおよび対応情報に基づいて、ＰＴ−ＲＳの時間ドメイン密度を決定するようにさらに構成されている。
【０２２５】
別の可能な設計において、処理ユニットは、ピアデバイスに対して現在アクティブなＢＰに基づいて、ピアデバイスに対して現在アクティブなＢＰに対応する群のスケジューリングされた帯域幅閾値、または、スケジューリングされた帯域幅閾値と周波数ドメイン密度の間の、ピアデバイスに対して現在アクティブなＢＰに対応する対応情報、を決定するようにさらに構成されている。
【０２２６】
別の可能な設計において、処理ユニットは、ピアデバイスに対して現在アクティブなＢＰがそれに属するＢＰ群に基づいて、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報、を決定するようにさらに構成されている。
【０２２７】
別の可能な設計において、処理ユニットは、現在スケジューリングされている帯域幅および対応情報に基づいて、ＰＴ−ＲＳの周波数ドメイン密度を決定するようにさらに構成されている。
【０２２８】
別の可能な設計において、装置は、端末またはネットワークデバイスである。
【０２２９】
第３０の態様において提供される装置は、基地局または端末でもよいことを理解されたい。
【０２３０】
装置が端末であるとき、特別な設計がある。詳細は以下の通りである。
【０２３１】
可能な設計において、通信ユニットは、高位レイヤシグナリングを使用することによって、基地局によって構成された複数の候補ＢＰを受信するようにさらに構成されている。たとえば、高位レイヤシグナリングは、ＲＲＣシグナリング、ＭＡＣ  ＣＥ、ブロードキャストメッセージ、システムメッセージ、またはそれらの少なくとも２つの組合せである。
【０２３２】
別の可能な設計において、通信ユニットは、基地局からシグナリングを受信するようにさらに構成されている。シグナリングは、現在アクティブなＢＰを指示するのに使用される。シグナリングは、ＭＡＣ  ＣＥまたはＤＣＩであってもよい。
【０２３３】
別の可能な設計において、通信ユニットは、基地局から高位レイヤシグナリングを受信する。このシグナリングは、ＢＰグルーピング規則情報を指示するのに使用されるか、現在アクティブなＢＰがそれに属するＢＰ群を指示するのに使用されるか、またはＢＰ群情報を指示するのに使用される。高位レイヤシグナリングは、ＲＲＣシグナリング、ＭＡＣ  ＣＥ、ブロードキャストメッセージ、システムメッセージ、またはそれらの少なくとも２つの組合せであってもよい。ＢＰ群情報は、ＢＰ群内の１つまたは複数のＢＰを指示するのに使用してもよい。
【０２３４】
別の可能な設計において、装置は、複数のＢＰをＢＰ群にグルーピングするための規則を記憶するように構成された、記憶ユニットをさらに含む。現在のＢＰがそれに属するＢＰ群は、事前記憶された規則に従って決定される。
【０２３５】
別の可能な設計において、装置は、ＭＣＳ閾値と時間ドメイン密度の間の対応情報を記憶するように構成された、記憶ユニットをさらに含む。１つもしくは複数のＢＰが、ＭＣＳ閾値と時間ドメイン密度の間の１つもしくは複数の対応についての情報に対応しているか、または１つもしくは複数のＢＰ群が、ＭＣＳ閾値と時間ドメイン密度の間の１つもしくは複数の対応についての情報に対応している。
【０２３６】
別の可能な設計において、装置は、スケジューリングされた帯域幅閾値と周波数ドメイン密度の間の対応情報を記憶するように構成された、記憶ユニットをさらに含む。１つもしくは複数のＢＰが、スケジューリングされた帯域幅閾値と周波数ドメイン密度の間の１つもしくは複数の対応についての情報に対応しているか、または１つもしくは複数のＢＰ群が、スケジューリングされた帯域幅閾値と周波数ドメイン密度の間の１つもしくは複数の対応ついての情報に対応している。
【０２３７】
別の可能な設計において、通信ユニットは、高位レイヤシグナリングを使用することによって、基地局から構成情報を受信するようにさらに構成されている。構成情報は、１つもしくは複数のＢＰに対応する１つもしくは複数の群のスケジューリングされた帯域幅閾値、または１つもしくは複数のＢＰ群に対応する１つもしくは複数の群のスケジューリングされた帯域幅閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２３８】
別の可能な設計において、通信ユニットは、高位レイヤシグナリングを使用することによって、基地局から構成情報を受信するようにさらに構成されている。構成情報は、１つもしくは複数のＢＰに対応する１つもしくは複数の群のＭＣＳ閾値、または１つもしくは複数のＢＰ群に対応する１つもしくは複数の群のＭＣＳ閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２３９】
別の可能な設計において、通信ユニットは、高位レイヤシグナリングを使用することによって、基地局から構成情報を受信するようにさらに構成されている。構成情報は、ＭＣＳ閾値と時間ドメイン密度の間の、１つもしくは複数のＢＰに対応する、１つもしくは複数の対応についての情報、またはＭＣＳ閾値と時間ドメイン密度の間の、１つもしくは複数のＢＰ群に対応する、１つもしくは複数の対応についての情報を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２４０】
別の可能な設計において、通信ユニットは、高位レイヤシグナリングを使用することによって、基地局から構成情報を受信するようにさらに構成されている。構成情報は、スケジューリングされた帯域幅閾値と周波数ドメイン密度の間の、１つもしくは複数のＢＰに対応する、１つもしくは複数の対応についての情報、またはスケジューリングされた帯域幅閾値と周波数ドメイン密度の間の、１つもしくは複数のＢＰ群に対応する、１つもしくは複数の対応についての情報を指示するのに使用される。
【０２４１】
別の可能な設計において、記憶ユニットは、以下の情報の少なくとも１つを記憶するようにさらに構成されている。
ＭＣＳ閾値と時間ドメイン密度の間の、１つのＢＰに対応する対応情報、
ＭＣＳ閾値と時間ドメイン密度の間の、１つのＢＰ群に対応する対応情報、
スケジューリングされた帯域幅閾値と周波数ドメイン密度の間の、１つのＢＰに対応する対応情報、および
スケジューリングされた帯域幅閾値と周波数ドメイン密度の間の、１つのＢＰ群に対応する対応情報。
【０２４２】
別の可能な設計において、処理ユニットは、現在アクティブなＢＰに基づいて、現在アクティブなＢＰに対応する群のＭＣＳ閾値、またはＭＣＳ閾値と時間ドメイン密度の間の、現在アクティブなＢＰに対応する対応情報、を決定するようにさらに構成されている。
【０２４３】
別の可能な設計において、処理ユニットは、現在アクティブなＢＰがそれに属するＢＰ群に基づいて、ＢＰ群に対応する群のＭＣＳ閾値、またはＭＣＳ閾値と時間ドメイン密度の間の、ＢＰ群に対応する対応情報が決定するようにさらに構成され、
処理ユニットは、現在スケジューリングされているＭＣＳおよび対応情報に基づいて、ＰＴ−ＲＳの時間ドメイン密度を決定するようにさらに構成されている。
【０２４４】
別の可能な設計において、処理ユニットは、現在アクティブなＢＰに基づいて、現在アクティブなＢＰに対応する、群のスケジューリングされた帯域幅閾値、またはスケジューリングされた帯域幅閾値と周波数ドメイン密度の間の、現在アクティブなＢＰに対応する対応情報、を決定するようにさらに構成されている。
【０２４５】
別の可能な設計において、処理ユニットは、現在アクティブなＢＰがそれに属するＢＰ群に基づいて、ＢＰ群に対応する群のスケジューリングされた帯域幅閾値、またはスケジューリングされた帯域幅閾値と周波数ドメイン密度の間の、ＢＰ群に対応する対応情報、を決定するようにさらに構成されているとともに、
処理ユニットは、現在スケジューリングされている帯域幅および対応情報に基づいて、ＰＴ−ＲＳの周波数ドメイン密度を決定するようにさらに構成されている。
【０２４６】
第３１の態様によれば、処理ユニットおよび通信ユニットを含む、装置が提供される。
【０２４７】
通信ユニットは、１つまたは複数のシンボルを受信するように構成され、ここで位相追跡参照信号ＰＴ−ＲＳは、１つまたは複数のシンボルにマッピングされる。
【０２４８】
処理ユニットは、現在の帯域幅部分ＢＰおよび変調次数ＭＣＳに基づいてＰＴ−ＲＳの時間ドメイン密度を取得し、
現在の帯域幅部分ＢＰおよびスケジューリングされた帯域幅に基づいて、ＰＴ−ＲＳの周波数ドメイン密度を取得し、かつ
時間ドメイン密度と周波数ドメイン密度に基づいて、１つまたは複数のシンボルからＰＴ−ＲＳを取得するように構成されている。
【０２４９】
可能な設計において、装置は、ＭＣＳおよび時間ドメイン密度の対応情報表を記憶するように構成された、記憶ユニットをさらに含む。各ＢＰが、１つの対応情報表に対応しているか、または各ＢＰ群が、１つの対応情報表に対応している。
【０２５０】
別の可能な設計において、通信ユニットは、ピアデバイスからシグナリングを受信するようにさらに構成されている。このシグナリングは、１つまたは複数のＢＰを指示するのに使用される情報を運ぶ。
【０２５１】
別の可能な設計において、通信ユニットは、ピアデバイスからシグナリングを受信するようにさらに構成されている。このシグナリングは、現在アクティブなＢＰを指示するのに使用される情報を運ぶ。
【０２５２】
別の可能な設計において、通信ユニットは、ピアデバイスからシグナリングを受信するようにさらに構成されている。このシグナリングは、ＢＰグルーピング規則情報を指示するのに使用されるか、現在アクティブなＢＰがそれに属するＢＰ群を指示するのに使用されるか、またはＢＰ群情報を指示するのに使用される。
【０２５３】
別の可能な設計において、記憶ユニットは、複数のＢＰをＢＰ群にグルーピングするための規則を記憶するように構成されており、処理ユニットは、事前記憶された規則に従って、現在のＢＰがそれに属するＢＰ群を決定するように構成されている。
【０２５４】
別の可能な設計において、記憶ユニットは、ＭＣＳ閾値と時間ドメイン密度の間の対応情報を記憶するように構成されている。１つもしくは複数のＢＰが、ＭＣＳ閾値と時間ドメイン密度の間の１つもしくは複数の対応についての情報に対応しているか、または１つもしくは複数のＢＰ群が、ＭＣＳ閾値と時間ドメイン密度の間の１つもしくは複数の対応についての情報に対応している。
【０２５５】
別の可能な設計において、記憶ユニットは、スケジューリングされた帯域幅閾値と周波数ドメイン密度の間の対応情報を記憶するように構成されている。１つもしくは複数のＢＰが、スケジューリングされた帯域幅閾値と周波数ドメイン密度の間の１つもしくは複数の対応についての情報に対応しているか、または１つもしくは複数のＢＰ群が、スケジューリングされた帯域幅閾値と周波数ドメイン密度の間の１つもしくは複数の対応ついての情報に対応している。
【０２５６】
別の可能な設計において、通信ユニットは、高位レイヤシグナリングを使用することによって、基地局から構成情報を受信するようにさらに構成されている。構成情報は、１つもしくは複数のＢＰに対応する１つもしくは複数の群のスケジューリングされた帯域幅閾値、または１つもしくは複数のＢＰ群に対応する１つもしくは複数の群のスケジューリングされた帯域幅閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２５７】
別の可能な設計において、通信ユニットは、高位レイヤシグナリングを使用することによって、基地局から構成情報を受信するようにさらに構成されている。構成情報は、１つもしくは複数のＢＰに対応する１つもしくは複数の群のＭＣＳ閾値、または１つもしくは複数のＢＰ群に対応する１つもしくは複数の群のＭＣＳ閾値を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２５８】
別の可能な設計において、通信ユニットは、高位レイヤシグナリングを使用することによって、基地局から構成情報を受信するようにさらに構成されている。構成情報は、ＭＣＳ閾値と時間ドメイン密度の間の、１つもしくは複数のＢＰに対応する、１つもしくは複数の対応についての情報、またはＭＣＳ閾値と時間ドメイン密度の間の、１つもしくは複数のＢＰ群に対応する、１つもしくは複数の対応についての情報を指示するのに使用される。高位レイヤシグナリングは、ＲＲＣシグナリング、ＭＡＣ  ＣＥ、ブロードキャストメッセージ、システムメッセージ、またはその少なくとも２つの組合せであってもよい。
【０２５９】
別の可能な設計において、通信ユニットは、高位レイヤシグナリングを使用することによって、基地局から構成情報を受信するようにさらに構成されている。構成情報は、スケジューリングされた帯域幅閾値と周波数ドメイン密度の間の、１つもしくは複数のＢＰに対応する、１つもしくは複数の対応についての情報、またはスケジューリングされた帯域幅閾値と周波数ドメイン密度の間の、１つもしくは複数のＢＰ群に対応する、１つもしくは複数の対応についての情報を指示するのに使用される。
【０２６０】
別の可能な設計において、記憶ユニットは、以下の情報の少なくとも１つを記憶するようにさらに構成されている。
ＭＣＳ閾値と時間ドメイン密度の間の、１つのＢＰに対応する対応情報、
ＭＣＳ閾値と時間ドメイン密度の間の、１つのＢＰ群に対応する対応情報、
スケジューリングされた帯域幅閾値と周波数ドメイン密度の間の、１つのＢＰに対応する対応情報、および
スケジューリングされた帯域幅閾値と周波数ドメイン密度の間の、１つのＢＰ群に対応する対応情報。
【０２６１】
別の可能な設計において、処理ユニットは、現在アクティブなＢＰに基づいて、現在アクティブなＢＰに対応する群のＭＣＳ閾値、またはＭＣＳ閾値と時間ドメイン密度の間の、現在アクティブなＢＰに対応する対応情報、を決定するようにさらに構成されている。
【０２６２】
別の可能な設計において、処理ユニットは、現在アクティブなＢＰがそれに属するＢＰ群に基づいて、ＢＰ群に対応する群のＭＣＳ閾値、またはＭＣＳ閾値と時間ドメイン密度の間の、ＢＰ群に対応する対応情報を決定するようにさらに構成され、
処理ユニットは、現在スケジューリングされているＭＣＳおよび対応情報に基づいて、ＰＴ−ＲＳの時間ドメイン密度を決定するようにさらに構成されている。
【０２６３】
別の可能な設計において、処理ユニットは、現在アクティブなＢＰに基づいて、現在アクティブなＢＰに対応する、群のスケジューリングされた帯域幅閾値、またはスケジューリングされた帯域幅閾値と周波数ドメイン密度の間の、現在アクティブなＢＰに対応する対応情報、を決定するようにさらに構成されている。
【０２６４】
別の可能な設計において、処理ユニットは、現在アクティブなＢＰがそれに属するＢＰ群に基づいて、ＢＰ群に対応する群のスケジューリングされた帯域幅閾値、またはスケジューリングされた帯域幅閾値と周波数ドメイン密度の間の、ＢＰ群に対応する対応情報、を決定するようにさらに構成されているとともに、
処理ユニットは、現在スケジューリングされている帯域幅および対応情報に基づいて、ＰＴ−ＲＳの周波数ドメイン密度を決定するようにさらに構成されている。
【０２６５】
別の可能な設計において、通信ユニットは、１つまたは複数のＢＰとスケジューリングされた帯域幅の間の対応情報、および１つまたは複数のＢＰと周波数ドメイン密度の間の対応情報を受信するようにさらに構成されている。
【０２６６】
別の可能な設計において、通信ユニットは、１つまたは複数のＢＰ群とスケジューリングされた帯域幅の間の対応情報、および１つまたは複数のＢＰ群と周波数ドメイン密度の間の対応情報を受信するようにさらに構成されている。
【０２６７】
別の可能な設計において、通信ユニットは、１つまたは複数のＢＰとＭＣＳの間の対応情報、および１つまたは複数のＢＰと時間ドメイン密度の間の対応情報を受信するようにさらに構成されている。
【０２６８】
別の可能な設計において、通信ユニットは、１つまたは複数のＢＰ群とＭＣＳの間の対応情報、および１つまたは複数のＢＰ群と時間ドメイン密度の間の対応情報を受信するようにさらに構成されている。
【０２６９】
別の可能な設計において、装置は、端末またはネットワークデバイスである。
【０２７０】
第３１の態様において提供される装置は、端末または基地局であってもよいことを理解されたい。装置が基地局であるときには、特別な設計がある。詳細は以下の通りである。
【０２７１】
可能な設計において、処理ユニットは、一部もしくは全部のＢＰに対して１つもしくは複数の群のＭＣＳ閾値を構成するか、または一部もしくは全部のＢＰ群に対する１つもしくは複数の群のＭＣＳ閾値を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはその少なくとも２つの組合せを使用することによって、１つもしくは複数のＢＰ、または１つもしくは複数のＢＰ群に対応する、１つまたは複数の群のＭＣＳ閾値の構成情報を送るようにさらに構成されている。
【０２７２】
可能な設計において、処理ユニットは、事前記憶された情報に基づいて、１つもしくは複数のＢＰに対応する１つもしくは複数の群のＭＣＳ閾値、または１つもしくは複数のＢＰ群に対応する１つもしくは複数の群のＭＣＳ閾値を取得するようにさらに構成されている。
【０２７３】
別の可能な設計において、装置は、複数のＢＰをＢＰ群にグルーピングするための規則を記憶するように構成された、記憶ユニットをさらに含む。処理ユニットは、事前記憶された規則に従って、現在のＢＰがそれに属するＢＰ群を決定するようにさらに構成されている。
【０２７４】
別の可能な設計において、処理ユニットは、基地局に対して、１つまたは複数のＢＰ群情報を構成するようにさらに構成され、通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、１つまたは複数のＢＰ群情報を送るようにさらに構成されている。ＢＰ群情報は、ＢＰ群内の１つまたは複数のＢＰを指示するのに使用されてもよい。
【０２７５】
別の可能な設計において、処理ユニットは、基地局に対して、ＢＰグルーピング規則情報を構成するようにさらに構成され、通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、ＢＰグルーピング規則情報を送るようにさらに構成されている。
【０２７６】
別の可能な設計において、処理ユニットは、ＢＰに対して、ＭＣＳ閾値と時間ドメイン密度の間の対応情報を構成するか、またはＢＰ群に対して、ＭＣＳ閾値と時間ドメイン密度の間の対応情報を構成するように、さらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、ＭＣＳ閾値と時間ドメイン密度の間の、１つもしくは複数のＢＰまたは１つもしくは複数のＢＰ群に対応する、１つまたは複数の対応の構成情報を送るようにさらに構成されている。
【０２７７】
別の可能な設計において、処理ユニットは、一部もしくは全部のＢＰに対して、１つもしくは複数の群のスケジューリングされた帯域幅閾値を構成するか、または一部もしくは全部のＢＰ群に対して、１つもしくは複数の群のスケジューリングされた帯域幅閾値を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはそれらの少なくとも２つの組合せを使用することによって、１つもしくは複数のＢＰまたは１つもしくは複数のＢＰ群に対応する１つまたは複数のスケジューリングされた帯域幅閾値の構成情報を送るようにさらに構成されている。
【０２７８】
別の可能な設計において、処理ユニットは、事前記憶された情報に基づいて、１つもしくは複数のＢＰに対応する、１つもしくは複数の群のスケジューリングされた帯域幅閾値、または１つもしくは複数のＢＰ群に対応する、１つもしくは複数の群のスケジューリングされた帯域幅閾値を取得するようにさらに構成されている。
【０２７９】
別の可能な設計において、処理ユニットは、ＢＰに対して、スケジューリングされた帯域幅閾値と周波数ドメイン密度の間の対応情報を構成するか、または、ＢＰ群に対して、スケジューリングされた帯域幅閾値と周波数ドメイン密度の間の対応情報を構成するようにさらに構成されている。通信ユニットは、高位レイヤシグナリング、たとえば、ＲＲＣシグナリング、ＭＡＣ  ＣＥ、ブロードキャストメッセージ、システムメッセージ、またはその少なくとも２つの組合せを使用することによって、スケジューリングされた帯域幅閾値と周波数ドメイン密度の間の、１つもしくは複数のＢＰまたは１つもしくは複数のＢＰ群に対応する、１つまたは複数の対応についての情報の構成情報を送るようにさらに構成されている。
【０２８０】
別の可能な設計において、基地局は、以下の情報の少なくとも１つを事前記憶する。
ＭＣＳ閾値と時間ドメイン密度の間の、１つのＢＰに対応する対応情報、
ＭＣＳ閾値と時間ドメイン密度の間の、１つのＢＰ群に対応する対応情報、
スケジューリングされた帯域幅閾値と周波数ドメイン密度の間の、１つのＢＰに対応する対応情報、および
スケジューリングされた帯域幅閾値と周波数ドメイン密度の間の、１つのＢＰ群に対応する対応情報。
【０２８１】
別の可能な設計において、通信ユニットは、高位レイヤシグナリングを使用することによって、端末デバイスに対して複数のＢＰを構成するようにさらに構成されている。
【０２８２】
別の可能な設計において、通信ユニットは、現在アクティブなＢＰを指示するために、ＭＡＣ  ＣＥまたはＤＣＩを使用することによって、指示情報を送るようにさらに構成されている。指示情報は、ＢＰの番号情報またはインデックス情報であってもよい。
【０２８３】
別の可能な設計において、処理ユニットは、ピアデバイスに対して現在アクティブなＢＰに基づいて、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報、を決定するようにさらに構成されている。
【０２８４】
別の可能な設計において、処理ユニットは、ピアデバイスに対して現在アクティブなＢＰがそれに属するＢＰ群に基づいて、ピアデバイスに対して現在アクティブなＢＰに対応する群のＭＣＳ閾値、またはＭＣＳ閾値と時間ドメイン密度の間の、ピアデバイスに対して現在アクティブなＢＰに対応する対応情報、を決定するようにさらに構成されているとともに、
処理ユニットは、現在スケジューリングされているＭＣＳおよび対応情報に基づいて、ＰＴ−ＲＳの時間ドメイン密度を決定するようにさらに構成されている。
【０２８５】
別の可能な設計において、処理ユニットは、ピアデバイスに対して現在アクティブなＢＰに基づいて、ピアデバイスに対して現在アクティブなＢＰに対応する群のスケジューリングされた帯域幅閾値、または、スケジューリングされた帯域幅閾値と周波数ドメイン密度の間の、ピアデバイスに対して現在アクティブなＢＰに対応する対応情報、を決定するようにさらに構成されている。
【０２８６】
別の可能な設計において、処理ユニットは、ピアデバイスに対して現在アクティブなＢＰがそれに属するＢＰ群に基づいて、ピアデバイスに対して現在アクティブなＢＰに対応する群のスケジューリングされた帯域幅閾値、またはスケジューリングされた帯域幅閾値と周波数ドメイン密度の間の、ピアデバイスに対して現在アクティブなＢＰに対応する対応情報、を決定するようにさらに構成されているとともに、
処理ユニットは、現在スケジューリングされている帯域幅および対応情報に基づいて、ＰＴ−ＲＳの周波数ドメイン密度を決定するようにさらに構成されている。
【０２８７】
第２８の態様から第３１の態様のいずれか１つを参照すると、周波数ドメイン密度は、０、１／２、１／４、１／８、および１／１６のいずれかの値である。
【０２８８】
第２８の態様から第３１の態様のいずれか１つを参照すると、時間ドメイン密度は、０、１／２、１／４、および１のいずれかの値である。
【図面の簡単な説明】
【０２８９】
本発明の実施形態または背景技術における技術的解決策についてより明らかに説明するために、以下で、本発明の実施形態または背景技術について説明するのに必要な添付の図面について手短に説明する。
【０２９０】
【図１】本出願に関連する位相雑音の概略図である。
【図２】本出願に関連する位相雑音によって引き起こされる位相誤差の概略図である。
【図３Ａ】本出願に関連するサウンディング参照信号のためのリソース構成様式の概略図である。
【図３Ｂ】本出願に関連するサウンディング参照信号のためのリソース構成様式の概略図である。
【図３Ｃ】本出願に関連するサウンディング参照信号のためのリソース構成様式の概略図である。
【図４】本出願に関連するチャネル状態情報参照信号のためのリソース構成様式の概略図である。
【図５】本出願によるワイヤレス通信システムの概略アーキテクチャ図である。
【図６】本出願による端末の概略構造図である。
【図７】本出願によるネットワークデバイスの概略構造図である。
【図８】本出願による時間−周波数リソースの概略図である。
【図９】本出願による参照信号送信方法の概略フローチャートである。
【図１０】本出願による別の参照信号送信方法の概略フローチャートである。
【図１１】本出願によるさらに別の参照信号送信方法の概略フローチャートである。
【図１２】本出願によるチャネル推定に使用される位相追跡参照信号のリソースマッピングの概略図である。
【図１３Ａ】本出願によるチャネル推定に使用される位相追跡参照信号のリソースマッピングの別の概略図である。
【図１３Ｂ】本出願によるチャネル推定に使用される位相追跡参照信号のリソースマッピングの別の概略図である。
【図１４】本出願によるチャネル推定に使用される位相追跡参照信号のリソースマッピングのさらに別の概略図である。
【図１５】本出願によるチャネル推定に使用される位相追跡参照信号のリソースマッピングのさらに別の概略図である。
【図１６】本出願によるチャネル推定に使用される位相追跡参照信号のリソースマッピングのさらに別の概略図である。
【図１７】本出願によるサウンディング参照信号のリソースマッピングの概略図である。
【図１８】本出願によるチャネル状態情報参照信号のリソースマッピングの概略図である。
【図１９】本出願によるデータ送信に使用される位相追跡参照信号のリソースマッピングの概略図である。
【図２０Ａ】本出願による、復調参照信号のリソースロケーションに基づいて位相追跡参照信号のリソースロケーションを決定する概略図である。
【図２０Ｂ】本出願による、復調参照信号のリソースロケーションに基づいて位相追跡参照信号のリソースロケーションを決定する概略図である。
【図２１】本出願による、セル識別に基づいて位相追跡参照信号のリソースロケーションを決定する概略図である。
【図２２】本出願によるいくつかの異なる時間ドメイン密度の下の位相追跡参照信号のリソースマッピングの概略図である。
【図２３Ａ】本出願によるリソース衝突を回避するための位相追跡参照信号のリソースマッピングの概略図である。
【図２３Ｂ】本出願によるリソース衝突を回避するための位相追跡参照信号のリソースマッピングの概略図である。
【図２３Ｃ】本出願によるリソース衝突を回避するための位相追跡参照信号のリソースマッピングの概略図である。
【図２３Ｄ】本出願によるリソース衝突を回避するための位相追跡参照信号のリソースマッピングのいくつかの概略図である。
【図２３Ｅ】本出願によるリソース衝突を回避するための位相追跡参照信号のリソースマッピングのいくつかの概略図である。
【図２３Ｆ】本出願によるリソース衝突を回避するための位相追跡参照信号のリソースマッピングのいくつかの概略図である。
【図２３Ｇ】本出願によるリソース衝突を回避するための位相追跡参照信号のリソースマッピングのいくつかの概略図である。
【図２３Ｈ】本出願によるリソース衝突を回避するための位相追跡参照信号のリソースマッピングのいくつかの概略図である。
【図２３Ｉ】本出願によるリソース衝突を回避するための位相追跡参照信号のリソースマッピングのいくつかの概略図である。
【図２３Ｊ】本出願によるリソース衝突を回避するための位相追跡参照信号のリソースマッピングのいくつかの概略図である。
【図２３Ｋ】本出願によるリソース衝突を回避するための位相追跡参照信号のリソースマッピングのいくつかの概略図である。
【図２３Ｌ】本出願によるリソース衝突を回避するための位相追跡参照信号のリソースマッピングのいくつかの概略図である。
【図２４Ａ】本出願による、別の参照信号がマッピングされている単一のシンボルに位相追跡参照信号をマッピングするためのリソースマッピングの概略図である。
【図２４Ｂ】本出願による、別の参照信号がマッピングされている単一のシンボルに位相追跡参照信号をマッピングするためのリソースマッピングの概略図である。
【図２４Ｃ】本出願による、別の参照信号がマッピングされている単一のシンボルに位相追跡参照信号をマッピングするためのリソースマッピングの概略図である。
【図２５】本出願によるワイヤレス通信システム、端末、およびネットワークデバイスの概略構造図である。
【発明を実施するための形態】
【０２９１】
本出願の実施形態において使用される用語は、本出願の特定の実施形態について説明するのに使用されるにすぎず、本出願を限定することを意図されない。
【０２９２】
図５は、本出願に関連するワイヤレス通信システムを示す。ワイヤレス通信システムは、高周波数帯域において動作することがあり、ロングタームエボリューション（Ｌｏｎｇ  Ｔｅｒｍ  Ｅｖｏｌｕｔｉｏｎ、ＬＴＥ）システムに限定されず、代替として、将来の発展型第５世代（ｔｈｅ  ５ｔｈ  Ｇｅｎｅｒａｔｉｏｎ、５Ｇ）モバイル通信システム、新無線（ＮＲ）システム、マシンツーマシン（Ｍａｃｈｉｎｅ−ｔｏ−Ｍａｃｈｉｎｅ、Ｍ２Ｍ）通信システムなどであり得る。図５に示されているように、ワイヤレス通信システム１０は、１つまたは複数のネットワークデバイス１０１、１つまたは複数の端末１０３、およびコアネットワーク１１５を含み得る。
【０２９３】
ネットワークデバイス１０１は基地局であり得る。基地局は、１つもしくは複数の端末と通信するように構成され得るか、またはいくつかの端末機能（たとえば、マクロ基地局と、アクセスポイントなどのマイクロ基地局の間の通信）とともに提供される１つもしくは複数の基地局と通信するように構成され得る。基地局は、時分割同期符号分割多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムにおける基地トランシーバ局（Ｂａｓｅ  Ｔｒａｎｓｃｅｉｖｅｒ  Ｓｔａｔｉｏｎ、ＢＴＳ）であり得るか、またはＬＴＥシステムにおける発展型ノードＢ（Ｅｖｏｌｕｔｉｏｎａｌ  Ｎｏｄｅ  Ｂ、ｅＮＢ）、もしくは５Ｇシステムもしくは新無線（ＮＲ）システムにおける基地局であり得る。代替として、基地局は、アクセスポイント（Ａｃｃｅｓｓ  Ｐｏｉｎｔ、ＡＰ）、送信ノード（Ｔｒａｎｓ  ＴＲＰ）、中央ユニット（Ｃｅｎｔｒａｌ  Ｕｎｉｔ、ＣＵ）、または別のネットワークエンティティであることがあり、これらのネットワークエンティティの機能の一部または全部を含み得る。
【０２９４】
端末１０３は、ワイヤレス通信システム１００全体において分散されることがあり、固定または移動であり得る。本出願のいくつかの実施形態では、端末１０３は、モバイルデバイス、移動局（ｍｏｂｉｌｅ  ｓｔａｔｉｏｎ）、モバイルユニット（ｍｏｂｉｌｅ  ｕｎｉｔ）、Ｍ２Ｍ端末、無線ユニット、リモートユニット、ユーザエージェント、モバイルクライアントなどであり得る。
【０２９５】
特に、ネットワークデバイス１０１は、ネットワークデバイスコントローラ（図示せず）の制御下で１つまたは複数のアンテナを通して端末１０３と通信するように構成され得る。いくつかの実施形態では、ネットワークデバイスコントローラは、コアネットワーク１１５の一部であり得るか、またはネットワークデバイス１０１に組み込まれ得る。特に、ネットワークデバイス１０１は、バックホール（ｂａｃｋｈａｕｌ）インターフェイス１１３（たとえば、Ｓ１インターフェイス）を通してコアネットワーク１１５に制御情報またはユーザデータを送信するように構成され得る。特に、ネットワークデバイス１０１はまた、バックホール（ｂａｃｋｈａｕｌ）インターフェイス１１１（たとえば、Ｘ２インターフェイス）を通して互いに直接または間接的に通信し得る。
【０２９６】
図５に示されているワイヤレス通信システムは、本出願における技術的解決策についてより明らかに説明することを意図されるにすぎず、本出願を限定することを意図されない。当業者は、ネットワークアーキテクチャの発展および新しいサービスシナリオの出現とともに、本発明の実施形態において提供される技術的解決策が同様の技術的問題にも適用可能であることを知っているであろう。
【０２９７】
図６は、本出願のいくつかの実施形態において提供される端末２００を示す。図６に示されているように、端末２００は、１つまたは複数の端末プロセッサ２０１、メモリ２０２、通信インターフェイス２０３、受信機２０５、送信機２０６、カプラ２０７、アンテナ２０８、ユーザインターフェイス２０２、および（オーディオ入出力モジュール２１０、キー入力モジュール２１１、ディスプレイ２１２などを含む）入出力モジュールを含み得る。これらの構成要素は、バス２０４を使用することによってまたは他の様式で接続され得る。図６は、バスを使用することによってこれらの構成要素が接続される例を示している。
【０２９８】
通信インターフェイス２０３は、別の通信デバイス、たとえば、ネットワークデバイスと通信するために端末２００によって使用され得る。特に、ネットワークデバイスは、図８に示されているネットワークデバイス３００であり得る。特に、通信インターフェイス２０３は、ロングタームエボリューション（ＬＴＥ）（４Ｇ）通信インターフェイスであり得るか、または５Ｇ通信インターフェイスもしくは将来の新無線通信インターフェイスであり得る。ワイヤレス通信インターフェイスに加えて、端末２００は、ワイヤード通信インターフェイス２０３、たとえば、ローカルアクセスネットワーク（Ｌｏｃａｌ  Ａｃｃｅｓｓ  Ｎｅｔｗｏｒｋ、ＬＡＮ）インターフェイスでさらに構成され得る。
【０２９９】
送信機２０６は、端末プロセッサ２０１によって出力された信号に対して、送信処理、たとえば、信号変調を実施するように構成され得る。受信機２０５は、アンテナ２０８によって受信されたモバイル通信信号に対して、受信処理、たとえば、信号復調を実施するように構成され得る。本出願のいくつかの実施形態では、送信機２０６および受信機２０５はワイヤレスモデムと見なされてよい。端末２００中に、１つまたは複数の送信機２０６および受信機２０５があり得る。アンテナ２０８は、送信線中の電磁エネルギーを自由空間中の電磁波に変換するか、または自由空間中の電磁波を送信線中の電磁エネルギーに変換するように構成され得る。カプラ２０７は、アンテナ２０８によって受信されたモバイル通信信号を複数の信号に分割し、それらの信号を複数の受信機２０５に配信するように構成される。
【０３００】
図６に示されている送信機２０６および受信機２０５に加えて、端末２００は、他の通信構成要素、たとえば、ＧＰＳモジュール、ブルートゥース（Ｂｌｕｅｔｏｏｔｈ）モジュール、およびワイヤレスフィデリティ（Ｗｉｒｅｌｅｓｓ  Ｆｉｄｅｌｉｔｙ、Ｗｉ−Ｆｉ）モジュールをさらに含み得る。前述のワイヤレス通信信号に加えて、端末２００は、他のワイヤレス通信信号、たとえば、衛星信号および短波信号をさらにサポートし得る。ワイヤレス通信に加えて、端末２００は、ワイヤード通信をサポートするためにワイヤードネットワークインターフェイス（たとえば、ＬＡＮインターフェイス）でさらに構成され得る。
【０３０１】
入出力モジュールは、端末２００およびユーザまたは外部環境の間の相互作用を実装するように構成されてよく、オーディオ入出力モジュール２１０、キー入力モジュール２１１、ディスプレイ２１２などを主に含み得る。特に、入出力モジュールは、カメラ、タッチスクリーン、センサーなどをさらに含み得る。すべての入出力モジュールは、ユーザインターフェイス２０９を通して端末プロセッサ２０１と通信する。
【０３０２】
メモリ２０２は、端末プロセッサ２０１に結合され、様々なソフトウェアプログラムおよび／または複数の命令を記憶するように構成される。特に、メモリ２０２は、高速ランダムアクセスメモリを含むことがあり、また、不揮発性メモリ、たとえば、１つもしくは複数の磁気ディスク記憶デバイス、フラッシュメモリデバイス、または他の不揮発性ソリッドステート記憶デバイスを含み得る。メモリ２０２は、オペレーティングシステム（以下ではシステムと呼ばれる）、たとえば、Ａｎｄｒｏｉｄ、ｉＯＳ、Ｗｉｎｄｏｗｓ、またはＬｉｎｕｘなどの組込みオペレーティングシステムを記憶し得る。メモリ２０２は、ネットワーク通信プログラムをさらに記憶し得る。ネットワーク通信プログラムは、１つまたは複数の補助デバイス、１つまたは複数の端末デバイス、および１つまたは複数のネットワークデバイスと通信するのに使用され得る。メモリ２０２は、ユーザインターフェイスプログラムをさらに記憶し得る。ユーザインターフェイスプログラムは、グラフィカル動作インターフェイスを使用することによってアプリケーションプログラムのコンテンツを鮮やかに表示し、メニュー、ダイアログボックス、およびキーなどの入力コントロールを使用することによってアプリケーションプログラムに対するユーザの制御動作を受信し得る。
【０３０３】
本出願のいくつかの実施形態では、メモリ２０２は、本出願の１つまたは複数の実施形態において提供されるリソース割振り方法の実装プログラムを端末２００の側に記憶するように構成され得る。本出願の１つまたは複数の実施形態において提供されるリソースマッピング方法の実装については、後続の実施形態を参照されたい。
【０３０４】
端末プロセッサ２０１は、コンピュータ可読命令を読み取り、実行するように構成され得る。特に、端末プロセッサ２０１は、メモリ２１２に記憶されたプログラム、たとえば、端末２００の側で、本出願の１つまたは複数の実施形態において提供されるリソースマッピング方法の実装プログラムを呼び出し、プログラム中に含まれる命令を実行するように構成され得る。
【０３０５】
端末２００は、図５に示されているワイヤレス通信システム１００中の端末１０３であってよく、モバイルデバイス、移動局（ｍｏｂｉｌｅ  ｓｔａｔｉｏｎ）、モバイルユニット（ｍｏｂｉｌｅ  ｕｎｉｔ）、無線ユニット、リモートユニット、ユーザエージェント、モバイルクライアントなどとして実装され得ることが理解できよう。
【０３０６】
図６に示されている端末２００は、本出願のこの実施形態の実装にすぎないことに留意されたい。実際の適用例では、端末２００は、代替としてより多いまたはより少ない構成要素を含んでよい。これは本明細書では限定されない。
【０３０７】
図７は、本出願のいくつかの実施形態において提供されるネットワークデバイス３００を示す。図７に示されているように、ネットワークデバイス３００は、１つまたは複数のネットワークデバイスプロセッサ３０１、メモリ３０２、通信インターフェイス３０３、送信機３０５、受信機３０６、カプラ３０７、およびアンテナ３０８を含み得る。これらの構成要素は、バス３０４を使用することによってまたは他の様式で接続され得る。図７は、バスを使用することによってこれらの構成要素が接続される例を示している。
【０３０８】
通信インターフェイス３０３は、別の通信デバイス、たとえば、端末デバイスまたは別のネットワークデバイスと通信するためにネットワークデバイス３００によって使用され得る。特に、端末デバイスは、図７に示されている端末２００であり得る。特に、通信インターフェイス３０３は、ロングタームエボリューション（ＬＴＥ）（４Ｇ）通信インターフェイスであり得るか、または５Ｇ通信インターフェイスもしくは将来の新無線通信インターフェイスであり得る。ワイヤレス通信インターフェイスに加えて、ネットワークデバイス３００は、ワイヤード通信をサポートするためにワイヤード通信インターフェイス３０３でさらに構成され得る。たとえば、１つのネットワークデバイス３００と別のネットワークデバイス３００の間のバックホールリンクはワイヤレス通信接続であり得る。
【０３０９】
送信機３０５は、ネットワークデバイスプロセッサ３０１によって出力された信号に対して、送信処理、たとえば、信号変調を実施するように構成され得る。受信機３０６は、アンテナ３０８によって受信されたモバイル通信信号に対して、受信処理、たとえば、信号復調を実施するように構成され得る。本出願のいくつかの実施形態では、送信機３０５および受信機３０６はワイヤレスモデムと見なされてよい。ネットワークデバイス３００中に、１つまたは複数の送信機３０５および受信機３０６があり得る。アンテナ３０８は、送信線中の電磁エネルギーを自由空間中の電磁波に変換するか、または自由空間中の電磁波を送信線中の電磁エネルギーに変換するように構成され得る。カプラ３０７は、モバイル通信信号を複数の信号に分割し、それらの信号を複数の受信機３０６に配信するように構成され得る。
【０３１０】
メモリ３０２は、ネットワークデバイスプロセッサ３０１に結合され、様々なソフトウェアプログラムおよび／または複数の命令を記憶するように構成される。特に、メモリ３０２は、高速ランダムアクセスメモリを含むことがあり、また、不揮発性メモリ、たとえば、１つまたは複数の磁気ディスク記憶デバイス、フラッシュメモリデバイス、または別の不揮発性ソリッドステート記憶デバイスを含み得る。メモリ３０２は、オペレーティングシステム（以下ではシステムと呼ばれる）、たとえば、μＣＯＳ、ＶｘＷｏｒｋｓ、またはＲＴＬｉｎｕｘなどの組込みオペレーティングシステムを記憶し得る。メモリ３０２は、ネットワーク通信プログラムをさらに記憶し得る。ネットワーク通信プログラムは、１つまたは複数の補助デバイス、１つまたは複数の端末デバイス、および１つまたは複数のネットワークデバイスと通信するのに使用され得る。
【０３１１】
ネットワークデバイスプロセッサ３０１は、無線チャネルを管理すること、呼を実装すること、通信リンクを確立および除去すること、ローカル制御エリア内のユーザにセルハンドオーバ制御を提供することなどを行うように構成され得る。特に、ネットワークデバイスプロセッサ３０１は、管理モジュール／通信モジュール（Ａｄｍｉｎｉｓｔｒａｔｉｏｎ  Ｍｏｄｕｌｅ／Ｃｏｍｍｕｎｉｃａｔｉｏｎ  Ｍｏｄｕｌｅ、ＡＭ／ＣＭ）（音声チャネル切替えおよび情報交換のために使用されるセンター）、（呼処理、シグナリング処理、無線リソース管理、無線リンク管理、および回線保守機能を実施するように構成された）基本モジュール（Ｂａｓｉｃ  Ｍｏｄｕｌｅ、ＢＭ）、（多重化、逆多重化、およびトランスコーディング機能を実施するように構成された）トランスコーダおよびサブマルチプレクサ（Ｔｒａｎｓｃｏｄｅｒ  ａｎｄ  ＳｕｂＭｕｌｔｉｐｌｅｘｅｒ、ＴＣＳＭ）などを含み得る。
【０３１２】
本出願のこの実施形態では、ネットワークデバイスプロセッサ３０１は、コンピュータ可読命令を読み取り、実行するように構成され得る。特に、ネットワークデバイスプロセッサ３０１は、メモリ３０２に記憶されたプログラム、たとえば、ネットワークデバイス３００の側で、本出願の１つまたは複数の実施形態において提供されるリソースマッピング方法の実装プログラムを呼び出し、プログラム中に含まれる命令を実行するように構成され得る。
【０３１３】
ネットワークデバイス３００は、図５に示されているワイヤレス通信システム１００中の基地局１０１であってよく、基地トランシーバ局、ワイヤレストランシーバ、基本サービスセット（ＢＳＳ）、拡張サービスセット（ＥＳＳ）、ノードＢ、ｅノードＢ、アクセスポイント、ＴＲＰなどとして実装され得ることが理解できよう。
【０３１４】
図７に示されているネットワークデバイス３００は、本出願のこの実施形態の実装にすぎないことに留意されたい。実際の適用例では、ネットワークデバイス３００は、代替としてより多いまたはより少ない構成要素を含んでよい。これは本明細書では限定されない。
【０３１５】
ワイヤレス通信システム１００、端末２００、およびネットワークデバイス３００に対応する実施形態に基づいて、（参照信号を搬送する）複数のシンボルを組み合わせて使用するＣＳＩ推定のために、本出願の実施形態は、ＣＳＩ推定の精度を向上させるためのリソースマッピング方法を提供する。
【０３１６】
本出願の主要な原理は以下を含み得る。ＣＳＩ推定に使用される参照信号が複数のシンボル上で送信されるときに、位相追跡参照信号（Ｐｈａｓｅ  Ｔｒａｃｋｉｎｇ  Ｒｅｆｅｒｅｎｃｅ  Ｓｉｇｎａｌ、ＰＴ−ＲＳ）が挿入される。加えて、位相追跡参照信号は複数のシンボルにもマッピングされ、複数のシンボルの１つの上で、位相追跡参照信号がマッピングされているサブキャリアは、複数のシンボルの残りの上で、位相追跡参照信号がマッピングされているサブキャリアと、同じ周波数ドメインロケーションを有する。このようにして、この同じ周波数ドメインロケーションに対応するサブキャリア上で、位相追跡参照信号は位相追跡に使用され得る。これは、ＣＳＩ推定の精度を向上させるのを助ける。
【０３１７】
本出願で説明されるリソースは、時間−周波数リソースであり、時間ドメインリソースおよび周波数ドメインリソースを含み、リソース要素（Ｒｅｓｏｕｒｃｅ  Ｅｌｅｍｅｎｔ、ＲＥ）、リソースブロック（Ｒｅｓｏｕｒｃｅ  Ｂｌｏｃｋ、ＲＢ）、シンボル（ｓｙｍｂｏｌ）、サブキャリア（ｓｕｂｃａｒｒｉｅｒ）、または送信時間間隔（Ｔｒａｎｓｍｉｓｓｉｏｎ  Ｔｉｍｅ  Ｉｎｔｅｒｖａｌ、ＴＴＩ）を使用することによって通常表される。図８に示されているように、システム全体のリソースは、周波数ドメインおよび時間ドメインにおける分割から得られるグリッドを含む。１つのグリッドは１つのＲＥを表し、１つのＲＥは、周波数ドメイン中に１つのサブキャリアを、および時間ドメイン中に１つのシンボルを含む。１つのＲＢは、時間ドメイン中にＴ個（Ｔは正の整数である）の連続するシンボルを、および周波数ドメイン中にＭ個（Ｍは正の整数である）の連続するサブキャリアを含む。たとえば、ＬＴＥでは、Ｔ＝７、およびＭ＝１２である。
【０３１８】
本出願において提供される添付の図面は、本発明の実施形態について説明することを意図されるにすぎず、リソースブロックのサイズ、リソースブロック中に含まれるシンボルおよびサブキャリアの量などは、将来の通信規格では異なり得ることに留意されたい。本出願で説明されるリソースブロックは、添付の図面に示されているものに限定されない。
【０３１９】
本出願では、ＣＳＩ推定に使用される参照信号は第１の参照信号と呼ばれることがあり、位相追跡参照信号は第２の参照信号と呼ばれることがある。特に、第１の参照信号は、ＣＳＩ推定に使用されるダウンリンク参照信号、たとえば、ＣＳＩ−ＲＳであり得る。第１の参照信号は、代替として、ＣＳＩ推定に使用されるアップリンク参照信号、たとえば、ＳＲＳであり得る。ＳＲＳおよびＣＳＩ−ＲＳという、これら２つの参照信号に加えて、ＣＳＩ推定に使用されることが可能な別の参照信号、たとえば、セル固有参照信号（Ｃｅｌｌ−ｓｐｅｃｉｆｉｃ  Ｒｅｆｅｒｅｎｃｅ  Ｓｉｇｎａｌ、ＣＲＳ）も、本出願においてＣＳＩ推定に使用される参照信号である。
【０３２０】
本出願の実施形態は、高周波数帯域においてチャネル測定またはデータ送信のために複数のシンボルが組み合わせて使用される必要がある将来および他のシナリオにも適用可能であることに留意されたい。
【０３２１】
図９は、本出願において提供される参照信号送信方法を示す。詳細について以下で説明される。
【０３２２】
Ｓ１０１。ネットワークデバイスが、第１の参照信号および第２の参照信号の各々に対応するそれぞれのリソースを構成し、第１の参照信号が、複数のシンボルにマッピングされ、第２の参照信号が、それらの複数のシンボルの少なくとも２つにマッピングされ、第２の参照信号がマッピングされているサブキャリアが、同じ周波数ドメインロケーションを有する。
【０３２３】
Ｓ１０３。ネットワークデバイスがリソースロケーション情報を端末に送る。対応して、端末はリソース構成情報を受信する。リソース構成情報は、端末が第１の参照信号および第２の参照信号をその上で受信する（または送る）時間−周波数リソースを指示するのに使用される。
【０３２４】
Ｓ１０５。ネットワークデバイスおよび端末が、第１の参照信号および第２の参照信号を使用することによって位相追跡およびＣＳＩ推定を実施する。
【０３２５】
本出願の実装では、第１の参照信号は、ＣＳＩ推定に使用されるアップリンク参照信号、たとえば、ＳＲＳであってよく、第２の参照信号は、位相追跡に使用されるアップリンク参照信号（ＰＴ−ＲＳ）であってよい。特に、図１０に示されているように、ステップＳ１０５は以下のように実装され得る。
【０３２６】
ステップ１。端末が、リソース構成情報に基づいて第１の参照信号および第２の参照信号を送る。この場合、第２の参照信号は、位相追跡に使用されるアップリンクＰＴ−ＲＳであり得る。
【０３２７】
ステップ２。対応して、ネットワークデバイスが、端末によって送られた第１の参照信号および第２の参照信号を受信する。
【０３２８】
ステップ３。ネットワークデバイスが、第１の参照信号および第２の参照信号を使用することによって位相追跡およびＣＳＩ推定を実施する。特に、ネットワークデバイスは、この同じ周波数ドメインロケーションに対応するサブキャリア上で、第２の参照信号を活用することによって複数のシンボルの間の相対位相誤差値を推定し、それにより、ＣＳＩ推定の精度を向上させ得る。
【０３２９】
本出願の別の実装では、第１の参照信号は、ＣＳＩ推定に使用されるダウンリンク参照信号、たとえば、ＣＳＩ−ＲＳであってよく、第２の参照信号は、位相追跡のためのダウンリンク参照信号（ＰＴ−ＲＳ）であってよい。特に、図１１に示されているように、ステップＳ１０５は以下のように実装され得る。
【０３３０】
ステップ１。ネットワークデバイスが、第１の参照信号および第２の参照信号を端末に送る。この場合、第２の参照信号は、位相追跡に使用されるダウンリンクＰＴ−ＲＳであり得る。
【０３３１】
ステップ２。対応して、端末が、リソース構成情報に基づいて第１の参照信号および第２の参照信号を受信する。
【０３３２】
ステップ３。端末が、第１の参照信号および第２の参照信号を使用することによって位相追跡およびＣＳＩ推定を実施する。特に、端末は、この同じ周波数ドメインロケーションに対応するサブキャリア上で、第２の参照信号を活用することによって複数のシンボルの間の相対位相誤差値を推定し、それにより、ＣＳＩ推定の精度を向上させ得る。
【０３３３】
いくつかの実施形態では、第１の参照信号が、ＣＳＩ推定に使用されるダウンリンク参照信号であるときには、第２の参照信号を送るアンテナポートは、第１の参照信号を送るアンテナポートの１つもしくは複数であり得るか、または第２の参照信号を送るアンテナポートおよび第１の参照信号を送るアンテナポートは、疑似コロケーションされ（Ｑｕａｓｉ−Ｃｏｌｌｏｃａｔｅｄ、ＱＣＬ）得る。したがって、第１の参照信号を送るポートと第２の参照信号を送るポートの間の対応は、ポート番号または疑似コロケーション情報を使用することによって指示されることがあり、受信端部は、その対応に基づいて、第２の参照信号を送るどの特定のアンテナポートが、第１の参照信号を送るアンテナポートの位相誤差の推定に使用されることが可能であるかを知ることができる。
【０３３４】
本出願では、ネットワークデバイスは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を通してリソース構成情報を端末に送り得る。ネットワークデバイスは、代替として、高位レイヤシグナリング、たとえば、無線リソース制御（Ｒａｄｉｏ  Ｒｅｓｏｕｒｃｅ  Ｃｏｎｔｒｏｌ、ＲＲＣ）シグナリングを使用することによってリソース構成情報を端末に送り得る。
【０３３５】
いくつかの実施形態では、第１の参照信号および第２の参照信号に対応するそれぞれのリソースロケーションが、プロトコルによって事前定義され得る。したがって、ネットワークデバイスは、リソース構成情報を端末に送る必要がない。
【０３３６】
いくつかの実施形態では、第１の参照信号に対応するリソースロケーションが、プロトコルによって事前定義され得る。リソース構成情報は、第２の参照信号と第１の参照信号の間のリソースマッピング規則を含み得る。このようにして、端末は、本出願では第２の参照信号と第１の参照信号の間のリソースマッピング規則に基づいて第２の参照信号のリソースロケーションを決定することができる。特に、第２の参照信号と第１の参照信号の間のリソースマッピング規則は、プロトコルによって事前定義され得るか、または高位レイヤシグナリングもしくはＰＤＣＣＨを使用することによってネットワークデバイスによって構成され得る。リソースマッピング規則がプロトコルによって事前定義されているときには、ネットワークデバイスは、リソース構成情報を端末に送る必要がない。
【０３３７】
いくつかの実施形態では、リソース構成情報は、第１の参照信号のリソース構成情報と、第２の参照信号と第１の参照信号の間のリソースマッピング規則とを含み得る。第１の参照信号のリソース構成情報は、リソース構成情報に基づいて、第１の参照信号がマッピングされているリソースロケーションを決定するために端末によって使用される。このようにして、端末は、本出願では第１の参照信号のリソースロケーションと、第２の参照信号と第１の参照信号の間のリソースマッピング規則とに基づいて第２の参照信号のリソースロケーションを決定することができる。特に、第２の参照信号と第１の参照信号の間のリソースマッピング規則は、プロトコルによって事前定義され得るか、または高位レイヤシグナリングもしくはＰＤＣＣＨを使用することによってネットワークデバイスによって構成され得る。リソースマッピング規則がプロトコルによって事前定義されているときには、リソース構成情報は、第１の参照信号のリソースロケーション情報のみを含み得る。
【０３３８】
いくつかの実施形態では、ネットワークデバイスは、第２の参照信号を送るように端末をトリガするためのトリガ命令を端末にさらに送ってよく、たとえば、ダウンリンク制御インジケータ（Ｄｏｗｎｌｉｎｋ  Ｃｏｎｔｒｏｌ  Ｉｎｄｉｃａｔｏｒ、ＤＣＩ）を使用することによってトリガ命令を送ってよい。
【０３３９】
第１の参照信号がＳＲＳである例を使用することによって、以下で、（以下でＰＴ−ＲＳと呼ばれる）第２の参照信号のために本出願において提供されるリソースマッピング方法について詳細に説明する。ＳＲＳは、複数のシンボルの上で周波数ホッピングを受ける。複数のシンボルは連続または非連続であり得る。ＳＲＳがマッピングされている各シンボルの上で、ＳＲＳサブバンドは、異なる周波数ドメインロケーションに対応している。ＰＴ−ＲＳは、ＳＲＳ周波数ホッピング期間内で少なくとも２つのシンボルにマッピングされ、ＰＴ−ＲＳがマッピングされているサブキャリアは、同じ周波数ドメインロケーションを有する。
【０３４０】
図１２は、ＰＴ−ＲＳリソースマッピング方法の例を示す。図１２に示されているように、ＳＲＳがマッピングされている各シンボルの上で、ＰＴ−ＲＳがマッピングされている１つまたは複数のサブキャリアは、周波数ドメインにおいてＳＲＳサブバンドに隣接する。具体的には、ＳＲＳがマッピングされている各シンボルの上で、ＰＴ−ＲＳは、ＳＲＳサブバンドの１つの端部または２つの端部にマッピングされ得る。
【０３４１】
図１２に示されているように、ＰＴ−ＲＳがマッピングされているサブキャリアは、複数の同じ周波数ドメインロケーション、たとえば、周波数ドメインロケーションＸ、Ｙ、およびＺを有し、各周波数ドメインロケーションは、１つまたは複数のサブキャリアに対応し得る。
【０３４２】
図１２に示されているように、ＰＴ−ＲＳは、ＳＲＳサブバンドの最初のｍ個（ｍは正の整数である）のサブキャリアにマッピングされ得るか、またはＳＲＳサブバンドの最後のｎ個（ｎは正の整数である）のサブキャリアにマッピングされ得るか、またはＳＲＳサブバンドの最初のｍ個のサブキャリアおよび最後のｎ個のサブキャリアにマッピングされ得る。本明細書では、ｍとｎは等しいかまたは等しくないことがある。
【０３４３】
特に、ＰＴ−ＲＳのためのリソースマッピング規則は、限定はされないが、以下に要約され得る。ＳＲＳサブバンドが、端末の処理帯域幅において最も低い周波数ドメインロケーションにある場合には、ＰＴ−ＲＳは、ＳＲＳサブバンドの最後のｎ個のサブキャリアにマッピングされ得る。ＳＲＳサブバンドが、端末の処理帯域幅において最も高い周波数ドメインロケーションにある場合には、ＰＴ−ＲＳは、ＳＲＳサブバンドの最初のｍ個のサブキャリアにマッピングされ得る。そしてＳＲＳサブバンドが、端末の処理帯域幅において中間の周波数ドメインロケーションにある場合には、ＰＴ−ＲＳは、ＳＲＳサブバンドの最初のｍ個のサブキャリアにマッピングされ得るか、またはＳＲＳサブバンドの最後のｎ個のサブキャリアにマッピングされ得る。本明細書では、端末の処理帯域幅は、ネットワークデバイスによって端末に割り振られる全サウンディング参照信号周波数ホッピング帯域幅、すなわち、端末がサウンディングを実装することをネットワークデバイスが要求するチャネルの全帯域幅である。
【０３４４】
具体的には、第２の参照信号のリソースロケーションが、第１の参照信号のリソースロケーションによって決定され得る。この決定ポリシーは、プロトコルによって事前定義され得るか、または高位レイヤシグナリング（たとえば、ＲＲＣシグナリング）もしくはＰＤＣＣＨシグナリングを配信することによってネットワークデバイスによって構成され得る。
【０３４５】
本出願では、位相追跡およびＣＳＩ推定を実施するためにＰＴ−ＲＳが送られる必要があるかどうかは、プロトコルによる事前定義または高位レイヤシグナリングを使用することによる構成の様式で決定され得る。特に、ＰＴ−ＲＳ構成規則が、ＳＲＳ周波数ホッピング帯域幅に基づいて事前定義され得る。たとえば、ＳＲＳ周波数ホッピング帯域幅がプリセット帯域幅閾値よりも高いときに、ＰＴ−ＲＳは構成される。これは、ＳＲＳ周波数ホッピング帯域幅が極めて低いときにＰＴ−ＲＳを構成するのを回避する。ＳＲＳ周波数ホッピング帯域幅が極めて低い場合、ＰＴ−ＲＳを構成することによって引き起こされるオーバーヘッドの悪影響は、ＰＴ−ＲＳを使用することによって位相偏移推定を実施することの利益よりも大きいインパクトを及ぼす。この例は、本出願において提供される実装にすぎず、限定として解釈されるべきではなく、実際の適用例では相違があってよい。
【０３４６】
いくつかの任意選択の実施形態では、ＳＲＳが複数のシンボルの上で周波数ホッピングを受けるときに、各シンボル上のＳＲＳシーケンス長は、ＰＴ−ＲＳが送られる必要があるかどうか、およびＰＴ−ＲＳがＳＲＳサブバンドの１つの端部にマッピングされるのか２つの端部にマッピングされるのかに応じて決定され得る。任意選択で、第１のシーケンス長および第２のシーケンス長を含む、２つのＳＲＳシーケンス長が構成されてよい。ＰＴ−ＲＳは、第１のシーケンス長のＳＲＳサブバンドの２つの端部にマッピングされる。たとえば、図１２におけるシンボル３および４の上のＳＲＳサブバンドのシーケンス長は、第１のシーケンス長に等しい。ＰＴ−ＲＳは、第２のシーケンス長のＳＲＳサブバンドの１つの端部にのみマッピングされる。たとえば、図１２におけるシンボル１および２の上のＳＲＳサブバンドのシーケンス長は、第２のシーケンス長に等しい。
【０３４７】
具体的には、位相追跡およびＣＳＩ推定を実施するためにＰＴ−ＲＳが送られる必要があるという前提条件の下で、ＰＴ−ＲＳが、シンボルｉ上のＳＲＳサブバンドの２つの端部にマッピングされる必要がある場合は、シンボルｉ上のＳＲＳサブバンドのために第１のシーケンス長が使用されるか、またはＰＴ−ＲＳが、シンボルｉ上のＳＲＳサブバンドの１つの端部にのみマッピングされる必要がある場合は、シンボルｉ上のＳＲＳサブバンドのために第２のシーケンス長が使用される。
【０３４８】
本出願では、複数の端末がＳＲＳを同時に送る必要がある場合、それらの複数の端末は、端末によって送信されるＳＲＳの直交性を保証するために異なるサイクリックシフト値を使用し得る。同様に、複数の端末によって送信されるＰＴ−ＲＳの直交性を保証するために、ＰＴ−ＲＳのために、ＳＲＳの場合のように同じサイクリックシフト値が使用され得る。加えて、ＰＴ−ＲＳとＳＲＳのために同じ「コーム」パターンが使用されてよく、すなわち、ＰＴ−ＲＳとＳＲＳは、同じコーム間隔に対応する。
【０３４９】
図１２に示されている実施形態の実装では、ＳＲＳは、ＳＲＳ周波数ホッピング期間内のあらゆるシンボルにマッピングされ、シンボルの１つの上で、ＰＴ−ＲＳがマッピングされているサブキャリアは、シンボルの残りの上で、ＰＴ−ＲＳがマッピングされているサブキャリアと、同じ周波数ドメインロケーションを有するので、複数の同じ周波数ドメインロケーションにおいて、ＰＴ−ＲＳは、ＳＲＳ周波数ホッピング期間内のシンボルの間の相対位相誤差値を計算するために活用され、それにより、ＣＳＩ推定の精度が向上させられることが可能であることが理解できよう。
【０３５０】
図１２は、限定として解釈されるべきでない、説明の目的のみのために本出願で提供される実施形態を示していることに留意されたい。実際の適用例では、ＳＲＳ周波数ホッピング期間、ＳＲＳ周波数ホッピング様式などは異なっていてよい。
【０３５１】
図１３Ａおよび図１３Ｂは、別のＰＴ−ＲＳリソースマッピング方法を示す。図１３Ａおよび図１３Ｂに示されているように、ＰＴ−ＲＳがマッピングされているあらゆるシンボルの上で、ＰＴ−ＲＳがマッピングされているサブキャリアロケーションは同じある。すなわち、ＰＴ−ＲＳがマッピングされているあらゆるシンボルの上で、ＰＴ−ＲＳは、同じ１つまたは複数のサブキャリアにマッピングされる。
【０３５２】
図１３Ａおよび図１３Ｂに示されているように、ＰＴ−ＲＳがマッピングされている各シンボルの上で、ＰＴ−ＲＳがマッピングされているサブキャリアロケーションは同じある。たとえば、各シンボルの上で、ＰＴ−ＲＳのサブキャリアロケーションは、周波数ドメインロケーションＸ’である。周波数ドメインロケーションＸ’は、１つまたは複数のサブキャリアに対応し得る。１つまたは複数のサブキャリアは、図１３Ａに示されているように、周波数ドメインにおいて集結され得るか、または図１３Ｂに示されているように、離散的に分散され得る。
【０３５３】
本出願では、ＰＴ−ＲＳの周波数ドメインロケーションを決定するためにＳＲＳのサイクリックシフト値がさらに使用され得る。特に、ＳＲＳのサイクリックシフト値と、ＰＴ−ＲＳがマッピングされているサブキャリアロケーションとの間のマッピング規則が、プロトコルによって事前定義され得るか、または高位レイヤシグナリング（たとえば、ＲＲＣシグナリング）もしくはＰＤＣＣＨシグナリングを配信することによってネットワークデバイスによって構成され得る。異なるサイクリックシフト値は、異なるサブキャリアロケーションに対応する。
【０３５４】
たとえば、図１３Ａおよび図１３Ｂに示されているように、事前定義されたマッピング規則に従って、サイクリックシフト値１はサブキャリアロケーションＸ１に対応し、サイクリックシフト値２はサブキャリアロケーションＸ２に対応する。サイクリックシフト値１は、端末１によって送られるＳＲＳのために使用され、サイクリックシフト値２は、端末２によって送られるＳＲＳのために使用される。したがって、端末１および端末２によって送られるＰＴ−ＲＳは、サブキャリアロケーションＸ１およびサブキャリアロケーションＸ２によって指示されるサブキャリアにそれぞれマッピングされる。この例は、本発明のこの実施形態について説明するのに使用されるにすぎず、限定として解釈されるべきではない。
【０３５５】
図１３Ａおよび図１３Ｂに示されている実施形態の実装では、ＳＲＳは、ＳＲＳ周波数ホッピング期間内のあらゆるシンボルにマッピングされ、シンボルの１つの上で、ＰＴ−ＲＳがマッピングされているサブキャリアは、シンボルの残りの上で、ＰＴ−ＲＳがマッピングされているサブキャリアと、同じ周波数ドメインロケーションを有するので、ＳＲＳ周波数ホッピング期間内のシンボルの間の相対位相誤差値は、この同じ周波数ドメインロケーションにおいて計算され、それにより、ＣＳＩ推定の精度が向上させられることが可能であることが理解できよう。
【０３５６】
図１３Ａおよび図１３Ｂは、本出願において提供される実施形態の例を示すにすぎず、限定として解釈されるべきではないことに留意されたい。実際の適用例では、代替として、ＳＲＳ周波数ホッピング期間、ＳＲＳ周波数ホッピング様式などは異なっていてよい。
【０３５７】
いくつかの可能な実施形態では、各シンボルの上で、ＰＴ−ＲＳがマッピングされているサブキャリアと、ＳＲＳがマッピングされているサブキャリアとが、異なる周波数ドメインロケーションを有する場合は、図１３Ａおよび図１３Ｂに示されているように、ＰＴ−ＲＳは、ＳＲＳ周波数ホッピング期間内の各シンボルにマッピングされる。または、１つ（もしくは複数）のシンボルの上で、ＰＴ−ＲＳがマッピングされているサブキャリアと、ＳＲＳがマッピングされているサブキャリアとが、同じ周波数ドメインロケーションを有する場合は、ＰＴ−ＲＳは、その１つ（もしくは複数）のシンボルにマッピングされない。たとえば、図１４に示されているように、第１のシンボルの上で、ＰＴ−ＲＳがマッピングされているサブキャリアと、ＳＲＳがマッピングされているサブキャリアとが、同じ周波数ドメインロケーションＹを有するので、ＰＴ−ＲＳは、第１のシンボルにマッピングされない。図１４は、本発明のこの実施形態について説明するのに使用されるにすぎず、限定として解釈されるべきではなく、実際の適用例では相違があってよいことに留意されたい。
【０３５８】
図１４におけるリソースマッピングの場合、周波数ドメインロケーションＹに対応するサブキャリアの上で、第１のシンボルと他のシンボルの間の相対位相誤差値は、他のシンボルにマッピングされているＰＴ−ＲＳと組み合わせて第１のシンボルにマッピングされているＳＲＳを使用することによって推定され、それにより、ＣＳＩ推定の精度が向上させられ得ることが理解できよう。
【０３５９】
第１の参照信号がＣＳＩ−ＲＳである例を使用することによって、以下で、第２の参照信号（ＰＴ−ＲＳ）のためのリソースマッピング方法について詳細に説明する。複数のアンテナポートのＣＳＩ−ＲＳは、時間ドメインにおいて符号分割を受けるか、または複数のアンテナポートのＣＳＩ−ＲＳは、周波数ドメインにおいて符号分割を受けるが、ＣＳＩ推定のために複数のシンボルが一緒に使用される必要がある。
【０３６０】
図１５および図１６は、本出願のさらに別の実施形態において提供される参照信号送信方法を示す。図１５に示されているように、複数のアンテナポートのＣＳＩ−ＲＳは、時間ドメインにおいて符号分割を受ける。図１６に示されているように、複数のアンテナポートのＣＳＩ−ＲＳは、周波数ドメインにおいて符号分割を受けるが、ＣＳＩ推定のために複数のシンボルが一緒に使用される必要がある。図１５または図１６に対応する実施形態では、ＣＳＩ−ＲＳは、複数のシンボルにマッピングされ、ＰＴ−ＲＳは、ＣＳＩ−ＲＳと同じシンボルにマッピングされる。ＣＳＩ−ＲＳがマッピングされているシンボルの１つの上で、ＰＴ−ＲＳがマッピングされているサブキャリアは、これらのシンボルの残りの上で、ＰＴ−ＲＳがマッピングされているサブキャリアと、同じ周波数ドメインロケーションに対応する。
【０３６１】
特に、周波数ドメインにおいて、ＰＴ−ＲＳがマッピングされているサブキャリアは、ＣＳＩ−ＲＳがマッピングされているサブキャリアに、（図１５に示されているように）隣接するかまたは隣接しない（図示せず）ことがある。
【０３６２】
特に、ＰＴ−ＲＳのリソースロケーションは、プロトコルによって事前定義され得るか、または高位レイヤシグナリング（たとえば、ＲＲＣシグナリング）もしくはＰＤＣＣＨシグナリングを配信することによってネットワークデバイスによって構成され得る。
【０３６３】
ＰＴ−ＲＳがマッピングされているサブキャリアの上で、ＣＳＩ−ＲＳがマッピングされているシンボルの間の相対位相誤差は、ＰＴ−ＲＳを活用することによって計算されることが可能であることが理解できよう。これは、各シンボルに対応するＣＰＥをより正確に推定するのを助け、それにより、ＣＳＩ推定の精度を向上させる。
【０３６４】
図１５および図１６は、本出願において提供されるいくつかの実施形態の例を示すにすぎず、限定として解釈されるべきではないことに留意されたい。実際の適用例では、ＣＳＩ−ＲＳのアンテナポート、リソース多重化、リソースマッピングパターンなどは、代替として異なっていてよい。
【０３６５】
加えて、本出願は、２つの参照信号設計解決策をさらに提供する。これも、ＣＳＩ推定の精度を向上させることができる。これら２つの方法では、ＣＳＩ推定に使用される（アップリンクまたはダウンリンク）参照信号の送信中にＰＴ−ＲＳは挿入される必要がない。以下で、ＣＳＩ推定に使用されるアップリンク参照信号と、ＣＳＩ推定に使用されるダウンリンク参照信号とを使用することによって説明を別々に提供する。
【０３６６】
図１７は、本出願において提供されるＳＲＳ設計解決策を示す。図１７に示されているように、ＳＲＳ周波数ホッピング期間内に、少なくとも２つのシンボル上のＳＲＳサブバンドのいくつかのサブキャリアは、同じ周波数ドメインロケーションに対応している。言い換えれば、少なくとも２つのシンボル上のＳＲＳサブバンドは、周波数ドメインにおいて重複する。
【０３６７】
特に、ＳＲＳ周波数ホッピング期間内のいずれかのシンボルｉに対して、ＳＲＳ周波数ホッピング期間内に少なくとも１つのシンボルｊがあり、シンボルｉにマッピングされているＳＲＳサブバンドと、シンボルｊにマッピングされているＳＲＳサブバンドは、同じ１つまたは複数のサブキャリアを有する。
【０３６８】
本出願では、１つのシンボルの上で、ＳＲＳ周波数ホッピング帯域幅は
【０３６９】
【数１２】
2020516134.tif 000014
【０３７０】
として表されてよく、ここでＷは、ＳＲＳサウンディングを必要とする全帯域幅を表し、Ｎは、１つの周波数ホッピング期間中に含まれるシンボルの量を表し、Ｍは、正の整数である。Ｍのより大きい値は、より大きいＳＲＳ周波数ホッピング帯域幅と、異なるシンボル上のＳＲＳサブバンドの間のより大きい周波数ドメイン重複部分とを意味することが理解できよう。
【０３７１】
特に、各シンボル上のＳＲＳ周波数ホッピング帯域幅Ｗは、高位レイヤシグナリング（たとえば、ＲＲＣシグナリング）もしくはＰＤＣＣＨシグナリングを配信することによってネットワークデバイスによって構成され得る。１つのＳＲＳ周波数ホッピング期間内で、すべてのシンボル上のＳＲＳ周波数ホッピング帯域幅は、同じであるかまたは異なり得る。
【０３７２】
図１７に示されている実施形態の実装では、ＳＲＳ周波数ホッピング期間内の異なるシンボル上のＳＲＳサブバンドのいくつかのサブキャリアが、同じ周波数ドメインロケーションに対応するので、ＳＲＳ周波数ホッピング期間内のシンボルの間の相対位相誤差値は、これらのいくつかのサブキャリア上で計算され、それにより、ＣＳＩ推定の精度が向上させられることが可能であることが理解できよう。
【０３７３】
図１７は、本出願において提供される実施形態の例を示すにすぎず、限定として解釈されるべきではないことに留意されたい。実際の適用例では、代替として、ＳＲＳ周波数ホッピング期間、ＳＲＳ周波数ホッピング様式、ＳＲＳ周波数ホッピング帯域幅などは異なっていてよい。
【０３７４】
図１８は、本出願において提供されるＣＳＩ−ＲＳ設計解決策を示す。図１８に示されているように、少なくとも２つのアンテナポートのＣＳＩ−ＲＳは、時間ドメインにおいて符号分割を受け、ＣＳＩ−ＲＳは、複数のサブキャリアにマッピングされる。図１８中の図（Ａ）は、従来技術におけるアンテナポートのＣＳＩ−ＲＳのリソースマッピング図である。図１８中の図（Ｂ）は、本出願におけるアンテナポートのＣＳＩ−ＲＳのリソースマッピング図である。図（Ｂ）に示されているように、１つ（いくつか）のサブキャリアの上で、ＣＳＩ−ＲＳは時間ドメインにおいて符号分割を受けず、ただ１つのアンテナポートのＣＳＩ−ＲＳが送られ、残りのアンテナポートのＣＳＩ−ＲＳは、その１つ（またはいくつか）のサブキャリアのロケーションにおいて送られない。
【０３７５】
本明細書では、１つ（またはいくつか）のサブキャリアの上でＣＳＩ−ＲＳを送りないアンテナポートは、ミュートされたポート（ｍｕｔｅｄ  ｐｏｒｔ）と呼ばれることがある。任意選択で、ミュートされたポートはまた、ＣＳＩ−ＲＳ送信パワーがその上でゼロであるポートとして構成され得る。
【０３７６】
１つ（またはいくつか）のサブキャリアロケーションにおいて、１つのアンテナポートのＣＳＩ−ＲＳは、ＣＳＩ−ＲＳがマッピングされているシンボルの間の相対位相誤差値を計算するために活用され、それにより、ＣＳＩ推定の精度が向上させられることが可能であることが理解できよう。
【０３７７】
特に、単一のアンテナポートのＣＳＩ−ＲＳのみがマッピングされているサブキャリア、すなわち、位相雑音の推定に使用されるサブキャリアロケーションが、プロトコルによって事前定義され得るか、または高位レイヤシグナリング（たとえば、ＲＲＣシグナリング）もしくはＰＤＣＣＨシグナリングを配信することによってネットワークデバイスによって構成され得る。
【０３７８】
特に、１つ（またはいくつか）のサブキャリアロケーションにおいて、ＣＳＩ−ＲＳを送るのに使用されることが不可能なアンテナポート（すなわち、ミュートされたポート）が、プロトコルによって事前定義され得るか、または命令（たとえば、ＲＲＣシグナリング）もしくはＰＤＣＣＨシグナリングを配信することによってネットワークデバイスによって構成され得る。
【０３７９】
図１８は、本出願において提供される実施形態の例を示すにすぎず、限定として解釈されるべきではないことに留意されたい。実際の適用例では、代替として、ＣＳＩ−ＲＳのアンテナポート、リソース多重化、リソースマッピングパターンなどは異なっていてよい。
【０３８０】
本出願は、データ送信の場合において、データ送信中の位相追跡において使用するための、第２の参照信号ＰＴ−ＲＳを構成するための方法をさらに提供し、それにより、データ送信の信頼性を向上させる。
【０３８１】
図１９に示されているように、周波数ドメインにおいて、ＰＴ−ＲＳは、ユーザによりスケジューリングされた帯域幅に一様にマッピングされ得る。時間ドメインにおいて、ＰＴ−ＲＳは、ユーザのためにスケジューリングされたアップリンク共有チャネル（ＰＵＳＣＨ）またはダウンリンク共有チャネル（ＰＤＳＣＨ）の一部または全部のシンボルの上で分散され得る。本明細書では、ユーザによりスケジューリングされた帯域幅は、ユーザのデータトラフィックおよび制御信号の送信のためにユーザのためにスケジューリングされた帯域幅であり得る。
【０３８２】
以下で、周波数ドメインにおけるマッピング規則、時間ドメインにおけるマッピング規則、リソース衝突回避、時間ドメイン密度、および周波数ドメイン密度という、いくつかの態様からＰＴ−ＲＳ構成方法について詳細に説明する。
【０３８３】
（１）周波数ドメインにおけるＰＴ−ＲＳマッピング規則
【０３８４】
特に、ＰＴ−ＲＳを搬送するサブキャリアは、リソースブロックのグラニュラリティでユーザによりスケジューリングされた帯域幅内で一様に分散され得る。たとえば、図１９に示されているように、周波数ドメインにおいて、ＰＴ−ＲＳは、４つのリソースブロックごとに１つのサブキャリアを占有する。この例は、本発明のこの実施形態について説明するのに使用されるにすぎず、限定として解釈されるべきではない。
【０３８５】
特に、異なるユーザのＰＴ−ＲＳのために周波数分割多重化（Ｆｒｅｑｕｅｎｃｙ  Ｄｉｖｉｓｉｏｎ  Ｍｕｌｔｉｐｌｅｘｉｎｇ、ＦＤＭ）様式が使用される。図１９に示されているように、ユーザ１のＰＴ−ＲＳと、ユーザ２のＰＴ−ＲＳは、異なるサブキャリアを占有する。実際の適用例では、異なるユーザのＰＴ−ＲＳのために代替として、別の多重化様式、たとえば、時分割多重化（Ｔｉｍｅ  Ｄｉｖｉｓｉｏｎ  Ｍｕｌｔｉｐｌｅｘｉｎｇ、ＴＤＭ）または符号分割多重化（ＣＤＭ）が使用され得る。これは本明細書では限定されない。
【０３８６】
本出願では、ＰＴ−ＲＳがマッピングされているサブキャリアロケーションは、ＰＴ−ＲＳがマッピングされているリソースブロックのインデックス、およびＰＴ−ＲＳがマッピングされているリソースブロック中のＰＴ−ＲＳのサブキャリアインデックスという、２つのタイプのインデックスを使用することによって表され得る。以下で、これら２つのタイプのインデックスを決定する様式について別々に説明する。
【０３８７】
１．最初に、ＰＴ−ＲＳがマッピングされているリソースブロックのインデックスが決定される。
【０３８８】
ユーザによりスケジューリングされた帯域幅内で、ＰＴ−ＲＳがマッピングされているサブキャリアの合計量がＬPT-RSとして表され、ＬPT-RSは正の整数である。ＬPT-RS個のサブキャリアは、リソースブロックのグラニュラリティでユーザによりスケジューリングされた帯域幅内で一様に分散され得る。
【０３８９】
たとえば、ユーザによりスケジューリングされた帯域幅は、アップリンクデータ送信およびダウンリンクデータ送信中にそれぞれ
【０３９０】
【数１３】
2020516134.tif 000015
【０３９１】
個のリソースブロックおよび
【０３９２】
【数１４】
2020516134.tif 000016
【０３９３】
個のリソースブロックであり、ユーザによりスケジューリングされた帯域幅内の開始リソースブロックの数は、アップリンクデータ送信およびダウンリンクデータ送信中にそれぞれ
【０３９４】
【数１５】
2020516134.tif 000017
【０３９５】
および
【０３９６】
【数１６】
2020516134.tif 000018
【０３９７】
である。
【０３９８】
したがって、ダウンリンクデータ送信中に、ＰＴ−ＲＳがマッピングされているリソースブロックのインデックスは、以下のように表され得る。
【０３９９】
【数１７】
2020516134.tif 000019
【０４００】
、および
アップリンクデータ送信中に、ＰＴ−ＲＳがマッピングされているリソースブロックのインデックスは、以下のように表され得る。
【０４０１】
【数１８】
2020516134.tif 000020
【０４０２】
ここで、ｉ≧０、および整数である。
【０４０３】
ＬPT-RSの値は、ユーザによりスケジューリングされた帯域幅内のＰＴ−ＲＳの周波数ドメイン密度に関連することが理解できよう。ＬPT-RSとＰＴ−ＲＳの周波数ドメイン密度の間の数学的関係は以下のように表され得る：ＬPT-RS＝ＰＴ−ＲＳの周波数ドメイン密度×ユーザによりスケジューリングされた帯域幅に対応するリソースブロックの合計量。ユーザによりスケジューリングされた帯域幅内で、ＰＴ−ＲＳのより大きい周波数ドメイン密度は、ＬPT-RSのより大きい値を指示する。ＰＴ−ＲＳの周波数ドメイン密度を決定する様式については、後続の内容を参照されたい。詳細について今は説明されない。ユーザによりスケジューリングされた帯域幅に対応するリソースブロックの合計量は、前述の式中の
【０４０４】
【数１９】
2020516134.tif 000021
【０４０５】
または
【０４０６】
【数２０】
2020516134.tif 000022
【０４０７】
である。
【０４０８】
２．次に、ＰＴ−ＲＳがマッピングされているリソースブロック中のＰＴ−ＲＳのサブキャリアインデックスが決定される。
【０４０９】
第１の実装では、ＰＴ−ＲＳがマッピングされているリソースブロック中のＰＴ−ＲＳのサブキャリアインデックスは、復調参照信号（Ｄｅｍｏｄｕｌａｔｉｏｎ  Ｒｅｆｅｒｅｎｃｅ  Ｓｉｇｎａｌ、ＤＭＲＳ）がマッピングされているサブキャリアロケーションに基づいて決定され得る。特に、図２０Ａに示されているように、ＰＴ−ＲＳは、ＤＭＲＳがマッピングされている１つまたは複数のサブキャリアにマッピングされ得る。
【０４１０】
複数のユーザのアンテナポートによって送信されるＤＭＲＳが周波数ドメインにおいて符号分割を受ける場合、図２０Ｂに示されているように、ＰＴ−ＲＳは、ＰＴ−ＲＳアンテナポートに対応するＤＭＲＳアンテナポートによって送信されるＤＭＲＳがマッピングされている１つまたは複数のサブキャリアにマッピングされる。たとえば、図２０Ｂに示されているように、ＰＴ−ＲＳアンテナポートが、ＤＭＲＳアンテナポート０または１に対応している場合、ＰＴ−ＲＳは、アンテナポート０または１によって送信されるＤＭＲＳがマッピングされている１つまたは複数のサブキャリアにマッピングされる。この例は、本発明のこの実施形態について説明するのに使用されるにすぎず、限定として解釈されるべきではない。
【０４１１】
本明細書では、互いに対応しているＰＴ−ＲＳアンテナポートおよびＤＭＲＳアンテナポートによってそれぞれ送られるＰＴ−ＲＳおよびＤＲＭＳは、同じサブキャリアロケーションを有する。
【０４１２】
互いに対応しているＰＴ−ＲＳアンテナポートおよびＤＭＲＳアンテナポートは以下の関係を満たす。ＤＭＲＳアンテナポートはＰＴ−ＲＳアンテナポートと同じであるか、またはＤＭＲＳアンテナポートおよびＰＴ−ＲＳアンテナポートは疑似コロケーションされる（ＱＣＬ）か、またはＤＭＲＳアンテナポートおよびＰＴ−ＲＳアンテナポートは同じプリコーディング（ｐｒｅｃｏｄｉｎｇ）を有する。このようにして、受信端部は、ＤＭＲＳアンテナポートとＰＴ−ＲＳアンテナポートの間の関係に基づいて、位相追跡のためにＤＭＲＳアンテナポートによってどのＰＴ−ＲＳアンテナポートが使用されるか、およびどのＤＭＲＳアンテナポートによって位相推定のためにＰＴ−ＲＳアンテナポートによって必要とされるチャネル推定が取得されるかを決定することができる。
【０４１３】
第２の実装では、ＰＴ−ＲＳがマッピングされているリソースブロック中のＰＴ−ＲＳのサブキャリアインデックスは、セルＩＤに基づいて決定され得る。セルＩＤは
【０４１４】
【数２１】
2020516134.tif 000023
【０４１５】
として表され得る。
【０４１６】
任意選択で、
【０４１７】
【数２２】
2020516134.tif 000024
【０４１８】
と、ＰＴ−ＲＳがマッピングされているリソースブロック中のＰＴ−ＲＳのサブキャリアインデックスの間にマッピング関係があってよく、すなわち、異なる
【０４１９】
【数２３】
2020516134.tif 000025
【０４２０】
は、異なるサブキャリアインデックスに対応する。このマッピング関係は、プロトコルによって事前定義され得るか、または高位レイヤシグナリング（たとえば、ＲＲＣシグナリング）もしくはＰＤＣＣＨを使用することによってネットワークデバイスによって構成され得る。
【０４２１】
任意選択で、ＰＴ−ＲＳがマッピングされているリソースブロック中のＰＴ−ＲＳのサブキャリアインデックスは、
【０４２２】
【数２４】
2020516134.tif 000026
【０４２３】
として表されてよく、ａは、１よりも大きい正の整数であり、ａはプロトコルによって事前定義されてよく、たとえば、ＬＴＥではａ＝６が規定される。たとえば、
【０４２４】
【数２５】
2020516134.tif 000027
【０４２５】
と仮定すると、
【０４２６】
【数２６】
2020516134.tif 000028
【０４２７】
と計算される。したがって、図２１に示されているように、セルＩＤが１であるときには、ＰＴ−ＲＳがマッピングされているリソースブロック中のＰＴ−ＲＳのサブキャリアインデックスは１であり、すなわち、ＰＴ−ＲＳは、リソースブロック中のサブキャリア１にマッピングされる。
【０４２８】
（２）時間ドメインにおけるＰＴ−ＲＳマッピング規則
【０４２９】
特に、時間ドメインにおいて、ＰＴ−ＲＳは、ユーザのためにスケジューリングされたアップリンク共有チャネル（ＰＵＳＣＨ）またはダウンリンク共有チャネル（ＰＤＳＣＨ）の一部または全部のシンボルの上で分散され得る。図２２は、ＰＴ−ＲＳのいくつかの時間ドメイン密度の例を示す。図２２に示されているように、時間ドメインにおいて、ＰＴ−ＲＳは、ＰＵＳＣＨ（もしくはＰＤＳＣＨ）のあらゆるシンボルに連続的にマッピングされ得る（すなわち、図に示されている「時間ドメイン密度１」）か、またはＰＵＳＣＨ（もしくはＰＤＳＣＨ）の２つのシンボルごとにマッピングされ得る（すなわち、図に示されている「時間ドメイン密度１／２」）か、またはＰＵＳＣＨ（もしくはＰＤＳＣＨ）の４つのシンボルごとにマッピングされ得る（すなわち、図に示されている「時間ドメイン密度１／４」）。
【０４３０】
さらに、ＰＴ−ＲＳがマッピングされている開始シンボルのインデックスが、ＰＴ−ＲＳの時間ドメイン密度に基づいて決定され得る。
【０４３１】
アップリンクデータ送信では、ＰＴ−ＲＳの時間ドメイン密度が「時間ドメイン密度１」である場合には、ＰＴ−ＲＳがマッピングされている開始シンボルは、ＰＵＳＣＨの第１のシンボル、すなわち、リソースブロック中のシンボル「３」であるか、ＰＴ−ＲＳの時間ドメイン密度が「時間ドメイン密度１／２」である場合には、ＰＴ−ＲＳがマッピングされている開始シンボルは、ＰＵＳＣＨの第２のシンボル、すなわち、リソースブロック中のシンボル「４」であるか、またはＰＴ−ＲＳの時間ドメイン密度が「時間ドメイン密度１／４」である場合には、ＰＴ−ＲＳがマッピングされている開始シンボルは、ＰＵＳＣＨの第１のシンボル、すなわち、リソースブロック中のシンボル「３」である。
【０４３２】
同様に、ダウンリンクデータ送信では、ＰＴ−ＲＳの時間ドメイン密度が「時間ドメイン密度１」である場合には、ＰＴ−ＲＳがマッピングされている開始シンボルは、ＰＤＳＣＨの第１のシンボル、すなわち、リソースブロック中のシンボル「３」であるか、ＰＴ−ＲＳの時間ドメイン密度が「時間ドメイン密度１／２」である場合には、ＰＴ−ＲＳがマッピングされている開始シンボルは、ＰＤＳＣＨの第２のシンボル、すなわち、リソースブロック中のシンボル「４」であるか、またはＰＴ−ＲＳの時間ドメイン密度が「時間ドメイン密度１／４」である場合には、ＰＴ−ＲＳがマッピングされている開始シンボルは、ＰＤＳＣＨの第１のシンボル、すなわち、リソースブロック中のシンボル「３」である。
【０４３３】
本明細書では、ＰＴ−ＲＳの時間ドメイン密度は、ＣＰタイプ、サブキャリア間隔、および変調次数の少なくとも１つに関係し得る。後続の内容を参照されたい。詳細について今は説明されない。
【０４３４】
前述のいくつかの場合に加えて、ＰＴ−ＲＳの時間ドメイン密度と、ＰＴ−ＲＳがマッピングされている開始シンボルのインデックスは、代替として異なっていてよいことに留意されたい。これは本出願では限定されない。
【０４３５】
特に、ＰＴ−ＲＳの時間ドメイン密度と、ＰＴ−ＲＳの時間ドメイン密度とＰＴ−ＲＳがマッピングされている開始シンボルのインデックスの間のマッピング関係とは、プロトコルによって事前定義され得るか、または高位レイヤシグナリング（たとえば、ＲＲＣシグナリング）もしくはＰＤＣＣＨを使用することによってネットワークデバイスによって構成され得る。
【０４３６】
（３）リソース衝突回避
【０４３７】
ＰＴ−ＲＳに加えて、別の参照信号、たとえば、ＣＳＩ−ＲＳ、ＳＲＳ、またはＤＭＲＳも、ユーザによりスケジューリングされた帯域幅にマッピングされ得る。リソース衝突は、ＰＴ−ＲＳと別の参照信号の間で起こり得る。衝突中のリソース上で、別の参照信号は、ミュートされてよく、すなわち、ゼロパワーを有し得る。リソース衝突を回避するために、ＰＴ−ＲＳのためのマッピング規則は、以下のいくつかのタイプをさらに含み得る。
【０４３８】
第１のタイプでは、ＰＴ−ＲＳは、別の参照信号がマッピングされているリソース要素にマッピングされないか、またはＰＴ−ＲＳは、リソース要素上でゼロパワーを有するか、またはＰＴ−ＲＳは、別の参照信号によってパンクチャリングされる。これは特に図２３Ａに示され得る。
【０４３９】
第２のタイプでは、別の参照信号がマッピングされているシンボルの上で、ＰＴ−ＲＳは、別の参照信号がマッピングされているサブキャリアにマッピングされない。特に、別の参照信号がマッピングされているシンボルの上で、ＰＴ−ＲＳのサブキャリアは、別の参照信号がマッピングされているサブキャリア以外のサブキャリアにマッピングされる。これは特に図２３Ｂに示され得る。
【０４４０】
第３のタイプでは、別の参照信号がマッピングされているサブキャリアの上で、ＰＴ−ＲＳは、ユーザのためにスケジューリングされたＰＵＳＣＨ（またはＰＤＳＣＨ）のシンボルのいずれにもマッピングされない。特に、別の参照信号がマッピングされているリソースブロック（ＲＢ）中の各シンボルの上で、ＰＴ−ＲＳのサブキャリアは、別の参照信号がマッピングされているサブキャリア以外のサブキャリアにマッピングされる。これは特に図２３Ｃに示され得る。
【０４４１】
第４のタイプでは、ＰＴ−ＲＳは、別の参照信号がマッピングされているシンボルの隣接シンボルにマッピングされる。具体的には、ＰＴ−ＲＳは、別の参照信号がマッピングされているシンボルに先行する１つのシンボルおよび／または後続する１つのシンボルにもマッピングされる。任意選択で、別の参照信号がマッピングされているシンボルの隣接シンボルへの第２の参照信号のマッピングは、別の参照信号がマッピングされているシンボルのロケーションに基づいて決定される。任意選択で、スロットへの第２の参照信号のマッピングは、別の参照信号がマッピングされているシンボルに基づいて決定される。
【０４４２】
任意選択で、別の参照信号は、１つのＯＦＤＭシンボルにマッピングされ、第２の参照信号、すなわち、ＰＴ−ＲＳの時間ドメイン密度は、１／２である。別の参照信号がマッピングされているシンボルと、ＰＴ−ＲＳがマッピングされているシンボルがリソース上で衝突する場合には（図２３Ｄに示されているように、リソースはシンボル８およびＲＥ４の時間−周波数ロケーション中にある）、ＰＴ−ＲＳは、別の参照信号がマッピングされているシンボルに先行する１つのシンボルおよび／または後続する１つのシンボルにもマッピングされる（図２３Ｄに示されているように、ＰＴ−ＲＳはシンボル７またはシンボル９にマッピングされる）。
【０４４３】
衝突中のリソースは以下を意味することが理解できよう。ＰＴ−ＲＳが、時間ドメイン密度に基づいて均一な間隔で時間ドメイン範囲内に一様にマッピングされる場合、具体的には、ＰＴ−ＲＳが、ｎ個のシンボルの間隔で１つのシンボルにマッピングされ（ｎの値は１、２、または４であり得る）、別の参照信号がマッピングされているシンボルロケーションと、均一な間隔で時間的ドメインにおいてＰＴ−ＲＳが一様にマッピングされているシンボルロケーションとが、同じシンボルおよび同じサブキャリアを有し、同じシンボル上の同じサブキャリアは、衝突中のリソースとして理解される。
【０４４４】
任意選択で、別の参照信号が、２つの連続するＯＦＤＭシンボルにマッピングされ、ＰＴ−ＲＳの時間ドメイン密度が１／２であるとすれば、別の参照信号がマッピングされているシンボルと、ＰＴ−ＲＳがマッピングされているシンボルは、別の参照信号がマッピングされている２つの連続するＯＦＭＤシンボルの第１のシンボル上に位置するリソースの上で衝突する場合には、ＰＴ−ＲＳは、別の参照信号がマッピングされているシンボルに先行する１つのシンボルにもマッピングされる（図２３Ｅ中の右側の図に示されているように、衝突中のリソースは、シンボル８およびＲＥ４の時間−周波数ロケーション中にあり、ＰＴ−ＲＳはシンボル７にもマッピングされる）か、または、別の参照信号がマッピングされているシンボルと、ＰＴ−ＲＳがマッピングされているシンボルは、別の参照信号がマッピングされている２つの連続するＯＦＭＤシンボルの第２のシンボル上に位置するリソースの上で衝突する場合には、ＰＴ−ＲＳは、別の参照信号がマッピングされているシンボルに後続する１つの隣接シンボルにもマッピングされる（図２３Ｅ中の左側の図に示されているように、衝突中のリソースは、シンボル８およびＲＥ４の時間−周波数ロケーション中にあり、ＰＴ−ＲＳはシンボル９にもマッピングされる）。
【０４４５】
任意選択で、別の参照信号が、４つの連続するＯＦＤＭシンボルにマッピングされ、ＰＴ−ＲＳの時間ドメイン密度が１／２であるとすれば、別の参照信号がマッピングされているシンボルと、ＰＴ−ＲＳがマッピングされているシンボルは、別の参照信号がマッピングされている４つの連続するＯＦＭＤシンボルの第１のシンボルおよび第３のシンボル上に位置するリソースの上で衝突する場合には、ＰＴ−ＲＳは、別の参照信号がマッピングされているシンボルに先行する１つのシンボルにもマッピングされる（図２３Ｆ中の右側の図に示されているように、衝突中のリソースは、シンボル６およびシンボル８のＲＥ４の時間−周波数ロケーション中にあり、ＰＴ−ＲＳはシンボル５にもマッピングされる）か、または、別の参照信号がマッピングされているシンボルと、ＰＴ−ＲＳがマッピングされているシンボルは、別の参照信号がマッピングされている４つの連続するＯＦＭＤシンボルの第２のシンボルおよび第４のシンボル上に位置するリソースの上で衝突する場合には、ＰＴ−ＲＳは、別の参照信号がマッピングされているシンボルに後続する１つの隣接シンボルにもマッピングされる（図２３Ｆ中の左側の図に示されているように、衝突中のリソースは、シンボル８およびシンボル１０のＲＥ４の時間−周波数ロケーション中にあり、ＰＴ−ＲＳはシンボル１１にもマッピングされる）。
【０４４６】
任意選択で、別の参照信号が、４つの連続するＯＦＤＭシンボルにマッピングされ、ＰＴ−ＲＳの時間ドメイン密度が１／４であるとすれば、別の参照信号がマッピングされているシンボルと、ＰＴ−ＲＳがマッピングされているシンボルは、別の参照信号がマッピングされている４つの連続するＯＦＭＤシンボルの第１のシンボルもしくは第２のシンボル上に位置するリソースの上で衝突する場合には（図２３Ｇに示されているように、衝突中のリソースは、シンボル７およびＲＥ４の時間−周波数ロケーション中にある）、ＰＴ−ＲＳは、別の参照信号がマッピングされているシンボルに先行する１つのシンボルにもマッピングされるか、または、別の参照信号がマッピングされているシンボルと、ＰＴ−ＲＳがマッピングされているシンボルは、別の参照信号がマッピングされている４つの連続するＯＦＭＤシンボルの第３のシンボルもしくは第４のシンボル上に位置するリソースの上で衝突する場合には（図２３Ｈに示されているように、衝突中のリソースは、シンボル７およびＲＥ４の時間−周波数ロケーション中にある）、ＰＴ−ＲＳは、別の参照信号がマッピングされているシンボルに後続する１つの隣接シンボルにもマッピングされる。
【０４４７】
任意選択で、別の参照信号が、２つの連続するＯＦＤＭシンボルにマッピングされ、ＰＴ−ＲＳの時間ドメイン密度が１／４であるとすれば、別の参照信号がマッピングされているシンボルと、ＰＴ−ＲＳがマッピングされているシンボルは、別の参照信号がマッピングされている２つの連続するＯＦＭＤシンボルの第１のシンボル上に位置するリソースの上で衝突する場合には、ＰＴ−ＲＳは、別の参照信号がマッピングされているシンボルに先行する１つのシンボルにもマッピングされる（図２３Ｉ中の左側の図に示されているように、衝突中のリソースは、シンボル７およびＲＥ４の時間−周波数ロケーション中にあり、ＰＴ−ＲＳはシンボル６にもマッピングされる）か、または、別の参照信号がマッピングされているシンボルと、ＰＴ−ＲＳがマッピングされているシンボルは、別の参照信号がマッピングされている２つの連続するＯＦＭＤシンボルの第２のシンボル上に位置するリソースの上で衝突する場合には、ＰＴ−ＲＳは、別の参照信号がマッピングされているシンボルに後続する１つの隣接シンボルにもマッピングされる（図２３Ｉ中の右側の図に示されているように、衝突中のリソースは、シンボル７およびＲＥ４の時間−周波数ロケーション中にあり、ＰＴ−ＲＳはシンボル８にもマッピングされる）。
【０４４８】
任意選択で、別の参照信号は、１つのＯＦＤＭシンボルにマッピングされ、第２の参照信号、すなわち、ＰＴ−ＲＳの時間ドメイン密度は、１／４である。別の参照信号がマッピングされているシンボルと、ＰＴ−ＲＳがマッピングされているシンボルがリソース上で衝突する場合には（図２３Ｊに示されているように、衝突中のリソースはシンボル７およびＲＥ４の時間−周波数ロケーション中にある）、ＰＴ−ＲＳは、図２３Ｊに示されているように、別の参照信号がマッピングされているシンボルに先行する１つのシンボルおよび／または後続する１つのシンボルにもマッピングされる。
【０４４９】
第５のタイプでは、ＰＴ−ＲＳは、別の参照信号がマッピングされているシンボルの隣接シンボルにマッピングされ、別の参照信号がマッピングされているシンボルの隣接シンボルは、ＰＴ−ＲＳの時間ドメイン参照またはアンカーシンボルとして使用され、第２の参照信号は、第２の参照信号の時間ドメイン密度に基づいてマッピングされる。任意選択で、別の参照信号がマッピングされているシンボルの隣接シンボルへの第２の参照信号のマッピングは、別の参照信号がマッピングされているシンボルのロケーションに基づいて決定され、すなわち、時間ドメイン参照は、別の参照信号がマッピングされているシンボルに基づいて決定される。任意選択で、スロットへの第２の参照信号のマッピングは、別の参照信号がマッピングされているシンボルに基づいて決定される。
【０４５０】
任意選択で、別の参照信号が、１つのＯＦＤＭシンボルまたは２つもしくは４つの連続するＯＦＤＭシンボルにマッピングされ、ＰＴ−ＲＳの時間ドメイン密度が１／２である場合には、ＰＴ−ＲＳは、ＰＴ−ＲＳの時間ドメイン参照またはアンカーシンボルとして、別の参照信号がマッピングされている１つ／複数のシンボルに先行する１つの隣接シンボルおよび後続する１つの隣接シンボルを使用することによってマッピングされる。特に、図２３Ｋに示されているように、時間ドメイン密度１／２に基づいて、別の参照信号がマッピングされている１つ／複数のシンボルに先行する１つまたは複数のシンボルにマッピングされたＰＴ−ＲＳは、別の参照信号がマッピングされている１つ／複数のシンボルに先行する１つの隣接シンボルに確実にマッピングされ、時間ドメイン密度１／２に基づいて、別の参照信号がマッピングされている１つ／複数のシンボルに後続する１つまたは複数のシンボルにマッピングされたＰＴ−ＲＳは、別の参照信号がマッピングされている１つ／複数のシンボルに後続する１つの隣接シンボルに確実にマッピングされる。
【０４５１】
任意選択で、別の参照信号が、１つのＯＦＤＭシンボルまたは２つもしくは４つの連続するＯＦＤＭシンボルにマッピングされ、ＰＴ−ＲＳの時間ドメイン密度が１／４である場合には、ＰＴ−ＲＳは、ＰＴ−ＲＳの時間ドメイン参照またはアンカーシンボルとして、別の参照信号がマッピングされている１つ／複数のシンボルに先行する１つの隣接シンボルおよび後続する１つの隣接シンボルを使用することによってマッピングされる。特に、図２３Ｌに示されているように、時間ドメイン密度１／４に基づいて、別の参照信号がマッピングされている１つ／複数のシンボルに先行する１つまたは複数のシンボルにマッピングされたＰＴ−ＲＳは、別の参照信号がマッピングされている１つ／複数のシンボルに先行する１つの隣接シンボルに確実にマッピングされ、時間ドメイン密度１／４に基づいて、別の参照信号がマッピングされている１つ／複数のシンボルに後続する１つまたは複数のシンボルにマッピングされたＰＴ−ＲＳは、別の参照信号がマッピングされている１つ／複数のシンボルに後続する１つの隣接シンボルに確実にマッピングされる。
【０４５２】
第６のタイプでは、第２の参照信号のためのマッピング規則は、別の参照信号がマッピングされているシンボルに物理ダウンリンク／アップリンク共有チャネルがマッピングされるかどうかに応じて決定される。特に、別の参照信号がマッピングされているシンボルに物理ダウンリンク／アップリンク共有チャネルもマッピングされる場合には、第２の参照信号のために第２もしくは第３のタイプのマッピング規則が使用されるか、または、別の参照信号がマッピングされているシンボルに物理ダウンリンク／アップリンク共有チャネルがマッピングされない場合には、第１、第４、もしくは第５のタイプのマッピング規則が使用される。
【０４５３】
本出願では、ユーザによりスケジューリングされた帯域幅内で、別の参照信号がマッピングされている１つまたは複数のシンボルの上で、それらの１つまたは複数のシンボルの上でＰＴ−ＲＳがマッピングされているサブキャリアの量は、ＰＴ−ＲＳの周波数ドメイン密度と、ＰＵＳＣＨ（またはＰＤＳＣＨ）送信に使用されることが可能な、１つまたは複数のシンボル上の帯域幅とに基づいて計算され得る。サブキャリアの計算された量は、ＰＵＳＣＨ（またはＰＤＳＣＨ）送信に使用されることが可能な、１つまたは複数のシンボル上の帯域幅内でＰＴ−ＲＳがマッピングされているサブキャリアの所要量である。ＰＴ−ＲＳの周波数ドメイン密度を決定する様式については、後続の内容を参照されたい。詳細について今は説明されない。
【０４５４】
１つまたは複数のシンボル上の帯域幅の部分は別の参照信号によって占有されるので、ＰＵＳＣＨ（またはＰＤＳＣＨ）送信に使用されることが可能な、１つまたは複数のシンボル上の帯域幅は、ユーザのためにスケジューリングされるＰＵＳＣＨ（またはＰＤＳＣＨ）帯域幅よりも小さく、１つまたは複数のシンボルの上でＰＴ−ＲＳがマッピングされているサブキャリアの量も、前述の内容において述べられたＬPT-RSよりも小さいことが理解できよう。
【０４５５】
別の参照信号がマッピングされているシンボルの上で、ＰＴ−ＲＳがそれに実際にマッピングされているサブキャリアの量は、サブキャリアの計算された量以下であり得る。以下で、別の参照信号がマッピングされているシンボルにＰＴ−ＲＳをマッピングするいくつかの様式について特に説明する。
【０４５６】
第１の様式では、図２４Ａに示されているように、別の参照信号がマッピングされているシンボルの上で、ＰＵＳＣＨ（またはＰＤＳＣＨ）送信に使用されることが可能な帯域幅内でＰＴ−ＲＳがマッピングされているサブキャリアロケーションは、別の参照信号がマッピングされていないシンボルの上でＰＴ−ＲＳがマッピングされているサブキャリアロケーションと、同じであり得る。
【０４５７】
第２の様式では、図２４Ｂに示されているように、別の参照信号がマッピングされているシンボルの上で、ＰＴ−ＲＳが、前述の第１のマッピング様式でマッピングされ、ＰＵＳＣＨ（またはＰＤＳＣＨ）送信に使用されることが可能な帯域幅内でＰＴ−ＲＳがそれに実際にマッピングされているサブキャリアの量が、ＰＵＳＣＨ（またはＰＤＳＣＨ）送信に使用されることが可能な帯域幅内でＰＴ−ＲＳがマッピングされているサブキャリアの所要量よりも小さい場合には、ＰＴ−ＲＳは、ＰＵＳＣＨ（またはＰＤＳＣＨ）送信に使用されることが可能な帯域幅内の別のサブキャリアにさらにマッピングされ得る。
【０４５８】
第３の様式では、図２４Ｃに示されているように、別の参照信号がマッピングされているシンボルの上で、ＰＴ−ＲＳは、ＰＵＳＣＨ（またはＰＤＳＣＨ）送信に使用されることが可能な帯域幅内で一様に分散される。シンボルの上でＰＴ−ＲＳがマッピングされているサブキャリアロケーションは、別の参照信号がマッピングされていないシンボルの上で、ＰＴ−ＲＳがマッピングされているサブキャリアロケーションと、同じである必要はない。
【０４５９】
（４）ＰＴ−ＲＳの時間ドメイン密度
【０４６０】
本出願では、ＰＴ−ＲＳの時間ドメイン密度は、帯域幅部分（ｂａｎｄｗｉｄｔｈ  ｐａｒｔ、ＢＰ）、サイクリックプレフィックス（Ｃｙｃｌｉｃ  Ｐｒｅｆｉｘ、ＣＰ）タイプ、サブキャリア間隔、および変調次数の少なくとも１つに関係し得る。
【０４６１】
特に、ＰＴ−ＲＳの時間ドメイン密度と、ＢＰ、ＣＰタイプ、サブキャリア間隔、および変調次数の少なくとも１つとの間に対応がある。異なるＢＰ、ＣＰタイプ、サブキャリア間隔、または変調次数は、異なる時間ドメイン密度に対応し得る。特に、この対応は、プロトコルによって事前定義され得るか、または高位レイヤシグナリング（たとえば、ＲＲＣシグナリング）を使用することによってネットワークデバイスによって構成され得る。
【０４６２】
前述の内容から、ＰＴ−ＲＳの時間ドメイン密度は、ＰＴ−ＲＳがそれに１回マッピングされるシンボルの量を定義することを知ることができる。たとえば、ＰＴ−ＲＳは、ＰＵＳＣＨ（もしくはＰＤＳＣＨ）のあらゆるシンボルに連続的にマッピングされ得るか、またはＰＵＳＣＨ（もしくはＰＤＳＣＨ）の２つのシンボルごとにマッピングされ得るか、またはＰＵＳＣＨ（もしくはＰＤＳＣＨ）の４つのシンボルごとにマッピングされ得る。
【０４６３】
本出願では、ＰＴ−ＲＳの時間ドメイン密度は、サブキャリア間隔および変調次数に基づいて決定され得る。特に、決定されるサブキャリア間隔値について、１つまたは複数の変調次数閾値が、事前定義され得るか、または高位レイヤシグナリングを使用することによって構成され得る。２つの隣接する変調次数閾値の間のすべての変調次数は、表１に示されているように、ＰＴ−ＲＳの同じ時間ドメイン密度に対応する。
【０４６４】
【表１】
2020516134.tif 000029
【０４６５】
ＭＣＳ＿１、ＭＣＳ＿２、およびＭＣＳ＿３は、変調次数閾値である。時間ドメイン密度「１」、「１／２」、および「１／４」は、図２２に示されている３つの時間ドメイン密度である。
【０４６６】
特に、決定されたサブキャリア間隔で、ＰＴ−ＲＳの時間ドメイン密度は、実際の変調次数ＭＣＳがその内に入る変調次数閾値区間に基づいて決定され得る。たとえば、表２がデフォルトサブキャリア間隔ＳＣＳ＿１＝１５ｋＨｚにおける変調次数閾値を示すと仮定すると、実際の変調次数ＭＣＳが区間［ＭＣＳ＿２、ＭＣＳ＿３］内に入る場合には、ＰＴ−ＲＳの時間ドメイン密度は１／２である。この例は、本発明のこの実施形態について説明するのに使用されるにすぎず、限定として解釈されるべきではない。
【０４６７】
本出願では、異なるサブキャリア間隔は、異なる変調次数閾値に対応し得る。具体的には、変調次数閾値および時間ドメイン密度の異なる対応表は、異なるサブキャリア間隔のために構成され得る。
【０４６８】
特に、異なるサブキャリア間隔に対応する変調次数閾値は、プロトコルによって事前定義され得るか、または高位レイヤシグナリング（たとえば、ＲＲＣシグナリング）を使用することによってネットワークデバイスによって構成され得る。
【０４６９】
いくつかの任意選択の実施形態では、（ＳＣＳ＿１として表される）デフォルトサブキャリア間隔、たとえば、１５ｋＨｚ、およびデフォルトサブキャリア間隔に対応する（ＭＣＳ’として表される）１つまたは複数のデフォルト閾値が、プロトコルによって事前定義され得るか、または高位レイヤシグナリングを使用することによって構成され得る。加えて、別の非デフォルトサブキャリア間隔のために、（整数である、ＭＣＳ＿ｏｆｆｓｅｔとして表される）対応する変調次数オフセットが、プロトコルによって事前定義され得るか、または高位レイヤシグナリングを使用することによって構成され得る。ＭＣＳ＿ｏｆｆｓｅｔ＋ＭＣＳ＝ＭＣＳ’であり、ここでＭＣＳは、別の非デフォルトサブキャリア間隔における実際の変調次数を表す。別の非デフォルトサブキャリア間隔では、ＰＴ−ＲＳの時間ドメイン密度は、変調次数オフセットＭＣＳ＿ｏｆｆｓｅｔまで実際の変調次数ＭＣＳを加算することによって決定され得る。
【０４７０】
たとえば、表２がデフォルトサブキャリア間隔ＳＣＳ＿１＝１５ｋＨｚにおける変調次数閾値を示す場合、非デフォルトサブキャリア間隔６０Ｈｚでは、実際の変調次数ＭＣＳとＭＣＳ＿ｏｆｆｓｅｔの和が区間［０、ＭＣＳ＿１］内に入る場合には、ＰＴ−ＲＳの時間ドメイン密度は０であるか、または実際の変調次数ＭＣＳとＭＣＳ＿ｏｆｆｓｅｔの和が区間［ＭＣＳ＿１、ＭＣＳ＿２］内に入る場合には、ＰＴ−ＲＳの時間ドメイン密度は１／４である。この例は、本発明のこの実施形態について説明するのに使用されるにすぎず、限定として解釈されるべきではない。
【０４７１】
【表２】
2020516134.tif 000030
【０４７２】
いくつかの任意選択の実施形態では、（ＳＣＳ＿１として表される）デフォルトサブキャリア間隔、およびデフォルトサブキャリア間隔に対応する（ＭＣＳ’として表される）１つまたは複数のデフォルト変調次数閾値が、プロトコルによって事前定義され得るか、または高位レイヤシグナリングを使用することによって構成され得る。加えて、（ＳＣＳ＿ｎとして表される）別の非デフォルトサブキャリア間隔のために、対応するスケールファクタβ（０＜β＜１）が、プロトコルによって事前定義され得るか、または高位レイヤシグナリングを使用することによって構成され得る。β＝ＳＣＳ＿１／ＳＣＳ＿ｎと定義され得る。別の非デフォルトサブキャリア間隔では、ＭＣＳがその内に入るデフォルト変調次数閾値区間が、実際の変調次数ＭＣＳおよびデフォルト変調次数閾値ＭＣＳ’を使用することによって決定され得る。次いで、ＰＴ−ＲＳの実際の時間ドメイン密度が、デフォルト変調次数閾値区間に対応する時間ドメイン密度でスケールファクタβを乗算することによって決定される。
【０４７３】
たとえば、表２がデフォルトサブキャリア間隔ＳＣＳ＿１＝６０ｋＨｚにおける変調次数閾値を示す場合、非デフォルトサブキャリア間隔１２０Ｈｚでは、実際の変調次数ＭＣＳが［ＭＣＳ＿２、ＭＣＳ＿３］内に入る場合には、ＰＴ−ＲＳの実際の時間ドメイン密度は、時間ドメイン密度「１／２」とスケールファクタβの積に最も近い時間ドメイン密度である。β＝６０／１２０＝１／２であるので、ＰＴ−ＲＳの実際の時間ドメイン密度は１／４である。この例は、本発明のこの実施形態について説明するのに使用されるにすぎず、限定として解釈されるべきではない。
【０４７４】
本出願では、異なるＣＰタイプまたは長さについて、ＰＴ−ＲＳの時間ドメイン密度と、サブキャリア間隔および変調次数の少なくとも１つとの間の対応は、プロトコルによって事前定義され得るか、または高位レイヤシグナリング（たとえば、ＲＲＣシグナリング）を使用することによって構成され得る。
【０４７５】
任意選択で、拡張サイクリックプレフィックス（Ｅｘｔｅｎｄｅｄ  Ｃｙｃｌｉｃ  Ｐｒｅｆｉｘ、ＥＣＰ）について、ＰＴ−ＲＳの時間ドメイン密度は、以下のようにプロトコルによって事前定義され得るか、または高位レイヤシグナリングを使用することによって構成され得る。すなわち、ＰＴ−ＲＳが、ＰＵＳＣＨ（またはＰＤＳＣＨ）のあらゆるシンボルに連続的にマッピングされる。このようにして、ＰＴ−ＲＳは、高速大遅延拡張シナリオにおいてドップラーシフト推定を助けるのに使用されることが可能である。
【０４７６】
本出願では、ＰＴ−ＲＳの時間ドメイン密度は、代替として、帯域幅部分（ｂａｎｄｗｉｄｔｈ  ｐａｒｔ、ＢＰ）および変調次数ＭＣＳに基づいて決定され得る。任意選択で、１つまたは複数のＢＰは、１つの群のＭＣＳ閾値、またはＭＣＳ閾値と時間ドメイン密度の間の対応に対応し得る。群のＭＣＳ閾値、またはＭＣＳ閾値と時間ドメイン密度の間の対応は、プロトコルに従って事前定義され得るか、または高位レイヤシグナリング、たとえば、ＲＲＣシグナリング、ＭＡＣ  ＣＥ、ブロードキャストメッセージ、システムメッセージ、もしくは少なくとも２つのそれらのメッセージの組合せを使用することによって基地局によって構成され得る。任意選択で、ＭＣＳ閾値と時間ドメイン密度の間の対応は、表Ａに示されているように、ＭＣＳ閾値と時間ドメイン密度の対応表を使用することによって表され得る。
【０４７７】
特に、ＭＣＳ閾値と時間ドメイン密度の間の対応は、群のＭＣＳ閾値を使用することによって決定され得る。たとえば、時間ドメイン密度の候補値が固定であるとき、すなわち、表Ａ中の時間ドメイン密度の列中の「ＰＴ−ＲＳなし、ＴＤ１、ＴＤ２、およびＴＤ３」の値がプロトコルによって事前定義されているときには、時間ドメイン密度の候補値が事前定義に従って事前記憶され、群の閾値
【０４７８】
【数２７】
2020516134.tif 000031
【０４７９】
が決定された後に、群のＭＣＳ閾値と時間ドメイン密度の間の対応が決定され得る。
【０４８０】
任意選択で、１つもしくは複数のＢＰに対応する群のＭＣＳ閾値、またはＭＣＳ閾値と時間ドメイン密度の間の、１つもしくは複数のＢＰに対応する対応は、同じであり得る。言い換えれば、１つもしくは複数のＢＰは、同じ群のＭＣＳ閾値、またはＭＣＳ閾値と時間ドメイン密度の間の同じ対応に対応し得る。ＢＰは、周波数ドメインにおけるリソースの連続するセグメントであり得る。たとえば、１つのＢＰは、Ｋ個の連続するサブキャリアを含み、Ｋは、０よりも大きい整数である。別の例では、１つのＢＰは、Ｎ個の重複しない連続する物理リソースブロック（ｐｈｙｓｉｃａｌ  ｒｅｓｏｕｒｃｅ  ｂｌｏｃｋ、ＰＲＢ）が位置している周波数ドメインリソースであり、Ｎは、０よりも大きい整数であり、ＰＲＢのサブキャリア間隔は、１５ｋ、３０ｋ、６０ｋ、または他のサブキャリア間隔値であり得る。別の例では、１つのＢＰは、Ｎ個の重複しない連続する物理リソースブロックＰＲＢ群が位置している周波数ドメインリソースであり、１つのＰＲＢ群は、Ｍ個の連続するＰＲＢを含み、ＭとＮの両方は、０よりも大きい整数であり、ＰＲＢのサブキャリア間隔は、１５ｋ、３０ｋ、６０ｋ、または他のサブキャリア間隔値であり得る。別の例では、端末のために、ＢＰ長さは、端末によってサポートされる最大帯域幅以下である。別の例では、１つのＢＰは、１つのサブキャリア間隔に対応する。別の例では、異なるＢＰに対応するサブキャリア間隔またはＣＰは、異なり得る。
【０４８１】
任意選択で、１つもしくは複数のＢＰに対応する群のＭＣＳ閾値、またはＭＣＳ閾値と時間ドメイン密度の間の、１つもしくは複数のＢＰに対応する対応は、異なり得る。たとえば、１つのＢＰは、別個の群のＭＣＳ閾値、またはＭＣＳ閾値と時間ドメイン密度の間の別個の対応に対応する。
【０４８２】
たとえば、第１のＢＰについて、基地局は、シグナリングを使用することによって群のＭＣＳ閾値
【０４８３】
【数２８】
2020516134.tif 000032
【０４８４】
、もしくはＭＣＳ閾値と時間ドメイン密度の間の対応を構成するか、またはプロトコルに従って群のＭＣＳ閾値
【０４８５】
【数２９】
2020516134.tif 000033
【０４８６】
、もしくはＭＣＳ閾値と時間ドメイン密度の間の対応を事前定義する。この対応は表Ａに示され得る。シグナリングは、高位レイヤシグナリング、たとえば、ＲＲＣシグナリング、ＭＡＣ  ＣＥ、ブロードキャストメッセージ、システムメッセージ、または少なくとも２つのそれらのメッセージの組合せであり得る。
【０４８７】
【表３】
2020516134.tif 000034
【０４８８】
ＴＤ1、ＴＤ2、およびＴＤ3の値は、（０および１を含む）０から１の数、たとえば、０、１／２、１／４、および１であり得るか、または他の値であり得る。これは例にすぎない。特に、時間ドメイン密度値０、１／２、１／４、および１の特定の意味は、それぞれ以下の通りである。すなわち、ＰＴ−ＲＳがマッピングされない、ＰＴ−ＲＳが２つごとのＯＦＤＭシンボルの１つにマッピングされる、ＰＴ−ＲＳが４つごとのＯＦＤＭシンボルの１つにマッピングされる、およびＰＴ−ＲＳがあらゆるＯＦＤＭシンボルにマッピングされる。
【０４８９】
第２のＢＰについて、基地局は、表Ｂに示されているように、シグナリングを使用することによって群のＭＣＳ閾値
【０４９０】
【数３０】
2020516134.tif 000035
【０４９１】
、もしくはＭＣＳ閾値と時間ドメイン密度の間の対応を構成するか、またはプロトコルに従って群のＭＣＳ閾値
【０４９２】
【数３１】
2020516134.tif 000036
【０４９３】
、もしくはＭＣＳ閾値と時間ドメイン密度の間の対応を事前定義する。シグナリングは、高位レイヤシグナリング、たとえば、ＲＲＣシグナリング、ＭＡＣ  ＣＥ、ブロードキャストメッセージ、システムメッセージ、または少なくとも２つのそれらのメッセージの組合せであり得る。
【０４９４】
【表４】
2020516134.tif 000037
【０４９５】
ＴＤ1、ＴＤ2、およびＴＤ3の値は、（０および１を含む）０から１の数、たとえば、０、１／２、１／４、および１であり得るか、または他の値であり得る。これは例にすぎない。
【０４９６】
アナロジーによって、第ｎのＢＰについて、基地局は、表Ｃに示されているように、シグナリングを使用することによって群のＭＣＳ閾値
【０４９７】
【数３２】
2020516134.tif 000038
【０４９８】
、もしくはＭＣＳ閾値と時間ドメイン密度の間の対応を構成するか、またはプロトコルに従って群のＭＣＳ閾値
【０４９９】
【数３３】
2020516134.tif 000039
【０５００】
、またはＭＣＳ閾値と時間ドメイン密度の間の対応を事前定義する。シグナリングは、高位レイヤシグナリング、たとえば、ＲＲＣシグナリング、ＭＡＣ  ＣＥ、ブロードキャストメッセージ、システムメッセージ、または少なくとも２つのそれらのメッセージの組合せであり得る。
【０５０１】
【表５】
2020516134.tif 000040
【０５０２】
ＴＤ1、ＴＤ2、およびＴＤ3の値は、（０および１を含む）０から１の数、たとえば、０、１／２、１／４、および１であり得るか、または他の値であり得る。これは例にすぎない。
【０５０３】
任意選択で、基地局は、シグナリングを使用することによって、１つまたは複数のＢＰと、１つまたは複数の群のＭＣＳ閾値の間の対応を端末に送り得る。任意選択で、１つまたは複数のＢＰと、１つまたは複数の群のＭＣＳ閾値の間の対応は、表Ｄに示され得る。代替として、基地局は、シグナリングを使用することによって、１つまたは複数のＢＰの間の対応、およびＭＣＳ閾値と時間ドメイン密度との間の１つまたは複数の対応を端末に送り得る。シグナリングは、高位レイヤシグナリング、たとえば、ＲＲＣシグナリング、ＭＡＣ  ＣＥ、ブロードキャストメッセージ、システムメッセージ、または少なくとも２つのそれらのメッセージの組合せであり得る。端末は、シグナリングを受信し、現在アクティブなＢＰに基づいて特定の群のＭＣＳ閾値を決定する。
【０５０４】
【表６】
2020516134.tif 000041
【０５０５】
基地局は、表Ａ、表Ｂ、および表Ｃに示されているように、表Ｄ、および端末側にとって現在アクティブなＢＰに基づいて、群のＭＣＳ閾値、またはＭＣＳ閾値と時間ドメイン密度の間の対応を決定し得る。基地局は、端末側のためにスケジューリングされたＭＣＳ値、および決定された群のＭＣＳ閾値、またはＭＣＳ閾値と時間ドメイン密度の間の決定された対応に基づいて、ＰＴ−ＲＳの時間ドメイン密度を決定する。ダウンリンク送付では、基地局は、ＰＴ−ＲＳの決定された時間ドメイン密度に基づいてＰＴ−ＲＳを１つまたは複数のシンボルにマッピングし、ＰＴ−ＲＳを端末側に送る。アップリンク受信では、基地局は、ＰＴ−ＲＳの決定された時間ドメイン密度に基づいて１つまたは複数のシンボルの上でＰＴ−ＲＳを受信する。
【０５０６】
端末は、表Ａ、表Ｂ、および表Ｃに示されているように、１つもしくは複数のＢＰに対応する群のＭＣＳ閾値、またはＭＣＳ閾値と時間ドメイン密度の間の、１つもしくは複数のＢＰに対応する対応を事前記憶することによって、または基地局からシグナリングを受信することによって、表Ａ、表Ｂ、および表Ｃを取得し得る（実際には複数の表があってよく、表Ａ、表Ｂ、および表Ｃは例にすぎず、本発明に対するいかなる限定ともならない）。シグナリングは、１つもしくは複数のＢＰに対応する１つもしくは複数の群のＭＣＳ閾値、またはＭＣＳ閾値と時間ドメイン密度の間の、１つもしくは複数のＢＰに対応する１つもしくは複数の対応を指示するのに使用される。端末は、現在なアクティブＢＰに基づいて、群のＭＣＳ閾値、ＭＣＳ閾値と時間ドメイン密度の間の対応、または使用されるべき特定の表を決定する。表、群のＭＣＳ閾値、またはＭＣＳ閾値と時間ドメイン密度の間の対応が決定された後に、実際にスケジューリングされたＭＣＳがその内に入る区間に基づいて、ＰＴ−ＲＳの対応する時間ドメイン密度が次いで決定される。ダウンリンク受信では、端末側は、ＰＴ−ＲＳの決定された時間ドメイン密度に基づいて１つまたは複数のシンボルの上でＰＴ−ＲＳを受信する。アップリンク送付では、端末は、ＰＴ−ＲＳの決定された時間ドメイン密度に基づいて１つまたは複数のシンボルの上でＰＴ−ＲＳを送る。
【０５０７】
任意選択で、基地局は、端末側にとって現在アクティブなＢＰに基づいて、特定の群のＭＣＳ閾値、または群のＭＣＳ閾値と時間ドメイン密度の間の特定の対応を決定し得る。基地局はシグナリングを送る。シグナリングは、決定された群のＭＣＳ閾値、またはＭＣＳ閾値と時間ドメイン密度の間の決定された対応を指示するのに使用される。シグナリングは、高位レイヤシグナリングまたはダウンリンク制御情報であり得る。高位レイヤシグナリングは、ＲＲＣシグナリング、ＭＡＣ  ＣＥ、ブロードキャストメッセージ、システムメッセージ、または少なくとも２つのそれらのメッセージの組合せであり得る。端末は、基地局からシグナリングを受信する。シグナリングは、決定された群のＭＣＳ閾値、またはＭＣＳ閾値と時間ドメイン密度の間の決定された対応を指示するのに使用される。端末は、シグナリングに基づいて、使用される必要がある群のＭＣＳ閾値、または使用される必要があるＭＣＳ閾値と時間ドメイン密度の間の対応を決定し、端末によって実際にスケジューリングされたＭＣＳがその内に入る閾値区間に基づいて、ＰＴ−ＲＳの対応する時間ドメイン密度を決定する。
【０５０８】
任意選択で、基地局は、第１のシグナリングを使用することによって端末のために１つまたは複数の候補ＢＰを構成し、次いで、第２のシグナリングを使用することによって現在アクティブなＢＰの端末を通知し得る。現在アクティブなＢＰは、１つまたは複数の候補ＢＰの１つである。第１のシグナリングはＲＲＣシグナリングであってよく、第２のシグナリングはＤＣＩまたはＭＡＣ  ＣＥであってよい。
【０５０９】
任意選択で、基地局は、シグナリングを使用することによって端末のために実際のＭＣＳを構成し得る。たとえば、シグナリングはＤＣＩであり、ＭＣＳは５ビットまたは６ビットを占有する。端末は、ＤＣＩシグナリング中のＭＣＳ指示フィールドを読み取ることによって現在のＭＣＳを取得する。
【０５１０】
任意選択で、１つの群のＢＰは、同じ群のＭＣＳ閾値、またはＭＣＳ閾値と時間ドメイン密度の間の同じ対応に対応する。群のＭＣＳ閾値、またはＭＣＳ閾値と時間ドメイン密度の間の対応は、プロトコルに従って事前定義されるか、またはシグナリングを使用することによって基地局によって構成される。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せである。ＢＰ群は、１つまたは複数のＢＰを含む。ＢＰ群情報は、基地局によって構成され、シグナリングを使用することによって端末に送られ得るか、またはＢＰ群は、プロトコルによって事前定義されるか、またはＢＰグルーピング規則がプロトコルによって事前定義される。任意選択で、基地局は、同じサブキャリア間隔をもつ１つもしくは複数のＢＰを１つのＢＰ群にグルーピングするか、または基地局は、同じＮｕｍｅｒｏｌｏｇｙをもつ１つもしくは複数のＢＰを１つのＢＰ群にグルーピングし、シグナリングを使用することによってＢＰ群情報を端末に送る。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。ＢＰ群情報は、ＢＰ群中の１つもしくは複数のＢＰ、ＢＰ群の番号、ＢＰ群のサブキャリア間隔、ＢＰ群のＮｕｍｅｒｏｌｏｇｙ、またはＢＰ群中の１つもしくは複数のＢＰの番号もしくはインデックス値を含む。端末は、基地局によって送られた群情報を受信し、群情報に基づいて、端末にとって現在アクティブなＢＰがそれに属するＢＰ群を決定する。
【０５１１】
代替として、ＢＰグルーピング規則は、プロトコルによって事前定義される。任意選択で、プロトコルによって事前定義されるＢＰグルーピング規則は、同じサブキャリア間隔をもつＢＰが１つの群を形成するということである。端末は、プロトコルによって事前定義されたグルーピング規則に従って、端末にとって現在アクティブなＢＰがそれに属するＢＰ群を決定する。たとえば、ＢＰ０、ＢＰ３、およびＢＰ６のサブキャリア間隔はすべて１５ｋＨｚであり、これら３つのＢＰが１つの群を形成する。ＢＰ群中の３つのＢＰは、たとえば、表Ａに示されているように、同じ群のＭＣＳ閾値、またはＭＣＳ閾値と時間ドメイン密度の間の同じ対応に対応する。ＢＰ１とＢＰ４のサブキャリア間隔は両方とも６０ｋＨｚであり、これら２つのＢＰが１つの群を形成する。この群のＢＰは、たとえば、表Ｂに示されているように、同じ群のＭＣＳ閾値、またはＭＣＳ閾値と時間ドメイン密度の間の同じ対応に対応する。任意選択で、プロトコルによって事前定義されるグルーピング規則は、同じＮｕｍｅｒｏｌｏｇｙをもつＢＰが１つの群を形成するということである。端末は、プロトコルによって事前定義されたグルーピング規則に従って、端末にとって現在アクティブなＢＰがそれに属するＢＰ群を決定する。
【０５１２】
任意選択で、基地局は、代替として、シグナリングを送ることによってＢＰグルーピング規則を端末に指示し得る。たとえば、複数のＢＰグルーピング規則が、プロトコルにおいて事前定義される。たとえば、同じサブキャリアをもつＢＰが１つの群を形成し、同じＮｕｍｅｒｏｌｏｇｙをもつＢＰが１つの群を形成し、同じＣＰタイプをもつＢＰが１つの群を形成する。基地局は、シグナリングを使用することによって、端末によって使用されるべきである前述の規則の特定の１つを指示し得る。端末は、基地局の指示シグナリングに基づいて、使用されるべきＢＰグルーピング規則を決定する。任意選択で、基地局は、第１のシグナリングを使用することによって１つまたは複数の候補ＢＰの端末を通知し、次いで、第２のシグナリングを使用することによって現在アクティブなＢＰの端末を通知し得る。現在アクティブなＢＰは、１つまたは複数の候補ＢＰの１つである。第１のシグナリングはＲＲＣシグナリングであってよく、第２のシグナリングはＤＣＩまたはＭＡＣ  ＣＥであってよい。
【０５１３】
端末は、現在アクティブなＢＰがそれに属するＢＰ群に基づいて、対応する群のＭＣＳ閾値、またはＭＣＳ閾値と時間ドメイン密度の間の対応する対応を決定し、実際にスケジューリングされた変調次数ＭＣＳがその内に入るＭＣＳ閾値区間に基づいてＰＴ−ＲＳの時間ドメイン密度を決定する。
【０５１４】
表１、表２、表Ａ、表Ｂ、表Ｃ、および表Ｄは、本発明のこの実施形態について説明するのに使用されるにすぎず、限定として解釈されるべきではないことに留意されたい。
【０５１５】
（５）ＰＴ−ＲＳの周波数ドメイン密度
【０５１６】
本出願では、ＰＴ−ＲＳの周波数ドメイン密度は、ＣＰタイプ、ユーザによりスケジューリングされた帯域幅、サブキャリア間隔、および変調次数の少なくとも１つに関係し得る。具体的には、ユーザによりスケジューリングされた帯域幅内でＰＴ−ＲＳがマッピングされているサブキャリアの合計量ＬPT-RSは、ＣＰタイプ、ユーザによりスケジューリングされた帯域幅、サブキャリア間隔、および変調次数の少なくとも１つに関係し得る。
【０５１７】
特に、ＰＴ−ＲＳの周波数ドメイン密度と、ＣＰタイプ、ユーザによりスケジューリングされた帯域幅、サブキャリア間隔、および変調次数の少なくとも１つとの間に対応がある。異なるＣＰタイプ、ユーザによりスケジューリングされた帯域幅、サブキャリア間隔、または変調次数は、異なる周波数ドメイン密度に対応する。特に、この対応は、プロトコルによって事前定義され得るか、または高位レイヤシグナリング（たとえば、ＲＲＣシグナリング）を使用することによってネットワークデバイスによって構成され得る。
【０５１８】
特に、決定されるサブキャリア間隔について、１つまたは複数のスケジューリングされた帯域幅閾値が、事前定義され得るか、または高位レイヤシグナリングを使用することによって構成され得る。２つの隣接するスケジューリングされた帯域幅閾値の間のすべてのスケジューリングされた帯域幅は、表３に示されているように、ＰＴ−ＲＳの同じ周波数ドメイン密度に対応する。
【０５１９】
【表７】
2020516134.tif 000042
【０５２０】
ＢＷ＿１、ＢＷ＿２、ＢＷ＿３、ＢＷ＿４、およびＢＷ＿５は、スケジューリングされた帯域幅閾値である。スケジューリングされた帯域幅閾値は、スケジューリングされた帯域幅中に含まれるリソースブロックの量によって表され得るか、またはスケジューリングされた帯域幅に対応する周波数ドメイン範囲によって表され得る。これは本明細書では限定されない。周波数ドメイン密度「１／２」は、ＰＴ−ＲＳが２つのリソースブロックごとに１つのサブキャリアを占有することを指示する。周波数ドメイン密度「１／４」、「１／８」、および「１／１６」の意味は、アナロジーによって取得され得る。詳細について再び説明されない。
【０５２１】
特に、決定されたサブキャリア間隔で、ＰＴ−ＲＳの周波数ドメイン密度は、実際のスケジューリングされた帯域幅ＢＷがその内に入る、スケジューリングされた帯域幅閾値区間に基づいて決定され得る。たとえば、表３がデフォルトサブキャリア間隔ＳＣＳ＿１＝１５ｋＨｚにおけるスケジューリングされた帯域幅閾値を示すと仮定すると、実際のスケジューリングされた帯域幅ＢＷが区間［ＢＷ＿２、ＢＷ＿３］内に入る場合には、ＰＴ−ＲＳの周波数ドメイン密度は１／２である。この例は、本発明のこの実施形態について説明するのに使用されるにすぎず、限定として解釈されるべきではない。
【０５２２】
本出願では、異なるサブキャリア間隔は、異なるスケジューリングされた帯域幅閾値に対応し得る。具体的には、スケジューリングされた帯域幅閾値および時間ドメイン密度の異なる対応表は、異なるサブキャリア間隔のために構成され得る。
【０５２３】
特に、異なるサブキャリア間隔に対応するスケジューリングされた帯域幅閾値は、プロトコルによって事前定義され得るか、または高位レイヤシグナリング（たとえば、ＲＲＣシグナリング）を使用することによってネットワークデバイスによって構成され得る。
【０５２４】
いくつかの任意選択の実施形態では、（ＳＣＳ＿１として表される）デフォルトサブキャリア間隔、たとえば、１５ｋＨｚ、およびデフォルトサブキャリア間隔に対応する（ＢＷ’として表される）１つまたは複数のデフォルトスケジューリングされた帯域幅閾値が、プロトコルによって事前定義され得るか、または高位レイヤシグナリングを使用することによって構成され得る。加えて、別の非デフォルトサブキャリア間隔のために、（整数である、ＢＷ＿ｏｆｆｓｅｔとして表される）対応するスケジューリングされた帯域幅オフセットが、プロトコルによって事前定義され得るか、または高位レイヤシグナリングを使用することによって構成され得る。ＢＷ＿ｏｆｆｓｅｔ＋ＢＷ＝ＢＷ’であり、ここでＢＷは、別の非デフォルトサブキャリア間隔における実際のスケジューリングされた帯域幅を表す。別の非デフォルトサブキャリア間隔では、ＰＴ−ＲＳの周波数ドメイン密度は、スケジューリングされた帯域幅オフセットＢＷ＿ｏｆｆｓｅｔまで実際のスケジューリングされた帯域幅ＢＷを加算することによって決定され得る。
【０５２５】
たとえば、表４がデフォルトサブキャリア間隔ＳＣＳ＿１＝１５ｋＨｚにおけるスケジューリングされた帯域幅閾値を示す場合、非デフォルトサブキャリア間隔６０Ｈｚでは、実際のスケジューリングされた帯域幅ＢＷとＢＷ＿ｏｆｆｓｅｔの和が区間［ＢＷ＿１、ＢＷ＿２］内に入る場合には、ＰＴ−ＲＳの周波数ドメイン密度は１であるか、または実際のスケジューリングされた帯域幅ＢＷとＢＷ＿ｏｆｆｓｅｔの和が区間［ＢＷ＿２、ＢＷ＿３］内に入る場合には、ＰＴ−ＲＳの周波数ドメイン密度は１／２である。この例は、本発明のこの実施形態について説明するのに使用されるにすぎず、限定として解釈されるべきではない。
【０５２６】
【表８】
2020516134.tif 000043
【０５２７】
いくつかの任意選択の実施形態では、（ＳＣＳ＿１として表される）デフォルトサブキャリア間隔、およびデフォルトサブキャリア間隔に対応する（ＢＷ’として表される）１つまたは複数のデフォルトスケジューリングされた帯域幅閾値が、プロトコルによって事前定義され得るか、または高位レイヤシグナリングを使用することによって構成され得る。加えて、（ＳＣＳ＿ｎとして表される）別の非デフォルトサブキャリア間隔のために、対応するスケールファクタβ（０＜β＜１）が、プロトコルによって事前定義され得るか、または高位レイヤシグナリングを使用することによって構成され得る。β＝ＳＣＳ＿ｎ／ＳＣＳ＿１と定義され得る。別の非デフォルトサブキャリア間隔では、ＢＷがその内に入るデフォルトスケジューリングされた帯域幅閾値区間が、実際のスケジューリングされた帯域幅ＢＷおよびデフォルトスケジューリングされた帯域幅閾値ＢＷ’を使用することによって決定され得る。次いで、ＰＴ−ＲＳの実際の周波数ドメイン密度が、デフォルトスケジューリングされた帯域幅閾値区間に対応する周波数ドメイン密度でスケールファクタβを乗算することによって決定される。
【０５２８】
たとえば、表４がデフォルトサブキャリア間隔ＳＣＳ＿１＝６０ｋＨｚにおけるスケジューリングされた帯域幅閾値を示す場合、非デフォルトサブキャリア間隔１２０Ｈｚでは、実際のスケジューリングされた帯域幅ＢＷが［ＢＷ＿３、ＢＷ＿４］内に入る場合には、ＰＴ−ＲＳの実際の周波数ドメイン密度は、周波数ドメイン密度「１／４」とスケールファクタβの積に最も近い周波数ドメイン密度である。β＝１２０／６０＝２であるので、ＰＴ−ＲＳの実際の周波数ドメイン密度は１／２である。この例は、本発明のこの実施形態について説明するのに使用されるにすぎず、限定として解釈されるべきではない。
【０５２９】
本出願では、ＰＴ−ＲＳの周波数ドメイン密度は、代替として、帯域幅部分（ｂａｎｄｗｉｄｔｈ  ｐａｒｔ、ＢＰ）およびスケジューリングされた帯域幅ＢＷに基づいて決定され得る。１つまたは複数のＢＰは、１つの群のＢＷ閾値、またはＢＷ閾値と周波数ドメイン密度の間の対応に対応する。群のＢＷ閾値、またはＢＷ閾値と周波数ドメイン密度の間の対応は、プロトコルに従って事前定義され得るか、または高位レイヤシグナリング、たとえば、ＲＲＣシグナリング、ＭＡＣ  ＣＥ、ブロードキャストメッセージ、システムメッセージ、もしくはこれらのメッセージの少なくとも２つの組合せを使用することによって基地局によって構成され得る。任意選択で、ＢＷ閾値と周波数ドメイン密度の間の対応は、表Ｅに示されているように、ＢＷ閾値と周波数ドメイン密度の間の対応の表を使用することによって表され得る。
【０５３０】
特に、ＢＷ閾値と周波数ドメイン密度の間の対応は、１つの群のＢＷ閾値を使用することによって決定され得る。たとえば、周波数ドメイン密度の候補値が固定であるとき、すなわち、表Ｅ中の周波数ドメイン密度の列中の「ＰＴ−ＲＳなし、ＦＤ１、ＦＤ２、ＦＤ３、ＦＤ４、およびＦＤ５」の値がプロトコルによって事前定義されているときには、周波数ドメイン密度の候補値が事前定義に従って事前記憶され、群の閾値
【０５３１】
【数３４】
2020516134.tif 000044
【０５３２】
が決定された後に、群のＢＷ閾値と周波数ドメイン密度の間の対応が決定され得る。
【０５３３】
任意選択で、１つもしくは複数のＢＰに対応する群のＢＷ閾値、またはＢＷ閾値と周波数ドメイン密度の間の、１つもしくは複数のＢＰに対応する対応は、同じであり得る。言い換えれば、１つもしくは複数のＢＰは、同じ群のＢＷ閾値、またはＢＷ閾値と周波数ドメイン密度の間の同じ対応に対応し得る。
【０５３４】
任意選択で、１つもしくは複数のＢＰに対応する群のＢＷ閾値、またはＢＷ閾値と周波数ドメイン密度の間の、１つもしくは複数のＢＰに対応する対応は、異なり得る。たとえば、１つのＢＰは、別個の群のＭＣＳ閾値、またはＭＣＳ閾値と時間ドメイン密度の間の別個の対応に対応する。任意選択で、ＢＷ閾値は、スケジューリングされることが可能なリソースブロックの量を表す。
【０５３５】
たとえば、第１のＢＰについて、基地局は、シグナリングを使用することによって群のＢＷ閾値
【０５３６】
【数３５】
2020516134.tif 000045
【０５３７】
、もしくはＢＷ閾値と周波数ドメイン密度の間の対応を構成するか、またはプロトコルに従って群のＢＷ閾値
【０５３８】
【数３６】
2020516134.tif 000046
【０５３９】
、もしくはＢＷ閾値と周波数ドメイン密度の間の対応を事前定義する。この対応は表Ｅに示され得る。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。
【０５４０】
【表９】
2020516134.tif 000047
【０５４１】
ＦＤ１、ＦＤ２、ＦＤ３、ＦＤ４、およびＦＤ５の値範囲は、（１および０を含む）０から１にわたる値、たとえば、０、１／１６、１／８、１／４、１／２、および１を含む。これは例にすぎず、いかなる限定ともならない。特に、周波数ドメイン密度値０、１／１６、１／８、１／４、１／２、および１の特定の意味は、それぞれ以下の通りである。すなわち、ＰＴ−ＲＳがマッピングされない、ＰＴ−ＲＳが１６個のＲＢごとに１つのサブキャリアにマッピングされる、ＰＴ−ＲＳが８つのＲＢごとに１つのサブキャリアにマッピングされる、ＰＴ−ＲＳが４つのＲＢごとに１つのサブキャリアにマッピングされる、ＰＴ−ＲＳが２つのＲＢごとに１つのサブキャリアにマッピングされる、およびＰＴ−ＲＳがあらゆるＲＢ中の１つのサブキャリアにマッピングされる（ＰＴ−ＲＳがマッピングされているサブキャリアについて、ＰＴ−ＲＳは、あらゆるシンボルの上でサブキャリアにマッピングされる必要がなく、どのシンボルの上でＰＴ−ＲＳがこのサブキャリアにマッピングされるのかが、時間ドメイン密度に基づいて決定される必要がある）。
【０５４２】
第２のＢＰについて、基地局は、表Ｆに示されているように、シグナリングを使用することによって群のＢＷ閾値
【０５４３】
【数３７】
2020516134.tif 000048
【０５４４】
、もしくはＢＷ閾値と周波数ドメイン密度の間の対応を構成するか、またはプロトコルに従って群のＢＷ閾値
【０５４５】
【数３８】
2020516134.tif 000049
【０５４６】
、もしくはＢＷ閾値と周波数ドメイン密度の間の対応を事前定義する。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。
【０５４７】
【表１０】
2020516134.tif 000050
【０５４８】
ＦＤ１、ＦＤ２、ＦＤ３、ＦＤ４、およびＦＤ５の値範囲は、（１および０を含む）０から１にわたる値、たとえば、０、１／１６、１／８、１／４、１／２、および１を含む。これは例にすぎず、いかなる限定ともならない。
【０５４９】
アナロジーによって、第ｎのＢＰについて、基地局は、表Ｇに示されているように、シグナリングを使用することによって群のＢＷ閾値
【０５５０】
【数３９】
2020516134.tif 000051
【０５５１】
、もしくはＢＷ閾値と周波数ドメイン密度の間の対応を構成するか、またはプロトコルに従って群のＢＷ閾値
【０５５２】
【数４０】
2020516134.tif 000052
【０５５３】
、もしくはＢＷ閾値と周波数ドメイン密度の間の対応を事前定義する。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。
【０５５４】
【表１１】
2020516134.tif 000053
【０５５５】
ＦＤ１、ＦＤ２、ＦＤ３、ＦＤ４、およびＦＤ５の値範囲は、（１および０を含む）０から１にわたる値、たとえば、０、１／１６、１／８、１／４、１／２、および１を含む。これは例にすぎず、いかなる限定ともならない。
【０５５６】
任意選択で、基地局は、シグナリングを使用することによって、１つまたは複数のＢＰと、１つまたは複数の群のＢＷ閾値の間の対応を端末に送り得る。任意選択で、１つまたは複数のＢＰと、１つまたは複数の群のＢＷ閾値の間の対応は、表Ｈに示され得る。代替として、基地局は、シグナリングを使用することによって、１つまたは複数のＢＰの間の対応、およびＢＷ閾値と周波数ドメイン密度との間の１つまたは複数の対応を端末に送り得る。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。端末は、シグナリングを受信し、現在アクティブなＢＰに基づいて特定の群のＢＷ閾値を決定する。
【０５５７】
【表１２】
2020516134.tif 000054
【０５５８】
基地局は、表Ｅ、表Ｆ、および表Ｇに示されているように、端末側にとって現在アクティブなＢＰに基づいて、群のＢＷ閾値、またはＢＷ閾値と周波数ドメイン密度の間の対応を決定し得る。基地局は、端末側のためにスケジューリングされた、スケジューリングされた帯域幅、および決定された群のＢＷ閾値、またはＢＷ閾値と周波数ドメイン密度の間の決定された対応に基づいて、ＰＴ−ＲＳの周波数ドメイン密度を決定する。ダウンリンク送付では、基地局は、ＰＴ−ＲＳの決定された周波数ドメイン密度に基づいてＰＴ−ＲＳを１つまたは複数のサブキャリアにマッピングし、ＰＴ−ＲＳを端末側に送る。アップリンク受信では、基地局は、ＰＴ−ＲＳの決定された周波数ドメイン密度に基づいて１つまたは複数のサブキャリアの上でＰＴ−ＲＳを受信する。
【０５５９】
端末は、表Ｅ、表Ｆ、および表Ｇに示されているように、１つもしくは複数のＢＰに対応する群のＢＷ閾値、またはＢＷ閾値と周波数ドメイン密度の間の、１つもしくは複数のＢＰに対応する対応を事前記憶することによって、または基地局からシグナリングを受信することによって、表Ｅ、表Ｆ、および表Ｇを取得し得る（実際には複数の表があってよく、表Ｅ、表Ｆ、および表Ｇは例にすぎず、本発明に対するいかなる限定ともならない）。シグナリングは、表Ｅ、表Ｆ、および表Ｇに示されているように、１つもしくは複数のＢＰに対応する１つもしくは複数の群のＢＷ閾値、またはＢＷ閾値と周波数ドメイン密度の間の、１つもしくは複数のＢＰに対応する１つもしくは複数の対応を指示するのに使用される。端末は、現在なアクティブＢＰに基づいて、群のＢＷ閾値、ＢＷ閾値と周波数ドメイン密度の間の対応、または使用されるべき特定の表を決定する。表、群のＢＷ閾値、またはＢＷ閾値と周波数ドメイン密度の間の対応が決定された後に、実際にスケジューリングされた、スケジューリングされた帯域幅がその内に入る区間に基づいて、ＰＴ−ＲＳの対応する周波数ドメイン密度が次いで決定される。ダウンリンク受信では、端末側は、ＰＴ−ＲＳの決定された周波数ドメイン密度に基づいて１つまたは複数のサブキャリアの上でＰＴ−ＲＳを受信する。アップリンク送付では、端末は、ＰＴ−ＲＳの決定された周波数ドメイン密度に基づいて１つまたは複数のサブキャリアの上でＰＴ−ＲＳを送る。
【０５６０】
任意選択で、基地局は、端末側にとって現在アクティブなＢＰに基づいて、特定の群のＢＷ閾値、または群のＢＷ閾値と周波数ドメイン密度の間の特定の対応を決定し得る。基地局はシグナリングを送る。シグナリングは、決定された群のＢＷ閾値、またはＢＷ閾値と周波数ドメイン密度の間の決定された対応を指示するのに使用される。シグナリングは、高位レイヤシグナリングまたはダウンリンク制御情報であり得る。高位レイヤシグナリングは、ＲＲＣシグナリング、ＭＡＣ  ＣＥ、ブロードキャストメッセージ、システムメッセージ、またはこれらのメッセージの少なくとも２つの組合せであり得る。端末は、基地局からシグナリングを受信する。シグナリングは、決定された群のＢＷ閾値、またはＢＷ閾値と周波数ドメイン密度の間の決定された対応を指示するのに使用される。端末は、シグナリングに基づいて、使用される必要がある群のＢＷ閾値、または使用される必要があるＢＷ閾値と周波数ドメイン密度の間の対応を決定し、端末によって実際にスケジューリングされた、スケジューリングされた帯域幅がその内に入る閾値区間に基づいて、ＰＴ−ＲＳの対応する周波数ドメイン密度を決定する。
【０５６１】
任意選択で、基地局は、第１のシグナリングを使用することによって端末のために１つまたは複数の候補ＢＰを構成し、次いで、第２のシグナリングを使用することによって現在アクティブなＢＰの端末を通知し得る。第１のシグナリングはＲＲＣシグナリングであってよく、第２のシグナリングはＤＣＩまたはＭＡＣ  ＣＥであってよい。
【０５６２】
任意選択で、１つの群のＢＰは、同じ群のＢＷ閾値、またはＢＷ閾値と周波数ドメイン密度の間の同じ対応に対応する。群のＢＷ閾値、またはＢＷ閾値と周波数ドメイン密度の間の対応は、プロトコルに従って事前定義されるか、またはシグナリングを使用することによって基地局によって構成される。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せである。ＢＰ群は、１つまたは複数のＢＰを含む。ＢＰ群情報は、基地局によって構成され、シグナリングを使用することによって端末に送られ得るか、またはＢＰ群は、プロトコルによって事前定義されるか、またはＢＰグルーピング規則がプロトコルによって事前定義される。任意選択で、基地局は、同じサブキャリア間隔をもつ１つもしくは複数のＢＰを１つのＢＰ群にグルーピングするか、または基地局は、同じＮｕｍｅｒｏｌｏｇｙをもつ１つもしくは複数のＢＰを１つのＢＰ群にグルーピングし、シグナリングを使用することによってＢＰ群情報を端末に送る。シグナリングは、高位レイヤシグナリング、たとえば、ＲＲＣシグナリング、ＭＡＣ  ＣＥ、ブロードキャストメッセージ、システムメッセージ、またはこれらのメッセージの少なくとも２つの組合せであり得る。ＢＰ群情報は、ＢＰ群中の１つもしくは複数のＢＰ、ＢＰ群の番号、ＢＰ群のサブキャリア間隔、ＢＰ群のＮｕｍｅｒｏｌｏｇｙ、またはＢＰ群中の１つもしくは複数のＢＰの番号もしくはインデックス値を含む。端末は、基地局によって送られた群情報を受信し、群情報に基づいて、端末にとって現在アクティブなＢＰがそれに属するＢＰ群を決定する。
【０５６３】
代替として、ＢＰグルーピング規則は、プロトコルによって事前定義される。任意選択で、プロトコルによって事前定義されるＢＰグルーピング規則は、同じサブキャリア間隔をもつＢＰが１つの群を形成するということである。端末は、プロトコルによって事前定義されたグルーピング規則に従って、端末にとって現在アクティブなＢＰがそれに属するＢＰ群を決定する。たとえば、ＢＰ０、ＢＰ３、およびＢＰ６のサブキャリア間隔はすべて１５ｋＨｚであり、これら３つのＢＰが１つの群を形成する。ＢＰ群中の３つのＢＰは、たとえば、表Ａに示されているように、同じ群のＭＣＳ閾値、またはＭＣＳ閾値と時間ドメイン密度の間の同じ対応に対応する。ＢＰ１とＢＰ４のサブキャリア間隔は両方とも６０ｋＨｚであり、これら２つのＢＰが１つの群を形成する。この群のＢＰは、たとえば、表Ｂに示されているように、同じ群のＭＣＳ閾値、またはＭＣＳ閾値と時間ドメイン密度の間の同じ対応に対応する。任意選択で、プロトコルによって事前定義されるグルーピング規則は、同じＮｕｍｅｒｏｌｏｇｙをもつＢＰが１つの群を形成するということである。端末は、プロトコルによって事前定義されたグルーピング規則に従って、端末にとって現在アクティブなＢＰがそれに属するＢＰ群を決定する。
【０５６４】
任意選択で、基地局は、代替として、シグナリングを送ることによってＢＰグルーピング規則を端末に指示し得る。たとえば、複数のＢＰグルーピング規則が、プロトコルにおいて事前定義される。たとえば、同じサブキャリアをもつＢＰが１つの群を形成し、同じＮｕｍｅｒｏｌｏｇｙをもつＢＰが１つの群を形成し、同じＣＰタイプをもつＢＰが１つの群を形成する。基地局は、シグナリングを使用することによって、端末によって使用されるべきである前述の規則の特定の１つを指示し得る。端末は、基地局の指示シグナリングに基づいて、使用されるべきＢＰグルーピング規則を決定する。
【０５６５】
任意選択で、基地局は、第１のシグナリングを使用することによって１つまたは複数の候補ＢＰの端末を通知し、次いで、第２のシグナリングを使用することによって現在アクティブなＢＰの端末を通知し得る。現在アクティブなＢＰは、１つまたは複数の候補ＢＰの１つである。第１のシグナリングはＲＲＣシグナリングであってよく、第２のシグナリングはＤＣＩまたはＭＡＣ  ＣＥであってよい。
【０５６６】
端末は、現在アクティブなＢＰがそれに属するＢＰ群に基づいて、対応する群のＢＷ閾値、またはＢＷ閾値と周波数ドメイン密度の間の対応する対応を決定し、実際のスケジューリングされた帯域幅ＢＷがその内に入るＢＷ閾値区間に基づいてＰＴ−ＲＳの周波数ドメイン密度を決定する。
【０５６７】
表３、表４、および表Ｅから表Ｈは、本発明のこの実施形態について説明するのに使用されるにすぎず、限定として解釈されるべきではないことに留意されたい。
【０５６８】
本出願では、ネットワークデバイスは、ＰＴ−ＲＳの時間ドメイン密度および周波数ドメイン密度に基づいて、ユーザによりスケジューリングされた帯域幅内でＰＴ−ＲＳの時間−周波数リソースを構成し、次いで、ＰＴ−ＲＳのリソースロケーション情報を端末に送り得る。対応して、端末は、ＰＴ−ＲＳのリソースロケーション情報を受信し、ＰＴ−ＲＳのリソースロケーション情報に基づいて第２の参照信号を送付または受信して、位相追跡を実施し得る。これはチャネル品質フィードバックを可能にする。
【０５６９】
加えて、ＰＴ−ＲＳがマッピングされているユーザによりスケジューリングされた帯域幅は、アップリンクにおいてハイブリッド自動再送要求−肯定応答（ＨＡＲＱ−ＡＣＫ）、ランク指示（Ｒａｎｋ  Ｉｎｄｉｃａｔｉｏｎ、ＲＩ）、またはチャネル品質指示（Ｃｈａｎｎｅｌ  Ｑｕａｌｉｔｙ  Ｉｎｄｉｃａｔｉｏｎ、ＣＱＩ）を送信するのにさらに使用され得る。
【０５７０】
本出願では、アップリンクＨＡＲＱ−ＡＣＫ、ＲＩ、またはＣＱＩ送信のために、端末は、ＰＴ−ＲＳの時間ドメイン密度および周波数ドメイン密度に基づいて、符号化されたＨＡＲＱ−ＡＣＫ、ＲＩ、またはＣＱＩに対してレートマッチングを実施し、マッチングから生ずる符号化データをｅＮＢに送り得る。対応して、ネットワークデバイスは、マッチングから生ずる符号化データを受信し得る。ユーザによりスケジューリングされた帯域幅内でＰＴ−ＲＳによって占有されるリソースの量は、ＰＴ−ＲＳの時間ドメイン密度および周波数ドメイン密度に基づいて決定され得る。ＰＴ−ＲＳの時間ドメイン密度および周波数ドメイン密度を決定する様式については、前述の内容を参照されたい。詳細について本明細書で再び説明されない。
【０５７１】
特に、ＨＡＲＱ−ＡＣＫ、ＲＩ、またはＣＱＩを送信するのに使用される、符号化された変調シンボルの量の計算のためには、ＰＴ−ＲＳによって占有される時間−周波数リソースは除外される必要があり、符号化された変調シンボルの量Ｑ’は以下のように表され得る。
【０５７２】
【数４１】
2020516134.tif 000055
【０５７３】
ここで
【０５７４】
【数４２】
2020516134.tif 000056
【０５７５】
は、ユーザのアップリングスケジューリングされた帯域幅内にあるＰＴ−ＲＳを送信するのに使用されるリソース要素の量を表し、Ｏは、ＨＡＲＱ−ＡＣＫ、ＲＩ、またはＣＱＩを送信するのに使用される符号化ビットの量を表し、
【０５７６】
【数４３】
2020516134.tif 000057
【０５７７】
は、ユーザのアップリンクスケジューリングされた帯域幅内のサブキャリアの量を表し、
【０５７８】
【数４４】
2020516134.tif 000058
【０５７９】
は、初期アップリンク共有チャネル送信に使用されるシンボルの量を表し、
【０５８０】
【数４５】
2020516134.tif 000059
は、スケジューリングされた帯域幅内での初期アップリンク共有チャネル送信に使用されるサブキャリアの量を表し、
【０５８１】
【数４６】
2020516134.tif 000060
【０５８２】
は、アップリンク共有チャネルのオフセットを表し、
【０５８３】
【数４７】
2020516134.tif 000061
【０５８４】
は、Ｃ符号ブロックの符号化ビットの合計量を表す。
【０５８５】
レートマッチング中に考慮されるアップリンクＰＴ−ＲＳによって占有されるリソースの影響とともに、有用な信号の時間−周波数リソースを占有しているＰＴ−ＲＳから生ずる実際の送信符号レートの増加が回避され、それにより、送信信頼性が向上させられることが可能であることが理解できよう。
【０５８６】
図２５は、本出願において提供されるワイヤレス通信システム、端末、およびネットワークデバイスを示す。ワイヤレス通信システム１０は、端末４００およびネットワークデバイス５００を含む。端末４００は、図６の実施形態における端末２００であり得る。ネットワークデバイス５００は、図７の実施形態におけるネットワークデバイス３００であり得る。ワイヤレス通信システム１０は、図５に示されているワイヤレス通信システム１００であり得る。以下で説明を別々に提供する。
【０５８７】
図２５に示されているように、端末４００は、処理ユニット４０１および通信ユニット４０３を含み得る。
【０５８８】
通信ユニット４０３は、第１の参照信号および第２の参照信号を受信するか、または第１の参照信号および第２の参照信号を送るように構成され得る。
【０５８９】
処理ユニット４０１は、第１の参照信号および第２の参照信号を使用することによって位相追跡およびチャネル状態情報推定を実施するように構成され得る。
【０５９０】
本出願では、第１の参照信号は、複数のシンボルにマッピングされ、第２の参照信号は、それらの複数のシンボルの少なくとも２つにマッピングされ得るとともに、第２の参照信号がマッピングされているサブキャリアは、１つまたは複数の同じ周波数ドメインロケーションに対応している。
【０５９１】
本出願の実装では、第１の参照信号は、ＣＳＩ推定に使用されるアップリンク参照信号、たとえば、ＳＲＳであってよく、第２の参照信号は、位相追跡に使用されるアップリンク参照信号（ＰＴ−ＲＳ）であってよい。この場合、通信ユニット４０３は、第１の参照信号および第２の参照信号を送るように特に構成され得る。
【０５９２】
本出願の別の実装では、第１の参照信号は、ＣＳＩ推定に使用されるダウンリンク参照信号、たとえば、ＣＳＩ−ＲＳであってよく、第２の参照信号は、位相追跡のためのダウンリンク参照信号（ＰＴ−ＲＳ）であってよい。この場合、通信ユニット４０３は、第１の参照信号および第２の参照信号を受信するように特に構成され得る。
【０５９３】
いくつかの実施形態では、通信ユニット４０３は、第１の参照信号および第２の参照信号の各々に対応するリソースロケーション情報を受信するようにさらに構成され、リソースロケーション情報に基づいて第１の参照信号および第２の参照信号を受信（または送付）するように構成され得る。
【０５９４】
いくつかの実施形態では、第１の参照信号および第２の参照信号に対応するそれぞれのリソースロケーションが、プロトコルによって事前定義され得る。いくつかの実施形態では、通信ユニット４０３は、第１の参照信号についてのみの、ネットワークデバイスによって送られた、リソースロケーション情報を受信するように構成され得る。処理ユニット４０１は、第１の参照信号のリソースロケーション、および第２の参照信号に関する、本出願で提供されるマッピングポリシーに基づいて、第２の参照信号のリソースロケーションを決定するようにさらに構成され得る。第２の参照信号のマッピングポリシーは、プロトコルによって事前定義され得るか、または高位レイヤシグナリングもしくはＰＤＣＣＨを使用することによってネットワークデバイスによって構成され得る。
【０５９５】
第２の参照信号のマッピングポリシーについては、図１２から図１６に対応する実施形態を参照されたい。詳細について本明細書で再び説明されない。
【０５９６】
本出願では、第２の参照信号を送るのに通信ユニット４０３によって使用されるアンテナポートは、第１の参照信号を送るアンテナポートの１つもしくは複数であり得るか、または第２の参照信号を送るのに通信ユニット４０３によって使用されるアンテナポートおよび第１の参照信号を送るアンテナポートは、疑似コロケーションされ得る。
【０５９７】
加えて、通信ユニット４０３はまた、物理アップリンクまたはダウンリンク共有チャネル上でデータを送信するときに、第２の参照信号を送付または受信し、第２の参照信号を使用することによって位相追跡を実施するように構成され得る。特に、第２の参照信号は、ユーザによりスケジューリングされた帯域幅にマッピングされ得る。ユーザによりスケジューリングされた帯域幅内での第２の参照信号のリソースマッピング様式については、図１９から図２４に対応する実施形態を参照されたい。詳細について本明細書で再び説明されない。
【０５９８】
加えて、通信ユニット４０３はまた、ＰＴ−ＲＳがマッピングされている、ユーザによりスケジューリングされた帯域幅内で、アップリンクにおいてハイブリッド自動再送要求−肯定応答（ＨＡＲＱ−ＡＣＫ）、ランク指示（ＲＩ）、またはチャネル品質指示（ＣＱＩ）を送信するように構成され得る。加えて、処理ユニット４０１はまた、ＰＴ−ＲＳの時間ドメイン密度および周波数ドメイン密度に基づいて、符号化されたＨＡＲＱ−ＡＣＫ、ＲＩ、またはＣＱＩに対してレートマッチングを実施し、マッチングから生ずる符号化データをネットワークデバイスに送るように構成され得る。
【０５９９】
端末４００中に含まれる機能ユニットの特定の実装については、前述の実施形態への参照が行われ得ることが理解できよう。詳細について本明細書で再び説明されない。
【０６００】
図２５に示されているように、ネットワークデバイス５００は、通信ユニット５０１および処理ユニット５０３を含み得る。
【０６０１】
通信ユニット５０１は、第１の参照信号および第２の参照信号を受信するか、または第１の参照信号および第２の参照信号を送るように構成され得る。
【０６０２】
処理ユニット５０３は、第１の参照信号および第２の参照信号を使用することによって位相追跡およびチャネル状態情報推定を実施するように構成され得る。
【０６０３】
本出願では、第１の参照信号は、複数のシンボルにマッピングされ、第２の参照信号は、それらの複数のシンボルの少なくとも２つにマッピングされ得るとともに、第２の参照信号がマッピングされているサブキャリアは、１つまたは複数の同じ周波数ドメインロケーションに対応している。
【０６０４】
特に、処理ユニット５０３は、第１の参照信号および第２の参照信号の各々に対応するリソースを構成するようにさらに構成され得る。第１の参照信号は、複数のシンボルにマッピングされる。第２の参照信号は、複数のシンボルの少なくとも２つにマッピングされる。第２の参照信号がマッピングされているサブキャリアは、１つまたは複数の同じ周波数ドメインロケーションに対応する。通信ユニット５０１は、第１の参照信号および第２の参照信号の各々に対応するリソースロケーション情報を送るようにさらに構成され得る。リソースロケーション情報は、第１の参照信号および第２の参照信号を受信（または送付）するのに端末によって使用される。
【０６０５】
本出願の実装では、第１の参照信号は、ＣＳＩ推定に使用されるアップリンク参照信号、たとえば、ＳＲＳであってよく、第２の参照信号は、位相追跡に使用されるアップリンク参照信号（ＰＴ−ＲＳ）であってよい。この場合、通信ユニット５０１は、第１の参照信号および第２の参照信号を受信するように特に構成され得る。
【０６０６】
本出願の別の実装では、第１の参照信号は、ＣＳＩ推定に使用されるダウンリンク参照信号、たとえば、ＣＳＩ−ＲＳであってよく、第２の参照信号は、位相追跡のためのダウンリンク参照信号（ＰＴ−ＲＳ）であってよい。この場合、通信ユニット５０１は、第１の参照信号および第２の参照信号を送るように特に構成され得る。
【０６０７】
いくつかの実施形態では、第１の参照信号および第２の参照信号に対応するそれぞれのリソースロケーションが、プロトコルによって事前定義され得る。いくつかの実施形態では、通信ユニット５０１は、第１の参照信号についてのみの、リソースロケーション情報を送るように構成され得る。このようにして、端末４００は、第１の参照信号のリソースロケーション、および第２の参照信号に関する、本出願で提供されるマッピングポリシーに基づいて、第２の参照信号のリソースロケーションを決定し得る。第２の参照信号のマッピングポリシーは、プロトコルによって事前定義され得るか、または高位レイヤシグナリングもしくはＰＤＣＣＨを使用することによって通信ユニット５０１によって構成され得る。
【０６０８】
第２の参照信号のマッピングポリシーについては、図１２から図１６に対応する実施形態を参照されたい。詳細について本明細書で再び説明されない。
【０６０９】
本出願では、第２の参照信号を送るのに通信ユニット５０１によって使用されるアンテナポートは、第１の参照信号を送るアンテナポートの１つもしくは複数であり得るか、または第２の参照信号を送るのに通信ユニット５０１によって使用されるアンテナポートおよび第１の参照信号を送るアンテナポートは、疑似コロケーションされ得る。
【０６１０】
加えて、通信ユニット５０１はまた、物理アップリンクまたはダウンリンク共有チャネル上でデータを送信するときに、第２の参照信号を送付または受信し、第２の参照信号を使用することによって位相追跡を実施するように構成され得る。特に、第２の参照信号は、ユーザによりスケジューリングされた帯域幅にマッピングされ得る。ユーザによりスケジューリングされた帯域幅内での第２の参照信号のリソースマッピング様式については、図１９から図２４に対応する実施形態を参照されたい。詳細について本明細書で再び説明されない。
【０６１１】
加えて、通信ユニット５０１はまた、レートマッチングを通して取得され、端末４００によって送られた符号化データを受信するように構成され得る。符号化データは、ＰＴ−ＲＳがマッピングされている、ユーザによりスケジューリングされた帯域幅内で送信される、ハイブリッド自動再送要求−肯定応答（ＨＡＲＱ−ＡＣＫ）、ランク指示（ＲＩ）、またはチャネル品質指示（ＣＱＩ）を含む。
【０６１２】
ネットワークデバイス５００中に含まれる機能ユニットの特定の実装については、前述の実施形態への参照が行われ得ることが理解できよう。詳細について本明細書で再び説明されない。
【０６１３】
要約すると、本出願によれば、ＣＳＩ推定に使用される参照信号が複数のシンボルの上で送信されるとき、位相追跡参照信号が挿入される。加えて、位相追跡参照信号は複数のシンボルにもマッピングされ、複数のシンボルの１つの上で、位相追跡参照信号がマッピングされているサブキャリアは、複数のシンボルの残りの上で、位相追跡参照信号がマッピングされているサブキャリアと、同じ周波数ドメインロケーションを有する。このようにして、この同じ周波数ドメインロケーションに対応するサブキャリア上で、位相追跡参照信号は位相追跡に使用され得る。これは、ＣＳＩ推定の精度を向上させるのを助ける。
【０６１４】
当業者は、本実施形態における方法の処理の全部または一部が、関係するハードウェアに命令するコンピュータプログラムによって実装され得ることを理解するであろう。プログラムはコンピュータ可読記憶媒体に記憶され得る。実行されるとき、プログラムは、前述の方法実施形態の手順を含み得る。前述の記憶媒体は、ＲＯＭ、ランダムアクセスメモリＲＡＭ、磁気ディスク、または光ディスクなど、プログラムコードを記憶することができる任意の媒体を含む。
【図１】
2020516134.tif 000062
【図２】
2020516134.tif 000063
【図３Ａ】
2020516134.tif 000064
【図３Ｂ】
2020516134.tif 000065
【図３Ｃ】
2020516134.tif 000066
【図４】
2020516134.tif 000067
【図５】
2020516134.tif 000068
【図６】
2020516134.tif 000069
【図７】
2020516134.tif 000070
【図８】
2020516134.tif 000071
【図９】
2020516134.tif 000072
【図１０】
2020516134.tif 000073
【図１１】
2020516134.tif 000074
【図１２】
2020516134.tif 000075
【図１３Ａ】
2020516134.tif 000076
【図１３Ｂ】
2020516134.tif 000077
【図１４】
2020516134.tif 000078
【図１５】
2020516134.tif 000079
【図１６】
2020516134.tif 000080
【図１７】
2020516134.tif 000081
【図１８】
2020516134.tif 000082
【図１９】
2020516134.tif 000083
【図２０Ａ】
2020516134.tif 000084
【図２０Ｂ】
2020516134.tif 000085
【図２１】
2020516134.tif 000086
【図２２】
2020516134.tif 000087
【図２３Ａ】
2020516134.tif 000088
【図２３Ｂ】
2020516134.tif 000089
【図２３Ｃ】
2020516134.tif 000090
【図２３Ｄ】
2020516134.tif 000091
【図２３Ｅ】
2020516134.tif 000092
【図２３Ｆ】
2020516134.tif 000093
【図２３Ｇ】
2020516134.tif 000094
【図２３Ｈ】
2020516134.tif 000095
【図２３Ｉ】
2020516134.tif 000096
【図２３Ｊ】
2020516134.tif 000097
【図２３Ｋ】
2020516134.tif 000098
【図２３Ｌ】
2020516134.tif 000099
【図２４Ａ】
2020516134.tif 000100
【図２４Ｂ】
2020516134.tif 000101
【図２４Ｃ】
2020516134.tif 000102
【図２５】
2020516134.tif 000103
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
参照信号送信方法であって、
第１の参照信号の時間ドメイン密度および周波数ドメイン密度に基づき、ネットワークデバイスによって、ユーザによりスケジューリングされた帯域幅内の前記第１の参照信号に対する時間−周波数リソースを構成するステップと、
前記ネットワークデバイスによって、前記第１の参照信号を端末に送るステップと
を含む参照信号送信方法。
【請求項２】
前記ネットワークデバイスによって、前記第１の参照信号のリソースロケーション情報を前記端末に送るステップをさらに含む請求項１に記載の方法。
【請求項３】
第２の参照信号が、前記ユーザによってスケジューリングされた帯域幅にマッピングされているときには、前記第１の参照信号は、前記第２の参照信号がマッピングされているリソース要素にマッピングされない請求項１に記載の方法。
【請求項４】
前記時間ドメイン密度は、帯域幅部分および変調符号化方式（ＭＣＳ）に関連する請求項１乃至３のいずれか一項に記載の方法。
【請求項５】
前記周波数ドメイン密度は、帯域幅部分およびユーザによってスケジューリングされた帯域幅に関連する請求項１に記載の方法。
【請求項６】
前記端末に対して帯域幅部分の１つまたは複数の値を構成するステップをさらに含む請求項１に記載の方法。
【請求項７】
前記端末に対して１つまたは複数の群のＭＣＳ閾値を構成するステップをさらに含み、各帯域幅部分が１つの群のＭＣＳ閾値に対応する請求項１に記載の方法。
【請求項８】
前記端末に対して１つまたは複数の群のスケジューリングされた帯域幅閾値を構成するステップをさらに含み、各帯域幅部分が、１つの群のスケジューリングされた帯域幅閾値に対応する請求項１に記載の方法。
【請求項９】
前記端末に対して帯域幅部分のアクティブ値を示すシグナリングを送るステップをさらに含む請求項１に記載の方法。
【請求項１０】
ネットワークデバイスであって、
第１の参照信号の時間ドメイン密度および周波数ドメイン密度に基づいて、ユーザによってスケジューリングされた帯域幅内で前記第１の参照信号に対する時間−周波数リソースを構成するように構成された、プロセッサと、
前記第１の参照信号を端末に送るように構成された、送信機と
を含むネットワークデバイス。
【請求項１１】
前記送信機は、前記第１の参照信号のリソースロケーション情報を前記端末に送るようにさらに構成されている請求項１０に記載のネットワークデバイス。
【請求項１２】
前記プロセッサは、
第２の参照信号が前記ユーザによってスケジューリングされた帯域幅にマッピングされているときに、前記第２の参照信号がマッピングされているリソース要素に前記第１の参照信号をマッピングすることをスキップするように
さらに構成されている請求項１０に記載のネットワークデバイス。
【請求項１３】
前記時間ドメイン密度は、帯域幅部分および変調符号化方式（ＭＣＳ）に関連する請求項１０乃至１２のいずれか一項に記載のネットワークデバイス。
【請求項１４】
前記周波数ドメイン密度は、帯域幅部分および前記ユーザによってスケジューリングされた帯域幅に関連する請求項１０に記載のネットワークデバイス。
【請求項１５】
前記プロセッサは、前記端末に対して帯域幅部分の１つまたは複数の値を構成するようにさらに構成されている請求項１０に記載のネットワークデバイス。
【請求項１６】
前記プロセッサは、前記端末に対して１つまたは複数の群のＭＣＳ閾値を構成するようにさらに構成されており、各帯域幅部分が１つの群のＭＣＳ閾値に対応する請求項１０に記載のネットワークデバイス。
【請求項１７】
前記プロセッサは、前記端末に対して１つまたは複数の群のスケジューリングされた帯域幅閾値を構成するようにさらに構成されており、各帯域幅部分が１つの群のスケジューリングされた帯域幅閾値に対応する請求項１０に記載のネットワークデバイス。
【請求項１８】
前記送信機は、前記端末に対して帯域幅部分のアクティブ値を示すシグナリングを送るようにさらに構成されている請求項１０に記載のネットワークデバイス。
【請求項１９】
参照信号送信方法であって、
ネットワークデバイスから参照信号のリソースロケーション情報を受信するステップと、
前記リソースロケーション情報に基づいて、前記リソースロケーション情報によって指示されるリソース上の前記参照信号を受信するステップを含み、
前記参照信号の時間ドメイン密度は、帯域幅部分および変調符号化方式、ＭＣＳに関連するとともに、
前記参照信号の周波数ドメイン密度は、前記帯域幅部分およびユーザによってスケジューリングされた帯域幅に関連する、方法。
【請求項２０】
帯域幅部分の１つまたは複数の値を含むシグナリングを受信するステップをさらに含む請求項１９に記載の方法。
【請求項２１】
１つまたは複数の群のＭＣＳ閾値を含むシグナリングを受信するステップをさらに含み、各帯域幅部分は１つの群のＭＣＳ閾値に対応する請求項１９または２０に記載の方法。
【請求項２２】
１つまたは複数の群のスケジューリングされた帯域幅閾値を含むシグナリングを受信するステップをさらに含み、各帯域幅部分は１つの群のスケジューリングされた帯域閾値に対応する請求項１９に記載の方法。
【請求項２３】
帯域幅部分の１つまたは複数の値の内の帯域幅部分のアクティブ値を示すシグナリングを受信するステップをさらに含む請求項１９に記載の方法。
【請求項２４】
端末であって、
ネットワークデバイスによって送られたリソースロケーション情報を受信するように構成された、受信機と、
前記リソースロケーション情報によって指示されたリソース上で参照信号を受信するように構成された、プロセッサと
を備える端末であって、
前記参照信号の時間ドメイン密度は、帯域幅部分および変調符号化方式、ＭＣＳに関連し、
前記参照信号の周波数ドメイン密度は、前記帯域幅部分およびユーザによってスケジューリングされた帯域幅に関連する端末。
【請求項２５】
前記受信機は、帯域幅部分の１つまたは複数の値を含むシグナリングを受信するようにさらに構成されている請求項２４に記載の端末。
【請求項２６】
前記受信機は、１つまたは複数の群のＭＣＳ閾値を含むシグナリングを受信するようにさらに構成されており、各帯域幅部分は１つの群のＭＣＳ閾値に対応する請求項２４または２５に記載の端末。
【請求項２７】
前記受信機は、１つまたは複数の群のスケジューリングされた帯域幅閾値を含むシグナリングを受信するようにさらに構成されており、各帯域幅部分は１つの群のスケジューリングされた帯域幅閾値に対応する請求項２４に記載の端末。
【請求項２８】
前記受信機は、帯域幅部分の１つまたは複数の値の内の帯域幅部分のアクティブ値を示すシグナリングを受信するようにさらに構成されている請求項２４に記載の端末。
【請求項２９】
データ送信方法であって、
アップリンクＨＡＲＱ−ＡＣＫ、ＲＩ、またはＣＱＩの送信のための位相追跡参照信号（ＰＴ−ＲＳ）の時間ドメイン密度および周波数ドメイン密度に基づいて、符号化されたハイブリッド自動再送要求ＡＣＫ（ＨＡＲＱ−ＡＣＫ）、ランク指示（ＲＩ）、またはチャネル品質指示（ＣＱＩ）に対するレートマッチングを実施するステップと、
前記レートマッチングから得られる符号化データをネットワークデバイスに送るステップと
を含むデータ送信方法。
【請求項３０】
符号化変調シンボルの量Ｑ’は、以下の式：
【数１】
2020516134.tif 000104
を満たし、ここで
【数２】
2020516134.tif 000105
は、ユーザのアップリングスケジューリングされた帯域幅内にあるＰＴ−ＲＳを送信するのに使用されるリソース要素の量を表し、Ｏは、前記ＨＡＲＱ−ＡＣＫ、前記ＲＩ、または前記ＣＱＩを送信するのに使用される符号化ビットの量を表し、
【数３】
2020516134.tif 000106
は、前記ユーザの前記アップリンクスケジューリングされた帯域幅内のサブキャリアの量を表し、
【数４】
2020516134.tif 000107
は、初期アップリンク共有チャネル送信に使用されるシンボルの量を表し、
【数５】
2020516134.tif 000108
は、スケジューリングされた帯域幅内での初期アップリンク共有チャネル送信に使用されるサブキャリアの量を表し、
【数６】
2020516134.tif 000109
は、アップリンク共有チャネルのオフセットを表し、
【数７】
2020516134.tif 000110
は、Ｃ符号ブロックの符号化ビットの合計量を表す請求項２９に記載の方法。
【請求項３１】
装置であって、
アップリンクＨＡＲＱ−ＡＣＫ、ＲＩまたはＣＱＩの送信に対するＰＴ−ＲＳの時間ドメイン密度および周波数ドメイン密度に基づいて、符号化されたＨＡＲＱ−ＡＣＫ、ＲＩ、またはＣＱＩについてのレートマッチングを実施するように構成された、プロセッサと、
前記レートマッチングから生ずる符号化データをネットワークデバイスに送るように構成された、送信機と
を備える装置。
【請求項３２】
符号化された変調シンボルの量Ｑ’は以下の式：
【数８】
2020516134.tif 000111
を満たし、ここで
【数９】
2020516134.tif 000112
は、ユーザのアップリンクスケジューリングされた帯域幅内であるＰＴ−ＲＳを送信するのに使用されるリソース要素の量を表し、Ｏは、前記ＨＡＲＱ−ＡＣＫ、前記ＲＩ、または前記ＣＱＩを送信するのに使用される符号化ビットの量を表し、
【数１０】
2020516134.tif 000113
は、前記ユーザの前記アップリンクスケジューリングされた帯域幅内のサブキャリアの量を表し、
【数１１】
2020516134.tif 000114
は、初期アップリンク共有チャネル送信のために使用されるシンボルの量を表し、
【数１２】
2020516134.tif 000115
は、前記アップリンクスケジューリングされた帯域幅内の初期アップリンク共有チャネル送信のために使用されるサブキャリアの量を表し、
【数１３】
2020516134.tif 000116
は、アップリンク共有チャネルのオフセットを表し、
【数１４】
2020516134.tif 000117
は、Ｃ符号ブロックの符号化ビットの合計量を表す請求項３１に記載の装置。
【請求項３３】
コンピュータ可読記憶媒体であって、
前記コンピュータ可読記憶媒体は、プログラムコードを記憶し、前記プログラムコードが、請求項１乃至９、請求項１９乃至２３のいずれか一項に記載の方法を実施するための実行可能な命令を含むコンピュータ可読記憶媒体。
【手続補正２】
【補正対象書類名】明細書
【補正対象項目名】０１８５
【補正方法】変更
【補正の内容】
【０１８５】
別の可能な設計において、現在アクティブなＢＰがそれに属するＢＰ群に基づいて、ＢＰ群に対応する群のスケジューリングされた帯域幅閾値、またはスケジューリングされた帯域幅閾値と周波数ドメイン密度の間の、ＢＰ群に対応する対応情報が決定され；
ＰＴ−ＲＳの周波数ドメイン密度が、現在スケジューリングされている帯域幅および対応情報に基づいて決定される。
【手続補正３】
【補正対象書類名】明細書
【補正対象項目名】０４１１
【補正方法】変更
【補正の内容】
【０４１１】
本明細書では、互いに対応しているＰＴ−ＲＳアンテナポートおよびＤＭＲＳアンテナポートによってそれぞれ送られるＰＴ−ＲＳおよびＤＭＲＳは、同じサブキャリアロケーションを有する。
【手続補正４】
【補正対象書類名】明細書
【補正対象項目名】０４４３
【補正方法】変更
【補正の内容】
【０４４３】
衝突中のリソースは以下を意味することが理解できよう。ＰＴ−ＲＳが、時間ドメイン密度に基づいて均一な間隔で時間ドメイン範囲内に一様にマッピングされる場合、具体的には、ＰＴ−ＲＳが、ｎ個のシンボルの間隔で１つのシンボルにマッピングされ（ｎの値は１、２、または４であり得る）、別の参照信号がマッピングされているシンボルロケーションと、均一な間隔で時間的ドメインにおいてＰＴ−ＲＳが一様にマッピングされているシンボルロケーションとが、同じシンボルおよび同じサブキャリアを有する場合、同じシンボル上の同じサブキャリアは、衝突中のリソースとして理解される。
【国際調査報告】
2020516134.tif 000118
2020516134.tif 000119
2020516134.tif 000120
2020516134.tif 000121